(57)【特許請求の範囲】
【請求項１】
無線移動通信システムにおける端末デバイスまたは前記端末デバイスにおけるチップにより実行される通信方法であって、
ダウンリンク制御情報のダウンリンク制御情報フォーマットを決定する段階と、
復調基準信号（ＤＭＲＳ）の構成タイプと、前記ＤＭＲＳにより占有されるシンボルの数量と、トランスポートブロックにより占有されるシンボルの数量とを取得する段階と、
前記ダウンリンク制御情報フォーマットと、前記ＤＭＲＳの前記構成タイプと、前記ＤＭＲＳにより占有される前記シンボルの数量と、前記トランスポートブロックにより占有される前記シンボルの数量とに基づいて、前記ＤＭＲＳにより占有されるリソース要素の数量を取得する段階と、
前記ＤＭＲＳにより占有される前記リソース要素の数量に基づいて、前記トランスポートブロックのサイズ（ＴＢＳ）を決定する段階と
を備える方法。
【請求項２】
前記ダウンリンク制御情報フォーマットがＤＣＩフォーマット０＿０またはＤＣＩフォーマット１＿０である場合、前記ＤＭＲＳにより占有される前記リソース要素の数量は、６、１２または２４である、
請求項１に記載の方法。
【請求項３】
前記ダウンリンク制御情報フォーマットがＤＣＩフォーマット０＿０またはＤＣＩフォーマット１＿０であり、前記ＤＭＲＳの前記構成タイプがＤＭＲＳ構成タイプ１であり、前記ＤＭＲＳにより占有される前記シンボルの数量が１である場合、前記ＤＭＲＳにより占有される前記リソース要素の数量は、６、１２または２４である、
請求項１に記載の方法。
【請求項４】
前記ダウンリンク制御情報フォーマットがＤＣＩフォーマット０＿０またはＤＣＩフォーマット１＿０であり、前記ＤＭＲＳの前記構成タイプがＤＭＲＳ構成タイプ１であり、前記ＤＭＲＳにより占有される前記シンボルの数量が１であり、前記トランスポートブロックにより占有される前記シンボルの数量が７以上である場合、前記ＤＭＲＳにより占有される前記リソース要素の数量は、１２、２４または３６であり、または、
前記ダウンリンク制御情報フォーマットがＤＣＩフォーマット０＿０またはＤＣＩフォーマット１＿０であり、前記ＤＭＲＳの前記構成タイプがＤＭＲＳ構成タイプ１であり、前記ＤＭＲＳにより占有される前記シンボルの数量が１であり、前記トランスポートブロックにより占有される前記シンボルの数量が７未満である場合、前記ＤＭＲＳにより占有される前記リソース要素の数量は、６、１２または２４である、
請求項１に記載の方法。
【請求項５】
前記トランスポートブロックにより占有されるシンボルの位置を取得する段階
をさらに備え、
前記ダウンリンク制御情報フォーマットがＤＣＩフォーマット０＿０またはＤＣＩフォーマット１＿０であり、前記ＤＭＲＳの前記構成タイプがＤＭＲＳ構成タイプ１であり、前記ＤＭＲＳにより占有される前記シンボルの数量が１であり、前記トランスポートブロックにより占有される前記シンボルの数量が７以上である場合、前記ＤＭＲＳにより占有される前記リソース要素の数量は、１２、２４または３６であり、または、
前記ダウンリンク制御情報フォーマットがＤＣＩフォーマット０＿０またはＤＣＩフォーマット１＿０であり、前記ＤＭＲＳの前記構成タイプがＤＭＲＳ構成タイプ１であり、前記ＤＭＲＳにより占有される前記シンボルの数量が１であり、前記トランスポートブロックにより占有される前記シンボルの数量が７未満である場合、前記ＤＭＲＳにより占有される前記リソース要素の数量は、６、１２または２４である、
請求項１に記載の方法。
【請求項６】
追加のＤＭＲＳの数量を取得する段階と、
前記ダウンリンク制御情報フォーマットと、前記ＤＭＲＳの前記構成タイプと、前記ＤＭＲＳにより占有される前記シンボルの数量と、前記トランスポートブロックにより占有される前記シンボルの数量と、前記追加のＤＭＲＳの数量とに基づいて、前記ＤＭＲＳにより占有される前記リソース要素の数量を取得する段階と
をさらに備え、
前記ダウンリンク制御情報フォーマットは、ＤＣＩフォーマット０＿０またはＤＣＩフォーマット１＿０であり、前記ＤＭＲＳの前記構成タイプは、ＤＭＲＳ構成タイプ１であり、前記ＤＭＲＳにより占有される前記シンボルの数量は、１であり、前記追加のＤＭＲＳの数量は、０、１または２である、
請求項１に記載の方法。
【請求項７】
前記トランスポートブロックにより占有されるシンボルの位置と、追加のＤＭＲＳの数量とを取得する段階と、
前記ダウンリンク制御情報フォーマットと、前記ＤＭＲＳの前記構成タイプと、前記ＤＭＲＳにより占有される前記シンボルの数量と、前記トランスポートブロックにより占有される前記シンボルの数量と、前記トランスポートブロックにより占有される前記シンボルの前記位置と、前記追加のＤＭＲＳの数量とに基づいて、前記ＤＭＲＳにより占有される前記リソース要素の数量を取得する段階と
をさらに備え、
前記ダウンリンク制御情報フォーマットは、ＤＣＩフォーマット０＿０またはＤＣＩフォーマット１＿０であり、前記ＤＭＲＳの前記構成タイプは、ＤＭＲＳ構成タイプ１であり、前記ＤＭＲＳにより占有される前記シンボルの数量は、１であり、前記追加のＤＭＲＳの数量は、０、１または２である、
請求項１に記載の方法。
【請求項８】
前記ＤＭＲＳにより占有される前記リソース要素の数量は、前記ダウンリンク制御情報フォーマットとの対応関係を有する、
請求項１に記載の方法。
【請求項９】
前記ダウンリンク制御情報フォーマットと、前記ＤＭＲＳの前記構成タイプと、前記ＤＭＲＳにより占有される前記シンボルの数量と、前記トランスポートブロックにより占有される前記シンボルの数量とに基づいて、前記ＤＭＲＳにより占有される前記リソース要素の数量を取得する前記段階は、
前記ダウンリンク制御情報フォーマットと、前記ＤＭＲＳにより占有される前記リソース要素の数量との間の対応関係に基づいて、前記ＤＭＲＳにより占有される前記リソース要素の数量を取得する段階
を有する、
請求項１または８に記載の方法。
【請求項１０】
無線移動通信システムにおける基地局により実行されるか、または前記基地局におけるチップにより実行される通信方法であって、
ダウンリンク制御情報のダウンリンク制御情報フォーマットを取得する段階であって、前記ダウンリンク制御情報フォーマットと、復調基準信号（ＤＭＲＳ）により占有されるリソース要素の数量との間には、対応関係が存在する、段階と、
前記ＤＭＲＳの構成タイプと、前記ＤＭＲＳにより占有されるシンボルの数量と、トランスポートブロックにより占有されるシンボルの数量とを取得する段階と、
前記ダウンリンク制御情報フォーマットと、前記ＤＭＲＳの前記構成タイプと、前記ＤＭＲＳにより占有される前記シンボルの数量と、前記トランスポートブロックにより占有される前記シンボルの数量とに基づいて、前記ＤＭＲＳにより占有される前記リソース要素の数量を取得する段階と、
前記ＤＭＲＳにより占有される前記リソース要素の数量に基づいて、前記トランスポートブロック（ＴＢＳ）のサイズを決定する段階と
を備える方法。
【請求項１１】
前記ダウンリンク制御情報フォーマットがＤＣＩフォーマット０＿０またはＤＣＩフォーマット１＿０である場合、前記ＤＭＲＳにより占有される前記リソース要素の数量は、６、１２または２４である、
請求項１０に記載の方法。
【請求項１２】
前記ダウンリンク制御情報フォーマットがＤＣＩフォーマット０＿０またはＤＣＩフォーマット１＿０であり、前記ＤＭＲＳの前記構成タイプがＤＭＲＳ構成タイプ１であり、前記ＤＭＲＳにより占有される前記シンボルの数量が１である場合、前記ＤＭＲＳにより占有される前記リソース要素の数量は、６、１２または２４である、
請求項１０に記載の方法。
【請求項１３】
前記ダウンリンク制御情報フォーマットがＤＣＩフォーマット０＿０またはＤＣＩフォーマット１＿０であり、前記ＤＭＲＳの前記構成タイプがＤＭＲＳ構成タイプ１であり、前記ＤＭＲＳにより占有される前記シンボルの数量が１であり、前記トランスポートブロックにより占有される前記シンボルの数量が７以上である場合、前記ＤＭＲＳにより占有される前記リソース要素の数量は、１２、２４または３６であり、または、
前記ダウンリンク制御情報フォーマットがＤＣＩフォーマット０＿０またはＤＣＩフォーマット１＿０であり、前記ＤＭＲＳの前記構成タイプがＤＭＲＳ構成タイプ１であり、前記ＤＭＲＳにより占有される前記シンボルの数量が１であり、前記トランスポートブロックにより占有される前記シンボルの数量が７未満である場合、前記ＤＭＲＳにより占有される前記リソース要素の数量は、６、１２または２４である、
請求項１０に記載の方法。
【請求項１４】
前記トランスポートブロックにより占有されるシンボルの位置を取得する段階
をさらに備え、
前記ダウンリンク制御情報フォーマットがＤＣＩフォーマット０＿０またはＤＣＩフォーマット１＿０であり、前記ＤＭＲＳの前記構成タイプがＤＭＲＳ構成タイプ１であり、前記ＤＭＲＳにより占有される前記シンボルの数量が１であり、前記トランスポートブロックにより占有される前記シンボルの数量が７以上である場合、前記ＤＭＲＳにより占有される前記リソース要素の数量は、１２、２４または３６であり、または、
前記ダウンリンク制御情報フォーマットがＤＣＩフォーマット０＿０またはＤＣＩフォーマット１＿０であり、前記ＤＭＲＳの前記構成タイプがＤＭＲＳ構成タイプ１であり、前記ＤＭＲＳにより占有される前記シンボルの数量が１であり、前記トランスポートブロックにより占有される前記シンボルの数量が７未満である場合、前記ＤＭＲＳにより占有される前記リソース要素の数量は、６、１２または２４である、
請求項１０に記載の方法。
【請求項１５】
追加のＤＭＲＳの数量を取得する段階と、
前記ダウンリンク制御情報フォーマットと、前記ＤＭＲＳの前記構成タイプと、前記ＤＭＲＳにより占有される前記シンボルの数量と、前記トランスポートブロックにより占有される前記シンボルの数量と、前記追加のＤＭＲＳの数量とに基づいて、前記ＤＭＲＳにより占有される前記リソース要素の数量を取得する段階と
をさらに備え、
前記ダウンリンク制御情報フォーマットは、ＤＣＩフォーマット０＿０またはＤＣＩフォーマット１＿０であり、前記ＤＭＲＳの前記構成タイプは、ＤＭＲＳ構成タイプ１であり、前記ＤＭＲＳにより占有される前記シンボルの数量は、１であり、前記追加のＤＭＲＳの数量は、０、１または２である、
請求項１０に記載の方法。
【請求項１６】
前記トランスポートブロックにより占有されるシンボルの位置と、追加のＤＭＲＳの数量とを取得する段階と、
前記ダウンリンク制御情報フォーマットと、前記ＤＭＲＳの前記構成タイプと、前記ＤＭＲＳにより占有される前記シンボルの数量と、前記トランスポートブロックにより占有される前記シンボルの数量と、前記トランスポートブロックにより占有される前記シンボルの前記位置と、前記追加のＤＭＲＳの数量とに基づいて、前記ＤＭＲＳにより占有される前記リソース要素の数量を取得する段階と
をさらに備え、
前記ダウンリンク制御情報フォーマットは、ＤＣＩフォーマット０＿０またはＤＣＩフォーマット１＿０であり、前記ＤＭＲＳの前記構成タイプは、ＤＭＲＳ構成タイプ１であり、前記ＤＭＲＳにより占有される前記シンボルの数量は、１であり、前記追加のＤＭＲＳの数量は、０、１または２である、
請求項１０に記載の方法。
【請求項１７】
前記ダウンリンク制御情報フォーマットと、前記ＤＭＲＳの前記構成タイプと、前記ＤＭＲＳにより占有される前記シンボルの数量と、前記トランスポートブロックにより占有される前記シンボルの数量とに基づいて、前記ＤＭＲＳにより占有される前記リソース要素の数量を取得する前記段階は、
前記ダウンリンク制御情報フォーマットと、前記ＤＭＲＳにより占有される前記リソース要素の数量との間の前記対応関係に基づいて、前記ＤＭＲＳにより占有される前記リソース要素の数量を取得する段階
を有する、
請求項１０から１６のいずれか一項に記載の方法。
【請求項１８】
ダウンリンク制御情報のダウンリンク制御情報フォーマットを決定し、
復調基準信号（ＤＭＲＳ）の構成タイプと、前記ＤＭＲＳにより占有されるシンボルの数量と、トランスポートブロックにより占有されるシンボルの数量とを取得し、
前記ダウンリンク制御情報フォーマットと、前記ＤＭＲＳの前記構成タイプと、前記ＤＭＲＳにより占有される前記シンボルの数量と、前記トランスポートブロックにより占有される前記シンボルの数量とに基づいて、前記ＤＭＲＳにより占有されるリソース要素の数量を取得し、
前記ＤＭＲＳにより占有される前記リソース要素の数量に基づいて、前記トランスポートブロックのサイズ（ＴＢＳ）を決定する
ように構成された少なくとも１つのプロセッサ
を備える通信装置。
【請求項１９】
前記ダウンリンク制御情報フォーマットがＤＣＩフォーマット０＿０またはＤＣＩフォーマット１＿０である場合、前記ＤＭＲＳにより占有される前記リソース要素の数量は、６、１２または２４である、
請求項１８に記載の通信装置。
【請求項２０】
前記ダウンリンク制御情報フォーマットがＤＣＩフォーマット０＿０またはＤＣＩフォーマット１＿０であり、前記ＤＭＲＳの前記構成タイプがＤＭＲＳ構成タイプ１であり、前記ＤＭＲＳにより占有される前記シンボルの数量が１である場合、前記ＤＭＲＳにより占有される前記リソース要素の数量は、６、１２または２４である、
請求項１８に記載の通信装置。
【請求項２１】
前記ダウンリンク制御情報フォーマットがＤＣＩフォーマット０＿０またはＤＣＩフォーマット１＿０であり、前記ＤＭＲＳの前記構成タイプがＤＭＲＳ構成タイプ１であり、前記ＤＭＲＳにより占有される前記シンボルの数量が１であり、前記トランスポートブロックにより占有される前記シンボルの数量が７以上である場合、前記ＤＭＲＳにより占有される前記リソース要素の数量は、１２、２４または３６であり、または、
前記ダウンリンク制御情報フォーマットがＤＣＩフォーマット０＿０またはＤＣＩフォーマット１＿０であり、前記ＤＭＲＳの前記構成タイプがＤＭＲＳ構成タイプ１であり、前記ＤＭＲＳにより占有される前記シンボルの数量が１として取得され、前記トランスポートブロックにより占有される前記シンボルの数量が７未満である場合、前記ＤＭＲＳにより占有される前記リソース要素の数量は、６、１２または２４である、
請求項１８に記載の通信装置。
【請求項２２】
前記少なくとも１つのプロセッサは、前記トランスポートブロックにより占有されるシンボルの位置を取得するように構成され、
前記ダウンリンク制御情報フォーマットがＤＣＩフォーマット０＿０またはＤＣＩフォーマット１＿０であり、前記ＤＭＲＳの前記構成タイプがＤＭＲＳ構成タイプ１であり、前記ＤＭＲＳにより占有される前記シンボルの数量が１であり、前記トランスポートブロックにより占有される前記シンボルの数量が７以上である場合、前記ＤＭＲＳにより占有される前記リソース要素の数量は、１２、２４または３６であり、または、
前記ダウンリンク制御情報フォーマットがＤＣＩフォーマット０＿０またはＤＣＩフォーマット１＿０であり、前記ＤＭＲＳの前記構成タイプがＤＭＲＳ構成タイプ１であり、前記ＤＭＲＳにより占有される前記シンボルの数量が１であり、前記トランスポートブロックにより占有される前記シンボルの数量が７未満である場合、前記ＤＭＲＳにより占有される前記リソース要素の数量は、６、１２または２４である、
請求項１８に記載の通信装置。
【請求項２３】
前記少なくとも１つのプロセッサは、
追加のＤＭＲＳの数量を取得し、
前記ダウンリンク制御情報フォーマットと、前記ＤＭＲＳの前記構成タイプと、前記ＤＭＲＳにより占有される前記シンボルの数量と、前記トランスポートブロックにより占有される前記シンボルの数量と、前記追加のＤＭＲＳの数量とに基づいて、前記ＤＭＲＳにより占有される前記リソース要素の数量を取得するように構成され、
前記ダウンリンク制御情報フォーマットは、ＤＣＩフォーマット０＿０またはＤＣＩフォーマット１＿０であり、前記ＤＭＲＳの前記構成タイプは、ＤＭＲＳ構成タイプ１であり、前記ＤＭＲＳにより占有される前記シンボルの数量は、１であり、前記追加のＤＭＲＳの数量は、０、１または２である、
請求項１８に記載の通信装置。
【請求項２４】
前記少なくとも１つのプロセッサは、
前記トランスポートブロックにより占有されるシンボルの位置と、追加のＤＭＲＳの数量とを取得し、
前記ダウンリンク制御情報フォーマットと、前記ＤＭＲＳの前記構成タイプと、前記ＤＭＲＳにより占有される前記シンボルの数量と、前記トランスポートブロックにより占有される前記シンボルの数量と、前記トランスポートブロックにより占有される前記シンボルの前記位置と、前記追加のＤＭＲＳの数量とに基づいて、前記ＤＭＲＳにより占有される前記リソース要素の数量を取得するように構成され、
前記ダウンリンク制御情報フォーマットは、ＤＣＩフォーマット０＿０またはＤＣＩフォーマット１＿０であり、前記ＤＭＲＳの前記構成タイプは、ＤＭＲＳ構成タイプ１であり、前記ＤＭＲＳにより占有される前記シンボルの数量は、１であり、前記追加のＤＭＲＳの数量は、０、１または２である、
請求項１８に記載の通信装置。
【請求項２５】
前記ＤＭＲＳにより占有される前記リソース要素の数量は、前記ダウンリンク制御情報フォーマットとの対応関係を有する、
請求項１８に記載の通信装置。
【請求項２６】
前記少なくとも１つのプロセッサは、前記ダウンリンク制御情報フォーマットと、前記ＤＭＲＳにより占有される前記リソース要素の数量との間の対応関係に基づいて、前記ＤＭＲＳにより占有される前記リソース要素の数量を取得するように構成される、
請求項１８または２５に記載の通信装置。
【請求項２７】
無線移動通信システムにおける端末デバイスであるか、または前記端末デバイスにおけるチップである、
請求項１８から２６のいずれか一項に記載の通信装置。
【請求項２８】
ダウンリンク制御情報のダウンリンク制御情報フォーマットを取得することであって、前記ダウンリンク制御情報フォーマットと、復調基準信号（ＤＭＲＳ）により占有されるリソース要素の数量との間には、対応関係が存在する、取得することと、
前記ＤＭＲＳの構成タイプと、前記ＤＭＲＳにより占有されるシンボルの数量と、トランスポートブロックにより占有されるシンボルの数量とを取得することと、
前記ダウンリンク制御情報フォーマットと、前記ＤＭＲＳの前記構成タイプと、前記ＤＭＲＳにより占有される前記シンボルの数量と、前記トランスポートブロックにより占有される前記シンボルの数量とに基づいて、前記ＤＭＲＳにより占有される前記リソース要素の数量を取得することと、
前記ＤＭＲＳにより占有される前記リソース要素の数量に基づいて、前記トランスポートブロックのサイズ（ＴＢＳ）を決定することと
を行うように構成された少なくとも１つのプロセッサ
を備える通信装置。
【請求項２９】
前記ダウンリンク制御情報フォーマットがＤＣＩフォーマット０＿０またはＤＣＩフォーマット１＿０である場合、前記ＤＭＲＳにより占有される前記リソース要素の数量は、６、１２または２４である、
請求項２８に記載の通信装置。
【請求項３０】
前記ダウンリンク制御情報フォーマットがＤＣＩフォーマット０＿０またはＤＣＩフォーマット１＿０であり、前記ＤＭＲＳの前記構成タイプがＤＭＲＳ構成タイプ１であり、前記ＤＭＲＳにより占有される前記シンボルの数量が１である場合、前記ＤＭＲＳにより占有される前記リソース要素の数量は、６、１２または２４である、
請求項２８に記載の通信装置。
【請求項３１】
前記ダウンリンク制御情報フォーマットがＤＣＩフォーマット０＿０またはＤＣＩフォーマット１＿０であり、前記ＤＭＲＳの前記構成タイプがＤＭＲＳ構成タイプ１であり、前記ＤＭＲＳにより占有される前記シンボルの数量が１であり、前記トランスポートブロックにより占有される前記シンボルの数量が７以上である場合、前記ＤＭＲＳにより占有される前記リソース要素の数量は、１２、２４または３６であり、または、
前記ダウンリンク制御情報フォーマットがＤＣＩフォーマット０＿０またはＤＣＩフォーマット１＿０であり、前記ＤＭＲＳの前記構成タイプがＤＭＲＳ構成タイプ１であり、前記ＤＭＲＳにより占有される前記シンボルの数量が１であり、前記トランスポートブロックにより占有される前記シンボルの数量が７未満である場合、前記ＤＭＲＳにより占有される前記リソース要素の数量は、６、１２または２４である、
請求項２８に記載の通信装置。
【請求項３２】
前記少なくとも１つのプロセッサは、前記トランスポートブロックにより占有されるシンボルの位置を取得するように構成され、
前記ダウンリンク制御情報フォーマットがＤＣＩフォーマット０＿０またはＤＣＩフォーマット１＿０であり、前記ＤＭＲＳの前記構成タイプがＤＭＲＳ構成タイプ１であり、前記ＤＭＲＳにより占有される前記シンボルの数量が１であり、前記トランスポートブロックにより占有される前記シンボルの数量が７以上である場合、前記ＤＭＲＳにより占有される前記リソース要素の数量は、１２、２４または３６であり、または、
前記ダウンリンク制御情報フォーマットがＤＣＩフォーマット０＿０またはＤＣＩフォーマット１＿０であり、前記ＤＭＲＳの前記構成タイプがＤＭＲＳ構成タイプ１であり、前記ＤＭＲＳにより占有される前記シンボルの数量が１であり、前記トランスポートブロックにより占有される前記シンボルの数量が７未満である場合、前記ＤＭＲＳにより占有される前記リソース要素の数量は、６、１２または２４である、
請求項２８に記載の通信装置。
【請求項３３】
前記少なくとも１つのプロセッサは、
追加のＤＭＲＳの数量を取得し、
前記ダウンリンク制御情報フォーマットと、前記ＤＭＲＳの前記構成タイプと、前記ＤＭＲＳにより占有される前記シンボルの数量と、前記トランスポートブロックにより占有される前記シンボルの数量と、前記追加のＤＭＲＳの数量とに基づいて、前記ＤＭＲＳにより占有される前記リソース要素の数量を取得するように構成され、
前記ダウンリンク制御情報フォーマットは、ＤＣＩフォーマット０＿０またはＤＣＩフォーマット１＿０であり、前記ＤＭＲＳの前記構成タイプは、ＤＭＲＳ構成タイプ１であり、前記ＤＭＲＳにより占有される前記シンボルの数量は、１であり、前記追加のＤＭＲＳの数量は、０、１または２である、
請求項２８に記載の通信装置。
【請求項３４】
前記少なくとも１つのプロセッサは、
前記トランスポートブロックにより占有されるシンボルの位置と、追加のＤＭＲＳの数量とを取得し、
前記ダウンリンク制御情報フォーマットと、前記ＤＭＲＳの前記構成タイプと、前記ＤＭＲＳにより占有される前記シンボルの数量と、前記トランスポートブロックにより占有される前記シンボルの数量と、前記トランスポートブロックにより占有される前記シンボルの前記位置と、前記追加のＤＭＲＳの数量とに基づいて、前記ＤＭＲＳにより占有される前記リソース要素の数量を取得するように構成され、
前記ダウンリンク制御情報フォーマットは、ＤＣＩフォーマット０＿０またはＤＣＩフォーマット１＿０であり、前記ＤＭＲＳの前記構成タイプは、ＤＭＲＳ構成タイプ１であり、前記ＤＭＲＳにより占有される前記シンボルの数量は、１であり、前記追加のＤＭＲＳの数量は、０、１または２である、
請求項２８に記載の通信装置。
【請求項３５】
前記少なくとも１つのプロセッサは、前記ダウンリンク制御情報フォーマットと、前記ＤＭＲＳにより占有される前記リソース要素の数量との間の前記対応関係に基づいて、前記ＤＭＲＳにより占有される前記リソース要素の数量を取得するように構成される、
請求項２８から３４のいずれか一項に記載の通信装置。
【請求項３６】
無線移動通信システムにおける基地局であるか、または前記基地局におけるチップである、
請求項２８から３５のいずれか一項に記載の通信装置。
【請求項３７】
請求項１から１７のいずれか一項に記載の方法を実行するように構成された通信装置。
【請求項３８】
通信装置であって、
少なくとも１つのプロセッサと、通信インタフェースとを備え、前記通信インタフェースは、前記通信装置により、別の通信デバイスと情報を交換するために用いられ、１または複数の命令が前記少なくとも１つのプロセッサにより実行された場合、請求項１から１７のいずれか一項に記載の方法が実行される、
通信装置。
【請求項３９】
プログラムを含み、
前記プログラムが直接または間接的に実行された場合、請求項１から１７のいずれか一項に記載の方法のオペレーションが実行される、
コンピュータプログラム記憶媒体。
【請求項４０】
プロセッサに請求項１から９のいずれか一項に記載の方法を実行させるためのコンピュータプログラム。
【請求項４１】
プロセッサに請求項１０から１７のいずれか一項に記載の方法を実行させるためのコンピュータプログラム。
【請求項４２】
少なくとも１つのプロセッサを備え、１または複数の命令が前記少なくとも１つのプロセッサにより実行された場合、請求項１から１７のいずれか一項に記載の方法のオペレーションが実行される、
チップシステム。
【請求項４３】
請求項１８から３８のいずれか一項に記載の通信装置、
請求項３９に記載のコンピュータプログラム記憶媒体、
請求項４０または４１に記載のコンピュータプログラム、または、
請求項４２に記載のチップシステム
のうちの１または複数を備える無線移動通信システム。
【発明の詳細な説明】
【技術分野】
【０００１】
本願は、２０１８年２月１３日に中国国家知識財産権局に出願された、「通信プロセスにおけるリソース要素の数量を取得するための方法、および関連する装置」と題する中国特許出願第２０１８１０１５０３６５．０の優先権を主張する。当該出願は、参照によりその全体が本明細書に組み込まれる。
【０００２】
本願は、通信分野に関し、より具体的には、通信プロセスにおけるリソース要素の数量を取得するための方法、および関連する装置に関する。
【背景技術】
【０００３】
基地局は、ユーザ機器（ｕｓｅｒ  ｅｑｕｉｐｍｅｎｔ、ＵＥ）とのデータ通信を実行する場合、ＵＥについてデータをスケジューリングし得る。例えば、基地局は、シグナリングを介して、時間領域リソースおよび周波数領域リソースをＵＥに割り当て得る。時間領域リソースおよび周波数領域リソースは、時間−周波数リソースと総称され得る。
【０００４】
基地局は、ＵＥについてデータをスケジューリングする場合、時間−周波数リソースの割り当てに加え、さらに、時間−周波数リソース上で送信されるデータブロックのサイズを決定する必要がある。データブロックのサイズは、トランスポートブロックのサイズ（ｔｒａｎｓｍｉｓｓｉｏｎ  ｂｌｏｃｋ  ｓｉｚｅ、ＴＢＳ）とも称され得る。ＴＢＳは、基地局によりスケジューリングされる時間−周波数リソース上で保持されるビット情報のサイズを示す。
【０００５】
通常、ＴＢＳを決定するためには、まず、復調基準信号（ｄｅｍｏｄｕｌａｔｉｏｎ  ｒｅｆｅｒｅｎｃｅ  ｓｉｇｎａｌ、ＤＭＲＳ）により占有されるＲＥの数量が決定される必要がある。従って、ＤＭＲＳにより占有されるＲＥの数量をどのように決定するかが、解決すべき技術課題となっている。
【発明の概要】
【０００６】
本願は、通信プロセスにおけるリソース要素の数量を取得するための方法および関連する装置を提供する。これにより、復調基準信号により占有されるＲＥの数量が決定され得る。このことは、ＴＢＳを決定するのに役立ち、さらには、通信信頼性を保証するのに役立つ。
【０００７】
第１の態様によれば、本願は、通信プロセスにおけるリソース要素の数量を取得するための方法を提供する。
方法は、
第１の情報を取得する段階であって、第１の情報は、以下の情報、つまり、ダウンリンク制御情報フォーマット、復調基準信号の構成タイプ、復調基準信号により占有されるシンボルの数量、波形、ダウンリンク制御情報の無線ネットワーク一時識別子スクランブル方式、データチャネルタイプ、データブロックにより占有されるシンボルの数量およびデータブロックにより占有されるシンボルの位置のうちの少なくとも１つのタイプを含む、段階と、
第１の情報に基づいて、第１の情報に対応する、復調基準信号により占有されるリソース要素の数量を取得する段階であって、第１の情報と、復調基準信号により占有されるリソース要素の数量との間には、対応関係が存在する、段階と
を含む。
【０００８】
方法において、通信装置は、第１の情報と、復調基準信号により占有されるリソース要素の数量との間の対応関係に基づいて、復調基準信号により占有されるリソース要素の数量を直接取得し得る。このことは、ＴＢＳを決定するのに役立ち、さらには、通信信頼性を保証するのに役立つ。
【０００９】
可能な実装において、第１の情報は、復調基準信号により占有されるリソース要素の数量と一対一の対応関係にある。
【００１０】
この実装において、通信装置は、第１の情報のみを取得することにより、当該対応関係に基づいて、復調基準信号により占有されるリソース要素の数量を取得し得る。
【００１１】
可能な実装において、第１の情報がダウンリンク制御情報フォーマットを含む場合、第１の情報に基づいて、復調基準信号により占有されるリソース要素の数量を取得する段階は、
ダウンリンク制御情報フォーマットがダウンリンク制御情報フォーマット１＿０であるときは、復調基準信号により占有されるリソース要素の数量が４または６であることを実現する段階、および／または、ダウンリンク制御情報フォーマットがダウンリンク制御情報フォーマット０＿０であるときは、復調基準信号により占有されるリソース要素の数量が６または４であることを実現する段階
を含む。
【００１２】
可能な実装において、第１の情報が復調基準信号の構成タイプを含む場合、第１の情報に基づいて、復調基準信号により占有されるリソース要素の数量を取得する段階は、
復調基準信号の構成タイプが構成タイプ１であるときは、復調基準信号により占有されるリソース要素の数量が６であることを実現する段階、および／または、復調基準信号の構成タイプが構成タイプ２であるときは、復調基準信号により占有されるリソース要素の数量が４であることを実現する段階
を含む。
【００１３】
可能な実装において、第１の情報が、復調基準信号の構成タイプと、復調基準信号により占有されるシンボルの数量とを含む場合、
第１の情報に基づいて、復調基準信号により占有されるリソース要素の数量を取得する段階は、
復調基準信号の構成タイプが構成タイプ１であり、復調基準信号により占有されるシンボルの数量が１であるときは、復調基準信号により占有されるリソース要素の数量が６であることを実現する段階、および／または、
復調基準信号の構成タイプが構成タイプ１であり、復調基準信号により占有されるシンボルの数量が２であるときは、復調基準信号により占有されるリソース要素の数量が１２であることを実現する段階、および／または、
復調基準信号の構成タイプが構成タイプ２であり、復調基準信号により占有されるシンボルの数量が１であるときは、復調基準信号により占有されるリソース要素の数量が４であることを実現する段階、および／または、
復調基準信号の構成タイプが構成タイプ２であり、復調基準信号により占有されるシンボルの数量が２であるときは、復調基準信号により占有されるリソース要素の数量が８であることを実現する段階
を含む。
【００１４】
可能な実装において、第１の情報に基づいて、復調基準信号により占有されるリソース要素の数量を取得する段階は、第１の情報と、復調基準信号により占有されるリソース要素の数量との間の対応関係に基づいて、復調基準信号により占有されるリソース要素の数量を取得する段階を含む。
【００１５】
可能な実装において、方法は、端末デバイスにより実行され、方法における対応関係が、端末デバイスにより通信プロトコルに従って構成されるか、または、端末デバイスによりアクセスネットワークデバイスから受信される。
【００１６】
第２の態様によれば、本願は、通信装置を提供する。通信装置は、第１の態様または第１の態様の可能な実装のいずれか１つにおける方法を実行するように構成されたモジュールを含む。通信装置に含まれるモジュールは、ソフトウェアおよび／またはハードウェアを用いて実装され得る。
【００１７】
第３の態様によれば、本願は、通信デバイスを提供する。通信デバイスは、少なくとも１つのプロセッサおよび通信インタフェースを含む。通信インタフェースは、通信デバイスにより、別の通信デバイスと情報を交換するために用いられる。１または複数の命令が少なくとも１つのプロセッサにより実行された場合、第１の態様または第１の態様の可能な実装のいずれか１つにおける方法が実行される。
【００１８】
任意選択的に、通信デバイスは、メモリをさらに含み得る。メモリは、プログラムおよびデータを記憶するように構成される。
【００１９】
任意選択的に、通信デバイスは、アクセスネットワークデバイス、例えば、基地局であり得るか、または端末デバイスであり得る。
【００２０】
第４の態様によれば、本願は、コンピュータ可読記憶媒体を提供する。コンピュータ可読記憶媒体は、通信デバイスにより実行されるプログラムコードを記憶する。プログラムコードは、第１の態様または第１の態様の可能な実装のいずれか１つにおける方法を実行するために用いられる命令を含む。
【００２１】
例えば、コンピュータ可読記憶媒体は、アクセスネットワークデバイス（例えば、基地局または端末デバイス）により実行されるプログラムコードを記憶し得る。プログラムコードは、第１の態様または第１の態様の可能な実装のいずれか１つにおける方法を実行するために用いられる命令を含む。
【００２２】
第５の態様によれば、本願は、命令を含むコンピュータプログラム製品を提供する。コンピュータプログラム製品が通信デバイス上で動作した場合、通信デバイスは、第１の態様または第１の態様の可能な実装のいずれか１つにおける方法のための命令を実行する。
【００２３】
例えば、コンピュータプログラム製品がアクセスネットワークデバイス（例えば、基地局または端末デバイス）上で動作した場合、アクセスネットワークデバイスまたは端末デバイスは、第１の態様または第１の態様の可能な実装のいずれか１つにおける方法のための命令を実行する。
【００２４】
第６の態様によれば、本願は、システムチップを提供する。システムチップは、入出力インタフェースおよび少なくとも１つのプロセッサを含む。少なくとも１つのプロセッサは、メモリにおける命令を呼び出して、第１の態様または第１の態様の可能な実装のいずれか１つにおける方法のオペレーションを実行するように構成される。
【００２５】
任意選択的に、システムチップは、少なくとも１つのメモリおよびバスをさらに含み得る。少なくとも１つのメモリは、プロセッサにより実行される命令を記憶するように構成される。
【００２６】
第７の態様によれば、本願は、通信システムを提供する。通信システムは、第３の態様における通信デバイスを含む。
【図面の簡単な説明】
【００２７】
【図１】本願の実施形態による通信方法が適用され得る通信システムの概略構造図である。
【００２８】
【図２】本願の実施形態によるＤＭＲＳパターンの概略図である。
【００２９】
【図３】本願の別の実施形態によるＤＭＲＳパターンの概略図である。
【００３０】
【図４】本願の別の実施形態によるＤＭＲＳパターンの概略図である。
【００３１】
【図５】本願の別の実施形態によるＤＭＲＳパターンの概略図である。
【００３２】
【図６】本願の実施形態による通信方法の概略フローチャートである。
【００３３】
【図７】本願の実施形態による通信装置の概略構造図である。
【００３４】
【図８】本願の実施形態による通信デバイスの概略構造図である。
【００３５】
【図９】本願の実施形態によるシステムチップの概略構造図である。
【００３６】
【図１０】本願お実施形態による通信システムの概略構造図である。
【発明を実施するための形態】
【００３７】
添付図面を参照して、以下では、通信装置が端末デバイスおよび基地局である例を用いて、本願における技術的解決手段を説明する。
【００３８】
図１は、本願の実施形態による通信方法が適用され得る通信システムの概略構造図である。本願の本実施形態は、図１に示されるシステムアーキテクチャに限定されないことを理解されたい。加えて、図１における装置は、ハードウェア、機能的に分割されたソフトウェア、またはそれらの組み合わせであり得る。
【００３９】
本願の本実施形態における通信方法が適用され得る通信システムは、基地局１１０およびＵＥ１２０を含み得ることが、図１から分かり得る。
【００４０】
基地局１１０の特定のタイプは、本願の本実施形態において限定されないことを理解されたい。異なる無線アクセス技術を用いるシステムでは、基地局機能を有するデバイスが、異なる名前を有し得る。説明を容易にするために、本願の全ての実施形態において、端末のために無線通信機能を提供する前述の装置は、基地局、例えば、さらなるネットワークにおける基地局デバイス、またはピコセル基地局デバイス（ｐｉｃｏ）と総称される。
【００４１】
基地局１１０は、限定されるものではないが、進化型ノードＢ（ｅｖｏｌｖｅｄ  Ｎｏｄｅ  Ｂ、ｅＮＢ）、無線ネットワークコントローラ（ｒａｄｉｏ  ｎｅｔｗｏｒｋ  ｃｏｎｔｒｏｌｌｅｒ、ＲＮＣ）、ノードＢ（Ｎｏｄｅ  Ｂ、ＮＢ）基地局コントローラ（ｂａｓｅ  ｓｔａｔｉｏｎ  ｃｏｎｔｒｏｌｌｅｒ、ＢＳＣ）、ベーストランシーバ基地局（ｂａｓｅ  ｔｒａｎｓｃｅｉｖｅｒ  ｓｔａｔｉｏｎ、ＢＴＳ）、ホーム基地局（例えば、ホーム進化型ノードＢまたはホームノードＢ、ＨＮＢ）、ベースバンドユニット（ｂａｓｅｂａｎｄ  ｕｎｉｔ、ＢＢＵ）、ワイヤレスフィディリティ（ｗｉｒｅｌｅｓｓ  ｆｉｄｅｌｉｔｙ、Ｗｉ−Ｆｉ）システムにおけるアクセスポイント（ａｃｃｅｓｓ  ｐｏｉｎｔ、ＡＰ）、無線リレーノード、無線バックホールノード、送信ポイント（送受信ポイント、ＴＲＰ、またはｔｒａｎｓｍｉｓｓｉｏｎ  ｐｏｉｎｔ、ＴＰ）等を含むか、または、ＮＲシステムなどの第５世代システムにおけるｇＮＢまたは送信ポイント（ＴＲＰまたはＴＰ）、第５世代システムにおける基地局の１つのアンテナパネルまたはアンテナパネルの１つのグループ（複数のアンテナパネルを含む）であり得るか、または、ベースバンドユニット（ＢＢＵ）または分散型ユニット（ＤＵ、ｄｉｓｔｒｉｂｕｔｅｄ  ｕｎｉｔ）などのｇＮＢまたは送信ポイントを形成するネットワークノードであり得る。
【００４２】
ＵＥ１２０は、無線アクセスネットワーク（ｒａｄｉｏ  ａｃｃｅｓｓ  ｎｅｔｗｏｒｋ、ＲＡＮ）を介して、１または複数のコアネットワークと通信し得る。ＵＥは、アクセス端末、端末デバイス、加入者ユニット、加入者局、移動局、モバイルコンソール、リモート局、リモート端末、モバイルデバイス、ユーザ端末、無線通信デバイス、ユーザエージェントまたはユーザ装置とも称され得る。ＵＥは、携帯電話、コードレス電話、セッション初期化プロトコル（ｓｅｓｓｉｏｎ  ｉｎｉｔｉａｔｉｏｎ  ｐｒｏｔｏｃｏｌ、ＳＩＰ）電話、無線ローカルループ（ｗｉｒｅｌｅｓｓ  ｌｏｃａｌ  ｌｏｏｐ、ＷＬＬ）局、パーソナルデジタルアシスタント（ｐｅｒｓｏｎａｌ  ｄｉｇｉｔａｌ  ａｓｓｉｓｔａｎｔ、ＰＤＡ）、無線通信機能を有するハンドヘルドデバイス、コンピューティングデバイス、無線モデムに接続された別のデバイス、車載デバイス、ウェアラブルデバイス、モノのインターネットまたは車両のインターネットにおける端末デバイス、将来のネットワークにおける任意の形態の端末デバイス等であり得る。
【００４３】
基地局１１０は、ＵＥ１２０とのデータ通信を実行する場合、ＵＥ１２０についてデータをスケジューリングし得る。例えば、基地局１１０は、シグナリングを介して、時間領域リソースおよび周波数領域リソースをＵＥ１２０に割り当て得る。時間領域リソースおよび周波数領域リソースは、時間−周波数リソースと総称され得る。
【００４４】
基地局１１０は、ＵＥ１２０についてデータをスケジューリングする場合、時間−周波数リソースの割り当てに加え、時間−周波数リソース上のＴＢＳを決定する必要がある。
【００４５】
ＴＢＳは、データブロックを送信するために用いられる、基地局によりスケジューリングされる時間−周波数リソース上のリソース要素（ｒｅｓｏｕｒｃｅ  ｅｌｅｍｅｎｔ、ＲＥ）の数量に基づいて計算され得る。
【００４６】
例えば、基地局は、ＵＥについてスケジューリングをスロット（ｓｌｏｔ）の形式で実行する場合、１つのスロットにおける１つのリソースブロック（ｒｅｓｏｕｒｃｅ  ｂｌｏｃｋ、ＲＢ）における、データブロックを送信するために用いられるＲＥの数量に基づいて、ＴＢＳを計算し得る。別の例では、ＲＥの数量に変調スキームが乗算され、次に、取得された結果にビットレートと層の数量とが乗算されて、ＴＢＳが取得され得る。
【００４７】
１つのスロットにおける１つのＲＢにおける、データブロックを送信するために用いられるＲＥの数量は、データを送信するためにスロットにおける１つのＲＢから割り当てられるＲＥの合計数量と、これらのＲＥにおける、復調基準信号により占有されるＲＥの数量と、これらのＲＥにおける、データチャネルを送信するために用いられることが不可能な他のＲＥの数量とを用いて計算され得る。データは、データチャネルを送信するために用いられるのが不可能なＲＥにはマッピングされ得ない。例えば、チャネル状態情報−基準信号（ｃｈａｎｎｅｌ  ｓｔａｔｅ  ｉｎｆｏｒｍａｔｉｏｎ−ｒｅｆｅｒｅｎｃｅ  ｓｉｇｎａｌ、ＣＳＩ−ＲＳ）により占有されるＲＥは、データチャネルを送信するためには用いられ得ない。
【００４８】
言い換えれば、ＴＢＳを決定するためには、データブロックを送信するために用いられるＲＥの数量がまず決定される必要があり、データブロックを送信するために用いられるＲＥの数量を決定するためには、復調基準信号により占有されるＲＥの数量がまず決定される必要がある。
【００４９】
本願における復調基準信号は、データ復調基準信号および／または位相トラッキング基準信号（ｐｈａｓｅ  ｔｒａｃｋｉｎｇ  ｒｅｆｅｒｅｎｃｅ  ｓｉｇｎａｌ、ＰＴＲＳ）を含み得る。データ復調基準信号（Ｄｅｍｏｄｕｌａｔｉｏｎ  Ｒｅｆｅｒｅｎｃｅ  Ｓｉｇｎａｌ、ＤＭＲＳ）は、データ復調のために用いられる基準信号であり得るか、またはデータチャネル推定のために用いられる基準信号であり得る。ＰＴＲＳは、位相トラッキングおよび／または位相推定のために用いられる基準信号であり得る。
【００５０】
基地局１１０とＵＥ１２０との間でダウンリンクデータブロック送信が実行される場合、基地局側では、基地局１１０が、復調基準信号と、ダウンリンクデータ送信をスケジューリングするために用いられるおよびダウンリンク制御情報（ｄｏｗｎ−ｌｉｎｋ  ｃｏｎｔｒｏｌ  ｉｎｆｏｒｍａｔｉｏｎ、ＤＣＩ）とをＵＥ１２０へ送信し、ＤＣＩによりスケジューリングされるリソースにおける、復調基準信号により占有されるＲＥの数量を決定し、当該数量に基づいてＴＢＳを計算し、ＴＢＳに基づいてデータブロックをＵＥ１２０へ送信し得て、端末側では、ＵＥ１２０が、ＤＣＩおよび復調基準信号を受信し、ＤＣＩによりスケジューリングされるリソースにおける、復調基準信号により占有されるＲＥの数量を決定し、当該数量に基づいてＴＢＳを計算し、ＴＢＳに基づいて、基地局１１０により送信されるデータブロックを受信し得る。
【００５１】
基地局１１０とＵＥ１２０との間でアップリンクデータブロックが送信される場合、基地局側では、基地局１１０が、アップリンクデータ送信をスケジューリングするために用いられるＤＣＩをＵＥへ送信し得て、端末側では、ＵＥ１２０が、復調基準信号を基地局１１０へ送信し、ＤＣＩによりスケジューリングされるリソースにおける、復調基準信号により占有されるＲＥの数量を決定し、当該数量に基づいてＴＢＳを計算し、ＴＢＳに基づいてアップリンクデータブロックを基地局１１０へ送信し得て、基地局側では、基地局１１０が、復調基準信号を受信し、ＤＣＩによりスケジューリングされるリソースにおける、復調基準信号により占有されるＲＥの数量を決定し、当該数量に基づいてＴＢＳを計算し、ＴＢＳに基づいて、ＵＥ１２０により送信されるアップリンクデータブロックを受信する。
【００５２】
本願の本実施形態において、復調基準信号により占有されるＲＥの数量は、ＤＣＩによりスケジューリングされるリソースにおける、復調基準信号を送信するために用いられることが可能なＲＥの数量であり得ることを理解されたい。言い換えれば、本願の本実施形態において、復調基準信号により占有されるＲＥの数量は、ＤＣＩによりスケジューリングされるリソースにおける、復調基準信号を送信するために実際に用いられるＲＥの数量以上であり得る。
【００５３】
例えば、ＤＣＩによりスケジューリングされるリソースは、復調基準信号を送信するために用いられ得る１２個のＲＥを含み得る。当該リソースにおける８個のＲＥのみが、復調基準信号を送信するために実際に用いられ得る。本願の本実施形態において、復調基準信号により占有されるＲＥの数量は、１２であり得る。
【００５４】
ＤＣＩは、データスケジューリングまたは信号伝送のために用いられる情報であり、略して、制御情報と称され得る。データスケジューリングは、アップリンクデータスケジューリングおよび／またはダウンリンクデータスケジューリングを含む。信号伝送は、信号送信および／または信号受信を含む。ＤＣＩは、上位層シグナリングを介して送信され得るか、または物理層シグナリングを介して送信され得る。このことは、本願において限定されない。
【００５５】
上位層シグナリングは、無線リソース制御（ｒａｄｉｏ  ｒｅｓｏｕｒｃｅ  ｃｏｎｔｒｏｌ、ＲＲＣ）シグナリング、媒体アクセス制御（ｍｅｄｉｕｍ  ａｃｃｅｓｓ  ｃｏｎｔｒｏｌ、ＭＡＣ）シグナリングまたは他の上位層シグナリングであり得る。
【００５６】
本願において提案される技術的解決手段は、主に、ＤＣＩによりスケジューリングされるリソースにおける、復調基準信号により占有されるＲＥの数量を決定するために基地局１１０およびユーザ機器１２０により用いられる方法を含む。
【００５７】
本願の本実施形態における方法において、復調基準信号により占有されるＲＥの数量と、以下の情報、つまり、ＤＣＩフォーマット、復調基準信号の構成タイプ、復調基準信号により占有されるシンボルの数量、復調基準信号により占有されるシンボルの位置、波形、ＤＣＩの無線ネットワーク一時識別子（ｒａｄｉｏ  ｎｅｔｗｏｒｋ  ｔｅｍｐｏｒａｒｙ  ｉｄｅｎｔｉｆｉｅｒ、ＲＮＴＩ）スクランブル方式、データチャネルタイプ、データブロックにより占有されるシンボルの数量、データブロックにより占有されるシンボルの位置のうちの少なくとも１つのタイプとの間で、対応関係が予め定義され得て、次に、当該対応関係は、基地局１１０およびＵＥ１２０に関して構成される。このように、少なくとも１つのタイプの情報を取得した後に、基地局１１０およびＵＥ１２０は、少なくとも１つのタイプの情報と当該対応関係とに基づいて、復調基準信号により占有されるＲＥの数量を取得し得る。
【００５８】
任意選択的に、波形は、チャネル波形であり得るか、または信号波形であり得る。例えば、チャネル波形は、物理アップリンクデータチャネルの波形、物理アップリンク制御チャネルの波形、物理ダウンリンクデータチャネルの波形または物理ダウンリンク制御チャネルの波形であり得る。例えば、信号波形は、復調基準信号の波形など、基準信号の波形であり得る。
【００５９】
任意選択的に、波形は、シングルキャリア波形またはマルチキャリア波形であり得る。任意選択的に、波形は、変換プリコーディング（ｔｒａｎｓｆｏｒｍ  ｐｒｅｃｏｄｉｎｇ）が有効化されているかどうか等を示すために用いられ得る。任意選択的に、波形は、サイクリックプレフィックス（ｃｙｃｌｉｃ  ｐｒｅｆｉｘ、ＣＰ）直交周波数分割多重化（ＯＦＤＭ）波形および／または離散フーリエ変換拡散直交周波数分割多重化（ｄｉｓｃｒｅｔｅ  Ｆｏｕｒｉｅｒ  ｔｒａｎｓｆｏｒｍ−ｓｐｒｅａｄ−ＯＦＤＭ  ＤＦＴ−ｓ−ＯＦＤＭ）波形を変換含み得る。
【００６０】
データブロックと復調基準信号とＤＣＩとの間の関係は、ＤＣＩは、データブロックをスケジューリングするために用いられるＤＣＩであり、復調基準信号は、データブロックを送信するために用いられる復調基準信号、またはＤＣＩによりスケジューリングされる時間−周波数リソース上で送信される復調基準信号である、というものである。
【００６１】
本願の本実施形態において、基地局１１０は、ＤＭＲＳに対応するアンテナポートが位置する符号分割多重化グループ（ｃｏｄｅ  ｄｉｖｉｓｉｏｎ  ｍｕｌｔｉｐｌｅｘｉｎｇ  （ｅｄ／ｉｎｇ）ｇｒｏｕｐ、ＣＤＭ  ｇｒｏｕｐ）についての情報をＵＥ１２０へ送信せず、ＵＥ１２０は、少なくとも１つのタイプの情報、および少なくとも１つのタイプの情報と復調基準信号により占有されるＲＥの数量との間の対応関係に基づいて、復調基準信号により占有されるＲＥの数量も決定し得る。
【００６２】
任意選択的に、ＵＥ１２０に関して構成される対応関係は、ＵＥ１２０により構成され得る、例えば、プロトコルに従って予め定義され得るか、または、ＵＥ１２０が基地局１１０から当該対応関係を受信した後に、ＵＥ１２０により構成され得る、例えば、基地局から受信されるシグナリングを介して決定され得る。
【００６３】
後続の説明を容易にするために、少なくとも１つのタイプの情報は、第１の情報と称される。言い換えれば、第１の情報は、以下の情報、つまり、ＤＣＩフォーマット、復調基準信号の構成タイプ、復調基準信号により占有されるシンボルの数量、波形、ＤＣＩのＲＮＴＩスクランブル方式、データブロックにより占有されるシンボルの数量およびデータブロックにより占有されるシンボルの位置のうちの少なくとも１つのタイプを含み得る。
【００６４】
後続の説明を容易にするために、復調基準信号により占有されるＲＥの数量は、復調基準信号ＲＥオーバヘッドと称されるか、または、簡潔に、復調基準信号オーバヘッドと称され得る。
【００６５】
例えば、復調基準信号により占有されるＲＥの数量が８である場合、これは、復調基準信号が８個のＲＥを占有することを示し、および／または、復調基準信号ＲＥオーバヘッド値が８である場合、これは、復調基準信号が８個のＲＥを占有することを示し、および／または、復調基準信号オーバヘッドが８である場合、これは、復調基準信号のオーバヘッドが８個のＲＥであることを示す。
【００６６】
任意選択的に、本願の本実施形態において、第１の情報と復調基準信号ＲＥオーバヘッドとの間の対応関係が、予め定義される。任意選択的な方式は、第１の情報について固定の復調基準信号ＲＥオーバヘッド値を構成すること、または、第１の情報について構成される復調基準信号ＲＥオーバヘッド値を固定値に設定することを含む。
【００６７】
例えば、ＤＣＩフォーマットでは、復調基準信号ＲＥオーバヘッド値が、固定値４に設定され得る。具体的には、ＤＣＩフォーマットがＤＣＩフォーマット１＿０である場合、ＤＭＲＳ  ＲＥオーバヘッド値は４であることが、予め定義され得る。これは、復調基準信号ＲＥオーバヘッド値が、ＤＣＩフォーマット１＿０では４に固定されることを示し得る。
【００６８】
例えば、ＤＣＩフォーマットがＤＣＩフォーマット０＿０である場合、ＤＭＲＳ  ＲＥオーバヘッド値は６であることが、予め定義される。これは、復調基準信号ＲＥオーバヘッド値が、ＤＣＩフォーマット０＿０では６に固定されることを示し得る。
【００６９】
任意選択的に、本願の本実施形態において、残余最小システム情報（ｒｅｍａｉｎｉｎｇ  ｍｉｎｉｍｕｍ  ｓｙｓｔｅｍ  ｉｎｆｏｒｍａｔｉｏｎ、ＲＭＳＩ）を受信するために、ＵＥは、無線リソース制御（ｒａｄｉｏ  ｒｅｓｏｕｒｃｅ  ｃｏｎｔｒｏｌ、ＲＲＣ）構成情報を受信しなかった場合、ＤＭＲＳを送信するために実際に用いられるＲＥの数量に基づいて、復調基準信号ＲＥオーバヘッドを決定し得る。例えば、復調基準信号ＲＥオーバヘッド値は、固定値４に設定され得る。
【００７０】
任意選択的に、本願の本実施形態において、ＤＣＩフォーマットがＤＣＩフォーマット１＿０またはＤＣＩフォーマット０＿０である場合にスケジューリングされるユニキャスト（ｕｎｉｃａｓｔ）データについては、通常はこの方式でスケジューリングされるデータが、１つの層におけるただ１つのアンテナポートで送信され得る。従って、ＲＲＣパラメータがＵＥについて構成される、例えば、当該ＲＲＣパラメータが、ダウンリンクＤＭＲＳ構成タイプ（例えば、ＤＬ−ＤＭＲＳ−ｃｏｎｆｉｇ−ｔｙｐｅ）、ダウンリンクＤＭＲＳ最大長さ（例えば、ＤＬ−ＤＭＲＳ−ｍａｘ−ｌｅｎ）、アップリンクＤＭＲＳ構成タイプ（例えば、ＵＬ−ＤＭＲＳ−ｃｏｎｆｉｇ−ｔｙｐｅ）および／またはアップリンクＤＭＲＳ最大長さ（例えば、ＵＬ−ＤＭＲＳ−ｍａｘ−ｌｅｎ）であり得る場合、ＵＥは、前述の構成されたＲＲＣパラメータのうちの少なくとも１つに基づいて、復調基準信号ＲＥオーバヘッド値を決定し得る。任意選択的に、より単純かつより均一なシステムの設計および実装を考慮して、同じＤＣＩフォーマットでスケジューリングされるデータ送信には、同じＤＭＲＳ  ＲＥオーバヘッドが用いられ得る。例えば、同じＤＣＩフォーマットは、ＤＣＩフォーマット０＿０またはＤＣＩフォーマット１＿０であり得る。可能な方式において、ＤＣＩフォーマット０＿０またはＤＣＩフォーマット１＿０でスケジューリングされるデータ送信では、各物理リソースブロック（ｐｈｙｓｉｃａｌ  ｒｅｓｏｕｒｃｅ  ｂｌｏｃｋ、ＰＲＢ）上の復調基準信号のＲＥオーバヘッド値は、固定値、例えば、４または６に設定される。
【００７１】
本願の本実施形態における方法において、任意選択的に、第１の情報は、復調基準信号ＲＥオーバヘッドと一対一の対応関係にあり得る。このように、基地局１１０およびＵＥ１２０は、第１の情報を取得することのみにより、第１の情報と復調基準信号ＲＥオーバヘッド値との間の対応関係に基づいて、復調基準信号ＲＥオーバヘッド値を取得し得る。
【００７２】
以下では、第１の情報と復調基準信号ＲＥオーバヘッド値との間の対応関係をどのように予め定義するか、言い換えれば、第１の情報のタイプに対応する復調基準信号により占有されるＲＥの具体的な数量をどのように予め定義するかを説明する。第１の情報と復調基準信号ＲＥオーバヘッド値との間の対応関係は、以下の方式のうちの少なくとも１つを含み得る。
【００７３】
可能な設計方式において、第１の情報は、ＤＣＩフォーマット（ｆｏｒｍａｔ）を含む。言い換えれば、基地局および／またはＵＥは、ＤＣＩフォーマットに基づいて、復調基準信号により占有されるＲＥの、ＤＣＩフォーマットに対応する数量を取得し得る。ＤＣＩフォーマットと復調基準信号により占有されるＲＥの数量との間には、対応関係が存在する。
【００７４】
任意選択的に、１または複数のＤＣＩフォーマットとＤＭＲＳ  ＲＥオーバヘッド値との間の対応関係が、予め定義され得る。ＤＣＩとＤＭＲＳ  ＲＥオーバヘッド値との間の対応関係は、基地局上で予め構成され得て、ＵＥ上でも予め構成され得るか、または、シグナリングが基地局から受信された後に、シグナリングに基づいて構成され得る。
【００７５】
任意選択的に、ダウンリンク制御情報フォーマットは、ダウンリンク制御情報の異なる機能を区別するために用いられ得るか、またはダウンリンク制御情報のコンテンツおよび／またはビット数量を区別するために用いられ得る。
【００７６】
任意選択的に、ダウンリンク制御情報の異なる機能は、アップリンクデータをスケジューリングするために用いられる制御情報またはダウンリンクデータをスケジューリングするために用いられる制御情報、フォールバックモードにおける制御情報または通常モードにおける制御情報、短縮制御情報または通常制御情報、単一コードワードスケジューリングのために用いられる制御情報またはマルチコードワードスケジューリングのために用いられる制御情報および／または開ループデータスケジューリングのために用いられる制御情報または閉ループデータスケジューリングのために用いられる制御情報等を示し得る。
【００７７】
例えば、フォーマット１＿０は、ダウンリンクデータをスケジューリングするために用いられる制御情報のフォーマットであり得て、フォーマット０＿０は、アップリンクデータをスケジューリングするために用いられる制御情報のフォーマットであり得る。
【００７８】
例えば、フォーマット１＿０は、ダウンリンクデータをフォールバックモードでスケジューリングするために用いられる制御情報のフォーマット、ダウンリンクデータを短縮モードでスケジューリングするために用いられる制御情報のフォーマット、および／またはダウンリンクデータをスケジューリングするために用いられる、比較的少ない数量のビットを占有する制御情報のフォーマットであり、フォーマット１＿１は、ダウンリンクデータを通常モードでスケジューリングするために用いられる制御情報のフォーマット、および／またはダウンリンクデータをスケジューリングするために用いられる、比較的多い数量のビットを占有する制御情報のフォーマットである。
【００７９】
例えば、フォーマット０＿０は、アップリンクデータをフォールバックモードでスケジューリングするために用いられる制御情報のフォーマット、アップリンクデータを短縮モードでスケジューリングするために用いられる制御情報のフォーマット、および／またはアップリンクデータをスケジューリングするために用いられる、比較的少ない数量のビットを占有する制御情報のフォーマットであり、フォーマット０＿１は、アップリンクデータを通常モードでスケジューリングするために用いられる制御情報のフォーマット、および／またはアップリンクデータをスケジューリングするために用いられる、比較的多い数量のビットを占有する制御情報のフォーマットである。
【００８０】
例えば、ＤＣＩフォーマットがフォールバック（ｆａｌｌｂａｃｋ）ＤＣＩフォーマット（ｆｏｒｍａｔ）である場合、ＤＭＲＳ  ＲＥオーバヘッド値はＸであり、Ｘは整数であることが、予め定義され得る。
【００８１】
例えば、ＤＣＩフォーマットがＤＣＩフォーマット０＿０またはＤＣＩフォーマット１＿０である場合、ＤＭＲＳ  ＲＥオーバヘッドはＸであることが、予め定義され得る。任意選択的に、Ｘの値は、４、６、８、１２、１６、２４等のいずれか１つであり得る。
【００８２】
任意選択的に、アップリンクデータ送信をスケジューリングするために用いられるＤＣＩのフォーマットについて予め定義されるＤＭＲＳ  ＲＥオーバヘッドは、ダウンリンクデータ送信をスケジューリングするために用いられるＤＣＩのフォーマットについて予め定義されるＤＭＲＳ  ＲＥオーバヘッドと同じであり得る。
【００８３】
例えば、ＤＣＩフォーマットがＤＣＩフォーマット１＿０である場合、ＤＭＲＳ  ＲＥオーバヘッド値は４であり、または、ＤＣＩフォーマットがＤＣＩフォーマット０＿０である場合、ＤＭＲＳ  ＲＥオーバヘッド値は４であることが、予め定義され得る。
【００８４】
例えば、ＤＣＩフォーマットがＤＣＩフォーマット１＿０である場合、ＤＭＲＳ  ＲＥオーバヘッド値は６であり、または、ＤＣＩフォーマットがＤＣＩフォーマット０＿０である場合、ＤＭＲＳ  ＲＥオーバヘッド値は６であることが、予め定義され得る。
【００８５】
任意選択的に、アップリンクデータ送信をスケジューリングするために用いられるＤＣＩのフォーマットについて予め定義されるＤＭＲＳ  ＲＥオーバヘッドは、ダウンリンクデータ送信をスケジューリングするために用いられるＤＣＩのフォーマットについて予め定義されるＤＭＲＳ  ＲＥオーバヘッドとは異なり得る。例えば、ＤＣＩフォーマットがダウンリンクデータ送信をスケジューリングするために用いられるＤＣＩのフォーマットである場合、ＤＭＲＳ  ＲＥオーバヘッド値はＸ１であり、または、ＤＣＩフォーマットがアップリンクデータ送信をスケジューリングするために用いられるＤＣＩのフォーマットである場合、ＤＭＲＳ  ＲＥオーバヘッド値はＸ２であり、Ｘ１およびＸ２の両方は整数であることが、予め定義され得る。Ｘ１および／またはＸ２の値は、４、６、８、１２、１６、２４等のいずれか１つであり得る。
【００８６】
例えば、ＤＣＩフォーマットがＤＣＩフォーマット１＿０である場合、ＤＭＲＳ  ＲＥオーバヘッド値は４であり、または、ＤＣＩフォーマットがＤＣＩフォーマット０＿０である場合、ＤＭＲＳ  ＲＥオーバヘッド値は６であることが、予め定義され得る。任意選択的に、複数のＤＭＲＳ  ＲＥオーバヘッドが、代替的に、同じＤＣＩフォーマットについて予め定義され得る。この場合、基地局１１０は、シグナリングを介して、複数の値のうちのどれがＴＢＳの計算に用いられるべきかをＵＥ１２０に通知し得る。
【００８７】
例えば、同じＤＣＩフォーマットについて予め定義されるＤＭＲＳ  ＲＥオーバヘッド値は、４、６、８、１２等を含む。基地局１１０は、上位層シグナリングまたは物理層シグナリングを介して、ＤＭＲＳ  ＲＥオーバヘッド値６がＴＢＳの計算に用いられることをＵＥ１２０に通知する。
【００８８】
任意選択的に、１つのダウンリンク制御情報フォーマットとＤＭＲＳ  ＲＥオーバヘッドとの間の複数の対応関係が、予め定義され得る。基地局は、シグナリングを介して、どの対応関係がＴＢＳの計算に用いられるべきかをＵＥに通知し得る。
【００８９】
例えば、フォーマット０＿０とＤＭＲＳ  ＲＥオーバヘッド値との間の対応関係は、
対応関係ｘ１：フォーマット０＿０がＤＭＲＳ  ＲＥオーバヘッド値４に対応する、
対応関係ｘ２：フォーマット０＿０がＤＭＲＳ  ＲＥオーバヘッド値６に対応する、
対応関係ｘ３：フォーマット０＿０がＤＭＲＳ  ＲＥオーバヘッド値８に対応する、および、
対応関係ｘ４：フォーマット０＿０がＤＭＲＳ  ＲＥオーバヘッド値１２に対応する
のうちの少なくとも１つを含み得る。
【００９０】
基地局は、上位層シグナリングおよび／または物理層シグナリングを介して、フォーマット０＿０とＤＭＲＳ  ＲＥオーバヘッド値との間の複数の対応関係のうちのどれがＤＭＲＳ  ＲＥオーバヘッド値の決定に用いられ得るかをＵＥに通知し得る。
【００９１】
例えば、「００」は対応関係ｘ１を表し、「０１」は対応関係ｘ２を表し、「１０」は対応関係ｘ３を表し、「１１」は対応関係ｘ４を表す。
【００９２】
例えば、フォーマット１＿０とＤＭＲＳ  ＲＥオーバヘッド値との間の対応関係は、
対応関係ｘ１'：フォーマット１＿０がＤＭＲＳ  ＲＥオーバヘッド値４に対応する、
対応関係ｘ２'：フォーマット１＿０がＤＭＲＳ  ＲＥオーバヘッド値６に対応する、
対応関係ｘ３'：フォーマット１＿０がＤＭＲＳ  ＲＥオーバヘッド値８に対応する、および、
対応関係ｘ４'：フォーマット１＿０がＤＭＲＳ  ＲＥオーバヘッド値８に対応する
のうちの少なくとも１つを含み得る。
【００９３】
基地局は、上位層シグナリングおよび／または物理層シグナリングを介して、フォーマット１＿０とＤＭＲＳ  ＲＥオーバヘッド値との間の複数の対応関係のうちのどれがＤＭＲＳ  ＲＥオーバヘッド値の決定に用いられ得るかをＵＥに通知し得る。
【００９４】
例えば、「００」は対応関係ｘ１'を表し、「０１」は対応関係ｘ２'を表し、「１０」は対応関係ｘ３'を表し、「１１」は対応関係ｘ４'を表す。
【００９５】
可能な設計方式において、第１の情報は、復調基準信号の構成タイプ（ｃｏｎｆｉｇｕｒａｔｉｏｎ  ｔｙｐｅ）を含む。具体的には、基地局およびＵＥは、復調基準信号の構成タイプに基づいて、復調基準信号の構成タイプに対応する、復調基準信号により占有されるリソース要素の数量を取得し得る。復調基準信号の構成タイプと復調基準信号により占有されるリソース要素の数量との間には、対応関係が存在する。
【００９６】
任意選択的に、復調基準信号の構成タイプは、復調基準信号のパターンタイプおよび／または復調基準信号のタイプを示すために用いられる。
【００９７】
任意選択的に、当該パターンタイプは、シングルキャリアパターンパターンもしくはマルチキャリアパターンであり得るか、または櫛状パターンもしくはＲＥパターンであり得る。例えば、タイプ１は、櫛状パターンまたはシングルキャリアパターンに対応し、タイプ２は、マルチキャリアパターンに対応する。
【００９８】
任意選択的に、復調基準信号のタイプは、シングルキャリア復調基準信号またはマルチキャリア復調基準信号であり得る。例えば、タイプ１は、シングルキャリア復調基準信号に対応し、タイプ２は、マルチキャリア復調基準信号に対応する。
【００９９】
例えば、ＤＭＲＳ構成タイプとＤＭＲＳ  ＲＥオーバヘッドとの間の１または複数の対応関係が、予め定義され得る。
【０１００】
例えば、基地局１１０は、上位層シグナリングにおいて、パラメータ「ＤＭＲＳ−ｃｏｎｆｉｇ−ｔｙｐｅ」を用いて、ＤＭＲＳ構成タイプをＵＥ１２０に通知し得る。
【０１０１】
ＤＬ−ＤＭＲＳ−ｃｏｎｆｉｇ−ｔｙｐｅまたはＵＬ−ＤＭＲＳ−ｃｏｎｆｉｇ−ｔｙｐｅは、ＤＭＲＳ構成タイプ１およびＤＭＲＳ構成タイプ２を含む、ＤＭＲＳのタイプを示すために用いられ得る、言い換えれば、ＤＭＲＳパターンについての情報を示すために実際に用いられ得る。
【０１０２】
任意選択的に、ＤＭＲＳ構成タイプ１に対応するパターンが図２に示されており、ＤＭＲＳ構成タイプ２に対応するパターンが図３に示され得る。図２および図３において、斜線があるグリッドは、ＤＭＲＳにより占有されるＲＥを表す。
【０１０３】
図２では、１個のＲＢが１２個のサブキャリアおよび７個のシンボルを含み、ＤＭＲＳが、３番目のシンボルにおける１番目、３番目、５番目、７番目、９番目および１１番目のＲＥを占有する。
【０１０４】
図３では、１個のＲＢが１２個のサブキャリアおよび７個のシンボルを含み、ＤＭＲＳが、３番目のシンボルにおける１番目、２番目、７番目および８番目のＲＥを占有する。
【０１０５】
任意選択的に、ＤＭＲＳ構成タイプは、アップリンクＤＭＲＳ構成タイプおよびダウンリンクＤＭＲＳ構成タイプに分類され得る。アップリンクＤＭＲＳ構成タイプおよびダウンリンクＤＭＲＳ構成タイプはそれぞれ、パラメータ「ＵＬ−ＤＭＲＳ−ｃｏｎｆｉｇ−ｔｙｐｅ」およびパラメータ「ＤＬ−ＤＭＲＳ−ｃｏｎｆｉｇ−ｔｙｐｅ」を用いて示され得るか、もしくは同じパラメータを用いて示され得るか、または、ＤＭＲＳの構成タイプは、予め定義された方式または別の方式で決定され得る。このことは、本願において限定されない。
【０１０６】
アップリンクＤＭＲＳ構成タイプがパラメータ「ＵＬ−ＤＭＲＳ−ｃｏｎｆｉｇ−ｔｙｐｅ」を用いて示され、ダウンリンクＤＭＲＳ構成タイプがパラメータ「ＤＬ−ＤＭＲＳ−ｃｏｎｆｉｇ−ｔｙｐｅ」を用いて示される例が、以下で説明のために用いられる。
【０１０７】
例えば、ＵＬ−ＤＭＲＳ−ｃｏｎｆｉｇ−ｔｙｐｅ＝１またはＤＬ−ＤＭＲＳ−ｃｏｎｆｉｇ−ｔｙｐｅ＝１である場合、ＤＭＲＳ  ＲＥオーバヘッド値はＹ１であり、または、ＵＬ−ＤＭＲＳ−ｃｏｎｆｉｇ−ｔｙｐｅ＝２またはＤＬ−ＤＭＲＳ−ｃｏｎｆｉｇ−ｔｙｐｅ＝２である場合、ＤＭＲＳ  ＲＥオーバヘッド値はＹ２であり、Ｙ１およびＹ２は整数であることが、予め定義され得る。
【０１０８】
任意選択的に、Ｙ１および／またはＹ２は、４，６、８、１２、１６、２４等のうちの任意の値であり得る。
【０１０９】
任意選択的に基地局１１０および／またはＵＥ１２０により送信されるＤＭＲＳは、単一アンテナポート（ｐｏｒｔ）上でのみ送信され得る。この場合、ＤＭＲＳ構成タイプ１では、１個のアンテナポートが６個のＲＥに対応し得て、ＤＭＲＳ構成タイプ２では、１個のアンテナポートが４個のＲＥに対応し得る。従って、ＵＬ−ＤＭＲＳ−ｃｏｎｆｉｇ−ｔｙｐｅ＝１またはＤＬ−ＤＭＲＳ−ｃｏｎｆｉｇ−ｔｙｐｅ＝１である場合、ＤＭＲＳ  ＲＥオーバヘッド値は６であり、または、ＵＬ−ＤＭＲＳ−ｃｏｎｆｉｇ−ｔｙｐｅ＝２またはＤＬ−ＤＭＲＳ−ｃｏｎｆｉｇ−ｔｙｐｅ＝２である場合、ＤＭＲＳ  ＲＥオーバヘッド値は４であることが、予め定義され得る。
【０１１０】
構成パラメータＵＬ−ＤＭＲＳ−ｃｏｎｆｉｇ−ｔｙｐｅが１であるか、または構成パラメータＤＬ−ＤＭＲＳ−ｃｏｎｆｉｇ−ｔｙｐｅが１である場合、ＤＭＲＳ構成タイプはＤＭＲＳ構成タイプ１（ＤＭＲＳ  ｃｏｎｆｉｇｕｒａｔｉｏｎ  ｔｙｐｅ  １）であり、または、構成パラメータＵＬ−ＤＭＲＳ−ｃｏｎｆｉｇ−ｔｙｐｅが２であるか、または構成パラメータＤＬ−ＤＭＲＳ−ｃｏｎｆｉｇ−ｔｙｐｅが２である場合、ＤＭＲＳ構成タイプは、ＤＭＲＳ構成タイプ２（ＤＭＲＳ  ｃｏｎｆｉｇｕｒａｔｉｏｎ  ｔｙｐｅ  ２）である。
【０１１１】
アンテナポートは、論理アンテナであり、１個のアンテナポートが、１つの層におけるデータ送信に対応し得る。
【０１１２】
任意選択的に、１個のアンテナポートが、１または複数の物理アンテナに対応し得る。
【０１１３】
任意選択的に、アンテナポートは、アンテナポートでシンボルが伝達されるチャネルは、アンテナポートにおける別のシンボルが伝達されるチャネルを用いて推測され得る、と定義される。例えば、同じアンテナポートにおける異なるシンボルが伝達されるチャネルは、同じであり得るか、線形関係を有し得るか、または、異なるアルゴリズムを用いて取得され得る。具体的な推測方式は、本願において限定されない。
【０１１４】
１個のアンテナポートが６個のＲＥに対応することは、１個のアンテナポートの復調基準信号が６個のＲＥを占有すること、または、１個のアンテナポートの復調基準信号が６個のＲＥ上で送信されることであり得る。
【０１１５】
任意選択的に、Ｙ１および／またはＹ２は、複数の値を有し得る。Ｙ１および／またはＹ２が複数の値を有する場合、基地局１１０は、シグナリングを介して、複数の値のうちのどれがＤＭＲＳ  ＲＥオーバヘッド値であるかをＵＥ１２０に通知し得る。
【０１１６】
例えば、Ｙ１は６、１２、１８、２４等のうちの少なくとも１つであり得ることが、予め定義される。この場合、基地局１１０は、シグナリングを介して、具体的に、６、１２、１８および２４のうちのどれがＤＭＲＳ  ＲＥオーバヘッド値であるかをＵＥ１２０に通知し得る。
【０１１７】
例えば、Ｙ２は４、８、１２、１６、２０、２４等のうちの少なくとも１つであり得ることが、予め定義される。この場合、基地局１１０は、シグナリングを介して、具体的に、４、８、１２、１６、２０または２４のうちのどれがＤＭＲＳ  ＲＥオーバヘッド値であるかをＵＥ１２０に通知し得る。
【０１１８】
任意選択的に、１つのＤＭＲＳ構成タイプとＤＭＲＳ  ＲＥオーバヘッドとの間の複数の対応関係が、予め定義され得る。基地局は、シグナリングを介して、どの対応関係がＴＢＳの計算に用いられるべきかをＵＥに通知し得る。
【０１１９】
例えば、ＤＭＲＳ構成タイプ１とＤＭＲＳ  ＲＥオーバヘッド値との間の対応関係は、
対応関係ｙ１：ＤＭＲＳ構成タイプ１がＤＭＲＳ  ＲＥオーバヘッド値６に対応する、
対応関係ｙ２：ＤＭＲＳ構成タイプ１がＤＭＲＳ  ＲＥオーバヘッド値１２に対応する、
対応関係ｙ３：ＤＭＲＳ構成タイプ１がＤＭＲＳ  ＲＥオーバヘッド値１８に対応する、および、
対応関係ｙ４：ＤＭＲＳ構成タイプ１がＤＭＲＳ  ＲＥオーバヘッド値２４に対応する
のうちの少なくとも１つを含み得る。
【０１２０】
基地局は、上位層シグナリングおよび／または物理層シグナリングを介して、ＤＭＲＳ構成タイプ１とＤＭＲＳ  ＲＥオーバヘッド値との間の複数の対応関係のうちのどれがＤＭＲＳ  ＲＥオーバヘッド値の決定に用いられ得るかをＵＥに通知し得る。
【０１２１】
例えば、「００」は対応関係ｙ１を表し、「０１」は対応関係ｙ２を表し、「１０」は対応関係ｙ３を表し、「１１」は対応関係ｙ４を表す。
【０１２２】
例えば、ＤＭＲＳ構成タイプ２とＤＭＲＳ  ＲＥオーバヘッド値との間の対応関係は、
対応関係ｙ１'：ＤＭＲＳ構成タイプ２がＤＭＲＳ  ＲＥオーバヘッド値４に対応する、
対応関係ｙ２'：ＤＭＲＳ構成タイプ２がＤＭＲＳ  ＲＥオーバヘッド値８に対応する、
対応関係ｙ３'：ＤＭＲＳ構成タイプ２がＤＭＲＳ  ＲＥオーバヘッド値１２に対応する、および、
対応関係ｙ４'：ＤＭＲＳ構成タイプ２がＤＭＲＳ  ＲＥオーバヘッド値１６に対応する
のうちの少なくとも１つを含み得る。
【０１２３】
基地局は、上位層シグナリングおよび／または物理層シグナリングを介して、ＤＭＲＳ構成タイプ２とＤＭＲＳ  ＲＥオーバヘッド値との間の複数の対応関係のうちのどれがＤＭＲＳ  ＲＥオーバヘッド値の決定に用いられ得るかをＵＥに通知し得る。
【０１２４】
例えば、「００」は対応関係ｙ１'を表し、「０１」は対応関係ｙ２'を表し、「１０」は対応関係ｙ３'を表し、「１１」は対応関係ｙ４'を表す。
【０１２５】
任意選択的に、異なるＵＥのＤＭＲＳは、符号分割ベース（すなわち、直交シーケンス）であり得るか、または時間−周波数分割ベースであり得る（言い換えれば、異なるＵＥのＤＭＲＳにより占有されるＲＥの位置は異なる）。異なるＵＥのＤＭＲＳが時間−周波数分割ベースである場合、ＵＥのＤＭＲＳ間の干渉を低減するために、データ信号は、ＵＥのＤＭＲＳにより占有されるＲＥのいずれにもマッピングされない。言い換えれば、ＵＥのＤＭＲＳにより占有されるＲＥは全て、データマッピングが実行される場合にバイパスされる必要がある。この場合、予め定義されたＤＭＲＳ  ＲＥオーバヘッド値は、全てのＵＥのＤＭＲＳ  ＲＥオーバヘッド値の和であるべきである。
【０１２６】
例えば、基地局１１０は、アンテナポート１０００でＤＭＲＳをＵＥ１へ送信し、アンテナポート１００１でＤＭＲＳをＵＥ２へ送信し、アンテナポート１００２でＤＭＲＳをＵＥ３へ送信し、アンテナポート１００３でＤＭＲＳをＵＥ４へ送信する。ＵＥ１およびＵＥ２のＤＭＲＳは符号分割ベースであり、ＵＥ３およびＵＥ４のＤＭＲＳは符号分割ベースである。ＵＥ１およびＵＥ３のＤＭＲＳは時間−周波数分割ベースであり、ＵＥ２およびＵＥ４のＤＭＲＳは時間−周波数分割ベースである。ＵＥのＤＭＲＳ間の相互干渉を回避するために、アンテナポート１０００、１００１、１００２および１００３の合計ＤＭＲＳ  ＲＥオーバヘッドは、ＵＥのデータに対してリソースマッピングが実行される場合にバイパスされる必要がある。
【０１２７】
例えば、ＵＬ−ＤＭＲＳ−ｃｏｎｆｉｇ−ｔｙｐｅ＝１またはＤＬ−ＤＭＲＳ−ｃｏｎｆｉｇ−ｔｙｐｅ＝１である場合、（ＤＭＲＳ構成タイプ１では、１個のアンテナポートが６個のＲＥに対応し得るので）ＤＭＲＳ  ＲＥオーバヘッド値は１２であり、または、ＵＬ−ＤＭＲＳ−ｃｏｎｆｉｇ−ｔｙｐｅ＝２またはＤＬ−ＤＭＲＳ−ｃｏｎｆｉｇ−ｔｙｐｅ＝２である場合、（ＤＭＲＳ構成タイプ２では、１個のアンテナポートが４個のＲＥに対応し得るので）ＤＭＲＳ  ＲＥオーバヘッド値は８であることが、予め定義され得る。
【０１２８】
可能な設計方式において、第１の情報は、復調基準信号の構成タイプと、復調基準信号により占有されるシンボルの数量とを含む。具体的には、復調基準信号の構成タイプに対応する、復調基準信号により占有されるリソース要素の数量と、復調基準信号により占有されるシンボルの数量とは、復調基準信号の構成タイプと、復調基準信号により占有されるシンボルの数量とに基づいて取得され得る。復調基準信号の構成タイプがある復調基準信号により占有されるリソース要素の数量と、復調基準信号により占有されるシンボルの数量とには、対応関係が存在する。
【０１２９】
任意選択的に、復調基準信号により占有されるシンボルの数量は、ＤＭＲＳにより占有されるシンボルの数、ＤＭＲＳが位置するリソースのシンボルの数量、またはＤＭＲＳが位置するリソースのシンボルの数であり得る。例えば、ＤＭＲＳは、１個のシンボルを占有し得るか、または２個のシンボルを占有し得る。
【０１３０】
任意選択的に、第１の情報は、ＤＭＲＳ構成タイプと、ＤＭＲＳにより占有されるシンボルの数量とを含み得る。例えば、ＤＭＲＳ  ＲＥオーバヘッド値と、パラメータＤＭＲＳ−ｃｏｎｆｉｇ−ｔｙｐｅおよびＤＭＲＳ−ｍａｘ−ｌｅｎとの間の対応関係が、予め定義され得る。
【０１３１】
ＤＬ−ＤＭＲＳ−ｍａｘ−ｌｅｎまたはＵＬ−ＤＭＲＳ−ｍａｘ−ｌｅｎは、ＤＭＲＳにより占有されるＯＦＤＭシンボルの最大数、例えば、１または２を示すために用いられ得る。任意選択的に、ＤＬ−ＤＭＲＳ−ｍａｘ−ｌｅｎまたはＵＬ−ＤＭＲＳ−ｍａｘ−ｌｅｎは、フロントローディングＤＭＲＳまたは基本ＤＭＲＳにより占有されるシンボルの数のみを示すために用いられ得る。
【０１３２】
例えば、ＵＬ−ＤＭＲＳ−ｃｏｎｆｉｇ−ｔｙｐｅ＝１、かつ、ＵＬ−ＤＭＲＳ−ｍａｘ−ｌｅｎ＝１であるか、または、ＤＬ−ＤＭＲＳ−ｃｏｎｆｉｇ−ｔｙｐｅ＝１、かつ、ＤＬ−ＤＭＲＳ−ｍａｘ−ｌｅｎ＝１である場合、ＤＭＲＳ  ＲＥオーバヘッド値はＺ１であり、Ｚ１は整数であることが、予め定義され得る。
【０１３３】
例えば、ＵＬ−ＤＭＲＳ−ｃｏｎｆｉｇ−ｔｙｐｅ＝１、かつ、ＵＬ−ＤＭＲＳ−ｍａｘ−ｌｅｎ＝２であるか、または、ＤＬ−ＤＭＲＳ−ｃｏｎｆｉｇ−ｔｙｐｅ＝１、かつ、ＤＬ−ＤＭＲＳ−ｍａｘ−ｌｅｎ＝２である場合、ＤＭＲＳ  ＲＥオーバヘッド値はＺ２であり、Ｚ２は整数であることが、予め定義され得る。
【０１３４】
例えば、ＵＬ−ＤＭＲＳ−ｃｏｎｆｉｇ−ｔｙｐｅ＝２、かつ、ＵＬ−ＤＭＲＳ−ｍａｘ−ｌｅｎ＝１であるか、または、ＤＬ−ＤＭＲＳ−ｃｏｎｆｉｇ−ｔｙｐｅ＝２、かつ、ＤＬ−ＤＭＲＳ−ｍａｘ−ｌｅｎ＝１である場合、ＤＭＲＳ  ＲＥオーバヘッド値はＺ３であり、Ｚ３は整数であることが、予め定義され得る。
【０１３５】
例えば、ＵＬ−ＤＭＲＳ−ｃｏｎｆｉｇ−ｔｙｐｅ＝２、かつ、ＵＬ−ＤＭＲＳ−ｍａｘ−ｌｅｎ＝２であるか、または、ＤＬ−ＤＭＲＳ−ｃｏｎｆｉｇ−ｔｙｐｅ＝２、かつ、ＤＬ−ＤＭＲＳ−ｍａｘ−ｌｅｎ＝２である場合、ＤＭＲＳ  ＲＥオーバヘッド値はＺ４であり、Ｚ４は整数であることが、予め定義され得る。
【０１３６】
任意選択的に、Ｚ１、Ｚ２、Ｚ３およびＺ４の値は、同じであり得るか、または異なり得る。このことは、具体的には限定されない。Ｚ１、Ｚ２、Ｚ３およびＺ４のいずれか１つの値は、４、６、８、１２、１６、１８、２４等であり得る。
【０１３７】
任意選択的に、ＵＬ−ＤＭＲＳ−ｃｏｎｆｉｇ−ｔｙｐｅ、ＤＬ−ＤＭＲＳ−ｃｏｎｆｉｇ−ｔｙｐｅ、ＵＬ−ＤＭＲＳ−ｍａｘ−ｌｅｎおよび／またはＤＬ−ＤＭＲＳ−ｍａｘ−ｌｅｎは、基地局１１０により上位層シグナリングを介してＵＥ１２０へ通知され得るか、またはＵＥ１２０上で予め構成され得る。このことは、本明細書において限定されない。
【０１３８】
任意選択的に、フォールバックモードでは、または、ＤＣＩフォーマット０＿０および／またはＤＣＩフォーマット１＿０では、アップリンクＤＭＲＳおよび／またはダウンリンクＤＭＲＳは、単一のアンテナポートでのみ送信され得る。この場合において、ＤＭＲＳの構成タイプがＤＭＲＳ構成タイプ１であり、ＤＭＲＳにより占有されるシンボルの数量が１であるとき、１個のアンテナポートが６個のＲＥに対応し得ると共に、ＵＬ−ＤＭＲＳ−ｃｏｎｆｉｇ−ｔｙｐｅ＝１、かつ、ＵＬ−ＤＭＲＳ−ｍａｘ−ｌｅｎ＝１であるとき、または、ＤＬ−ＤＭＲＳ−ｃｏｎｆｉｇ−ｔｙｐｅ＝１、かつ、ＤＬ−ＤＭＲＳ−ｍａｘ−ｌｅｎ＝１であるとき、ＤＭＲＳ  ＲＥオーバヘッド値は６であることが、予め定義され得る。
【０１３９】
この場合において、ＤＭＲＳの構成タイプがＤＭＲＳ構成タイプ１であり、ＤＭＲＳにより占有されるシンボルの数量が２であるとき、１個のアンテナポートが１２個のＲＥに対応し得ると共に、ＵＬ−ＤＭＲＳ−ｃｏｎｆｉｇ−ｔｙｐｅ＝１、かつ、ＵＬ−ＤＭＲＳ−ｍａｘ−ｌｅｎ＝２である場合、または、ＤＬ−ＤＭＲＳ−ｃｏｎｆｉｇ−ｔｙｐｅ＝１、かつ、ＤＬ−ＤＭＲＳ−ｍａｘ−ｌｅｎ＝２である場合、ＤＭＲＳ  ＲＥオーバヘッド値は１２であることが、予め定義され得る。
【０１４０】
この場合において、ＤＭＲＳの構成タイプがＤＭＲＳ構成タイプ２であり、ＤＭＲＳにより占有されるシンボルの数量が１であるとき、１個のアンテナポートが４個のＲＥに対応し得ると共に、ＵＬ−ＤＭＲＳ−ｃｏｎｆｉｇ−ｔｙｐｅ＝２、かつ、ＵＬ−ＤＭＲＳ−ｍａｘ−ｌｅｎ＝１である場合、または、ＤＬ−ＤＭＲＳ−ｃｏｎｆｉｇ−ｔｙｐｅ＝２、かつ、ＤＬ−ＤＭＲＳ−ｍａｘ−ｌｅｎ＝１である場合、ＤＭＲＳ  ＲＥオーバヘッド値は４であることが、予め定義され得る。
【０１４１】
この場合において、ＤＭＲＳの構成タイプがＤＭＲＳ構成タイプ２であり、ＤＭＲＳにより占有されるシンボルの数量が２であるとき、１個のアンテナポートが８個のＲＥに対応し得ると共に、ＵＬ−ＤＭＲＳ−ｃｏｎｆｉｇ−ｔｙｐｅ＝２、かつ、ＵＬ−ＤＭＲＳ−ｍａｘ−ｌｅｎ＝２である場合、または、ＤＬ−ＤＭＲＳ−ｃｏｎｆｉｇ−ｔｙｐｅ＝２、かつ、ＤＬ−ＤＭＲＳ−ｍａｘ−ｌｅｎ＝２である場合、ＤＭＲＳ  ＲＥオーバヘッド値は８であることが、予め定義され得る。
【０１４２】
任意選択的に、異なるＵＥのＤＭＲＳは、符号分割ベース（すなわち、直交シーケンス）であり得るか、または時間−周波数分割ベースであり得る（言い換えれば、異なるＵＥのＤＭＲＳにより占有されるＲＥの位置は異なる）。異なるＵＥのＤＭＲＳに対して時間−周波数分割が実行される場合、ＵＥのＤＭＲＳ間の相互干渉を低減するために、データ信号は、ＵＥのＤＭＲＳにより占有されるＲＥのいずれにもマッピングされない。言い換えれば、ＵＥのＤＭＲＳにより占有されるＲＥは全て、データマッピングが実行される場合にバイパスされる必要がある。この場合、予め定義されたＤＭＲＳ  ＲＥオーバヘッド値は、全てのＵＥのＤＭＲＳ  ＲＥオーバヘッド値の和であるべきである。
【０１４３】
例えば、基地局１１０は、アンテナポート１０００でＤＭＲＳをＵＥ１へ送信し、アンテナポート１００１でＤＭＲＳをＵＥ２へ送信し、アンテナポート１００２でＤＭＲＳをＵＥ３へ送信し、アンテナポート１００３でＤＭＲＳをＵＥ４へ送信する。ＵＥ１およびＵＥ２のＤＭＲＳは符号分割ベースであり、ＵＥ３およびＵＥ４のＤＭＲＳは符号分割ベースである。ＵＥ１およびＵＥ３のＤＭＲＳは時間−周波数分割ベースであり、ＵＥ２およびＵＥ４のＤＭＲＳは時間−周波数分割ベースである。ＵＥのＤＭＲＳ間の相互干渉を回避するために、アンテナポート１０００、１００１、１００２および１００３におけるＤＭＲＳにより占有される全てのＲＥは、ＵＥのデータに対してリソースマッピングが実行される場合にバイパスされる必要がある。
【０１４４】
例えば、ＤＭＲＳの構成タイプがＤＭＲＳ構成タイプ１であり、ＤＭＲＳにより占有されるシンボルの数量が１である場合、１個のポートが６個のＲＥに対応し得ると共に、ＵＬ−ＤＭＲＳ−ｃｏｎｆｉｇ−ｔｙｐｅ＝１、かつ、ＵＬ−ＤＭＲＳ−ｍａｘ−ｌｅｎ＝１である場合、または、ＤＬ−ＤＭＲＳ−ｃｏｎｆｉｇ−ｔｙｐｅ＝１、かつ、ＤＬ−ＤＭＲＳ−ｍａｘ−ｌｅｎ＝１である場合、ＤＭＲＳ  ＲＥオーバヘッド値は１２であることが、予め定義され得る。
【０１４５】
例えば、ＤＭＲＳの構成タイプがＤＭＲＳ構成タイプ１であり、ＤＭＲＳにより占有されるシンボルの数量が２である場合、１個のポートが１２個のＲＥに対応し得ると共に、ＵＬ−ＤＭＲＳ−ｃｏｎｆｉｇ−ｔｙｐｅ＝１、かつ、ＵＬ−ＤＭＲＳ−ｍａｘ−ｌｅｎ＝２である場合、または、ＤＬ−ＤＭＲＳ−ｃｏｎｆｉｇ−ｔｙｐｅ＝１、かつ、ＤＬ−ＤＭＲＳ−ｍａｘ−ｌｅｎ＝２である場合、ＤＭＲＳ  ＲＥオーバヘッド値は２４であることが、予め定義され得る。
【０１４６】
例えば、ＤＭＲＳの構成タイプがＤＭＲＳ構成タイプ２であり、ＤＭＲＳにより占有されるシンボルの数量が１である場合、１個のポートが４個のＲＥに対応し得ると共に、ＵＬ−ＤＭＲＳ−ｃｏｎｆｉｇ−ｔｙｐｅ＝２、かつ、ＵＬ−ＤＭＲＳ−ｍａｘ−ｌｅｎ＝１である場合、または、ＤＬ−ＤＭＲＳ−ｃｏｎｆｉｇ−ｔｙｐｅ＝２、かつ、ＤＬ−ＤＭＲＳ−ｍａｘ−ｌｅｎ＝１である場合、ＤＭＲＳ  ＲＥオーバヘッド値は８であることが、予め定義され得る。
【０１４７】
例えば、ＤＭＲＳの構成タイプがＤＭＲＳ構成タイプ２であり、ＤＭＲＳにより占有されるシンボルの数量が２である場合、１個のポートが８個のＲＥに対応し得ると共に、ＵＬ−ＤＭＲＳ−ｃｏｎｆｉｇ−ｔｙｐｅ＝１２、かつ、ＵＬ−ＤＭＲＳ−ｍａｘ−ｌｅｎ＝２である場合、または、ＤＬ−ＤＭＲＳ−ｃｏｎｆｉｇ−ｔｙｐｅ＝２、かつ、ＤＬ−ＤＭＲＳ−ｍａｘ−ｌｅｎ＝２である場合、ＤＭＲＳ  ＲＥオーバヘッド値は１６であることが、予め定義され得る。
【０１４８】
任意選択的に、Ｚ１、Ｚ２、Ｚ３およびＺ４のうちの少なくとも１つが複数の値を有し得る。Ｚ１、Ｚ２、Ｚ３およびＺ４のうちの１つが複数の値を有する場合、基地局１１０は、シグナリングを介して、特定のＤＭＲＳ  ＲＥオーバヘッド値をＵＥ１２０に通知し得る。
【０１４９】
例えば、Ｚ１および／またはＺ２の複数の値／１つの値が６、１２、１８および２４から選択され得る場合、基地局１１０は、シグナリングを介して、具体的に、６、１２、１８および２４のうちのどれがＤＭＲＳ  ＲＥオーバヘッド値であるかをＵＥ１２０に通知し得る。
【０１５０】
例えば、Ｚ３および／またはＺ４の複数の値／１つの値が４、８、１２、１６、２０および２４から選択され得る場合、基地局１１０は、シグナリングを介して、具体的に、４、８、１２、１６、２０または２４のうちのどれがＤＭＲＳ  ＲＥオーバヘッド値であるかをＵＥ１２０に通知し得る。
【０１５１】
任意選択的に、１個の復調基準信号構成タイプと、復調基準信号により占有されるシンボルの１つの数量と、ＤＭＲＳ  ＲＥオーバヘッドとの間の複数の対応関係が、予め定義され得る。基地局は、シグナリングを介して、どの対応関係がＴＢＳの計算に用いられるべきかをＵＥに通知し得る。
【０１５２】
例えば、復調基準信号構成タイプ１および復調基準信号１により占有されるシンボルの数量と、ＤＭＲＳ  ＲＥオーバヘッド値との間の対応関係は、
対応関係ｚ１：ＤＭＲＳ構成タイプ１およびＤＭＲＳ１により占有されるシンボルの数量がＤＭＲＳ  ＲＥオーバヘッド値６に対応する、
対応関係ｚ２：ＤＭＲＳ構成タイプ１およびＤＭＲＳ１により占有されるシンボルの数量がＤＭＲＳ  ＲＥオーバヘッド値１２に対応する、
対応関係ｚ３：ＤＭＲＳ構成タイプ１およびＤＭＲＳ１により占有されるシンボルの数量がＤＭＲＳ  ＲＥオーバヘッド値１８に対応する、および、
対応関係ｚ４：ＤＭＲＳ構成タイプ１およびＤＭＲＳ１により占有されるシンボルの数量がＤＭＲＳ  ＲＥオーバヘッド値２４に対応する
のうちの少なくとも１つを含み得る。
【０１５３】
基地局は、上位層シグナリングおよび／または物理層シグナリングを介して、ＤＭＲＳ構成タイプ１およびＤＭＲＳ１により占有されるシンボルの数量と、ＤＭＲＳ  ＲＥオーバヘッド値との間の複数の対応関係のうちのどれがＤＭＲＳの数量の決定に用いられ得るかをＵＥに通知し得る。
【０１５４】
例えば、「００」は対応関係ｚ１を表し、「０１」は対応関係ｚ２を表し、「１０」は対応関係ｚ３を表し、「１１」は対応関係ｚ４を表す。
【０１５５】
例えば、復調基準信号構成タイプ１および復調基準信号２により占有されるシンボルの数量と、ＤＭＲＳ  ＲＥオーバヘッド値との間の対応関係は、
対応関係ｚ１'：ＤＭＲＳ構成タイプ１およびＤＭＲＳ２により占有されるシンボルの数量がＤＭＲＳ  ＲＥオーバヘッド値１２に対応する、
対応関係ｚ２'：ＤＭＲＳ構成タイプ１およびＤＭＲＳ２により占有されるシンボルの数量がＤＭＲＳ  ＲＥオーバヘッド値１８に対応する、
対応関係ｚ３'：ＤＭＲＳ構成タイプ１およびＤＭＲＳ２により占有されるシンボルの数量がＤＭＲＳ  ＲＥオーバヘッド値２４に対応する、および、
対応関係ｚ４'：ＤＭＲＳ構成タイプ１およびＤＭＲＳ２により占有されるシンボルの数量がＤＭＲＳ  ＲＥオーバヘッド値３６に対応する
のうちの少なくとも１つを含み得る。
【０１５６】
基地局は、上位層シグナリングおよび／または物理層シグナリングを介して、ＤＭＲＳ構成タイプ１およびＤＭＲＳ２により占有されるシンボルの数量と、ＤＭＲＳ  ＲＥオーバヘッド値との間の複数の対応関係のうちのどれがＤＭＲＳのＲＥの数量の決定に用いられ得るかをＵＥに通知し得る。
【０１５７】
例えば、「００」は対応関係ｚ１'を表し、「０１」は対応関係ｚ２'を表し、「１０」は対応関係ｚ３'を表し、「１１」は対応関係ｚ４'を表す。
【０１５８】
例えば、復調基準信号構成タイプ２および復調基準信号１により占有されるシンボルの数量と、ＤＭＲＳ  ＲＥオーバヘッド値との間の対応関係は、
対応関係ｚ１''：ＤＭＲＳ構成タイプ２およびＤＭＲＳ１により占有されるシンボルの数量がＤＭＲＳ  ＲＥオーバヘッド値４に対応する、
対応関係ｚ２''：ＤＭＲＳ構成タイプ２およびＤＭＲＳ１により占有されるシンボルの数量がＤＭＲＳ  ＲＥオーバヘッド値８に対応する、
対応関係ｚ３''：ＤＭＲＳ構成タイプ２およびＤＭＲＳ１により占有されるシンボルの数量がＤＭＲＳ  ＲＥオーバヘッド値１２に対応する、および、
対応関係ｚ４''：ＤＭＲＳ構成タイプ２およびＤＭＲＳ１により占有されるシンボルの数量がＤＭＲＳ  ＲＥオーバヘッド値１６に対応する
のうちの少なくとも１つを含み得る。
【０１５９】
基地局は、上位層シグナリングおよび／または物理層シグナリングを介して、ＤＭＲＳ構成タイプ２およびＤＭＲＳ１により占有されるシンボルの数量と、ＤＭＲＳ  ＲＥオーバヘッド値との間の複数の対応関係のうちのどれがＤＭＲＳ  ＲＥオーバヘッド値の決定に用いられ得るかをＵＥに通知し得る。
【０１６０】
例えば、「００」は対応関係ｚ１''を表し、「０１」は対応関係ｚ２''を表し、「１０」は対応関係ｚ３''を表し、「１１」は対応関係ｚ４''を表す。
【０１６１】
例えば、復調基準信号構成タイプ２および復調基準信号２により占有されるシンボルの数量と、ＤＭＲＳ  ＲＥオーバヘッド値との間の対応関係は、
対応関係ｚ１'''：ＤＭＲＳ構成タイプ２およびＤＭＲＳ２により占有されるシンボルの数量がＤＭＲＳ  ＲＥオーバヘッド値８に対応する、
対応関係ｚ２'''：ＤＭＲＳ構成タイプ２およびＤＭＲＳ２により占有されるシンボルの数量がＤＭＲＳ  ＲＥオーバヘッド値１６に対応する、
対応関係ｚ３'''：ＤＭＲＳ構成タイプ２およびＤＭＲＳ２により占有されるシンボルの数量がＤＭＲＳ  ＲＥオーバヘッド値２４に対応する、および、
対応関係ｚ４'''：ＤＭＲＳ構成タイプ２およびＤＭＲＳ２により占有されるシンボルの数量がＤＭＲＳ  ＲＥオーバヘッド値３２に対応する
のうちの少なくとも１つを含み得る。
【０１６２】
基地局は、上位層シグナリングおよび／または物理層シグナリングを介して、ＤＭＲＳ構成タイプ２およびＤＭＲＳ２により占有されるシンボルの数量と、ＤＭＲＳ  ＲＥオーバヘッド値との間の複数の対応関係のうちのどれがＤＭＲＳ  ＲＥオーバヘッド値の決定に用いられ得るかをＵＥに通知し得る。
【０１６３】
例えば、「００」は対応関係ｚ１'''を表し、「０１」は対応関係ｚ２'''を表し、「１０」は対応関係ｚ３'''を表し、「１１」は対応関係ｚ４'''を表す。
【０１６４】
可能な設計方式において、第１の情報は、波形を含み得る。具体的には、波形に対応する、復調基準信号により占有されるリソース要素の数量は、波形に基づいて取得され得る。波形と、復調基準信号により占有されるリソース要素の数量との間には、対応関係が存在する。
【０１６５】
任意選択的に、波形とＤＭＲＳ  ＲＥオーバヘッドとの間の対応関係が、予め定義され得る。
【０１６６】
任意選択的に、波形は、チャネル波形であり得るか、または信号波形であり得る。例えば、チャネル波形は、物理アップリンクデータチャネルの波形、物理アップリンク制御チャネルの波形、物理ダウンリンクデータチャネルの波形または物理ダウンリンク制御チャネルの波形であり得る。例えば、信号波形は、復調基準信号の波形など、基準信号の波形であり得る。
【０１６７】
任意選択的に、波形は、シングルキャリア波形およびマルチキャリア波形に分類され得る。任意選択的に、波形は、変換プリコーディング（ｔｒａｎｓｆｏｒｍ  ｐｒｅｃｏｄｉｎｇ）が有効化されているかどうか等を示すために用いられ得る。
【０１６８】
例えば、波形がシングルキャリア波形である場合、すなわち、変換プリコーディングが有効化されている（ｔｒａｎｓｆｏｒｍ  ｐｒｅｃｏｄｉｎｇ  ｉｓ  ｅｎａｂｌｅｄ）場合、ＤＭＲＳ  ＲＥオーバヘッド値はＷ１であり、Ｗ１は整数であることが、予め定義され得る。
【０１６９】
例えば、波形がシングルキャリアであり、当該シングルキャリアの場合において構成タイプ１のＤＭＲＳのみがサポートされるとき、ＤＭＲＳ  ＲＥオーバヘッド値は６であることが、予め定義され得る。
【０１７０】
例えば、波形がマルチキャリアである場合、すなわち、変換プリコーディングが有効化されていない（ｔｒａｎｓｆｏｒｍ  ｐｒｅｃｏｄｉｎｇ  ｉｓ  ｎｏｔ  ｅｎａｂｌｅｄ）場合、ＤＭＲＳ  ＲＥオーバヘッド値はＷ２であり、Ｗ２は整数であることが、予め定義され得る。
【０１７１】
例えば、波形がマルチキャリアであり、当該マルチキャリアの場合において構成タイプ２のＤＭＲＳがサポートされ得るとき、ＤＭＲＳ  ＲＥオーバヘッド値は４であることが、予め定義され得る。
【０１７２】
例えば、波形がマルチキャリアであり、当該マルチキャリアの場合において構成タイプ１のＤＭＲＳがサポートされ得るとき、ＤＭＲＳ  ＲＥオーバヘッド値は６であることが、予め定義され得る。
【０１７３】
任意選択的に、Ｗ１および／またはＷ２の値は、４、６、８、１２、１６、２４等のいずれか１つであり得る。
【０１７４】
任意選択的に、Ｗ１および／またはＷ２は、複数の値を有し得る。Ｗ１および／またはＷ２が複数の値を有する場合、基地局１１０は、シグナリングを介して、複数の値のうちのどれがＤＭＲＳ  ＲＥオーバヘッド値であるかをＵＥ１２０に通知し得る。
【０１７５】
例えば、Ｗ１は６、１２、１８、２４等のうちの少なくとも１つであり得ることが、予め定義される。この場合、基地局１１０は、シグナリングを介して、具体的に、６、１２、１８および２４のうちのどれがＤＭＲＳ  ＲＥオーバヘッド値であるかをＵＥ１２０に通知し得る。
【０１７６】
例えば、Ｗ２は４、８、１２、１６、２０、２４等のうちの少なくとも１つであり得ることが、予め定義される。この場合、基地局１１０は、シグナリングを介して、具体的に、４、８、１２、１６、２０または２４のうちのどれがＤＭＲＳ  ＲＥオーバヘッド値であるかをＵＥ１２０に通知し得る。
【０１７７】
任意選択的に、１つの波形とＤＭＲＳ  ＲＥオーバヘッド値との間の複数の対応関係が、予め定義され得る。基地局は、シグナリングを介して、どの対応関係がＴＢＳの計算に用いられるべきかをＵＥに通知し得る。
【０１７８】
例えば、波形とＤＭＲＳ  ＲＥオーバヘッド値との間の対応関係は、
対応関係ｗ１：変換プリコーディングが有効化されていない場合が、ＤＭＲＳ  ＲＥオーバヘッド値４に対応する、
対応関係ｗ２：変換プリコーディングが有効化されていない場合が、ＤＭＲＳ  ＲＥオーバヘッド値８に対応する、
対応関係ｗ３：変換プリコーディングが有効化されている場合が、ＤＭＲＳ  ＲＥオーバヘッド値６に対応する、
対応関係ｗ４：変換プリコーディングが有効化されている場合が、ＤＭＲＳ  ＲＥオーバヘッド値１２に対応する
のうちの少なくとも１つを含み得る。
【０１７９】
基地局は、上位層シグナリングおよび／または物理層シグナリングを介して、波形とＤＭＲＳ  ＲＥオーバヘッド値との間の複数の対応関係のうちのどれがＤＭＲＳ  ＲＥオーバヘッド値の決定に用いられ得るかをＵＥに通知し得る。
【０１８０】
例えば、「００」は対応関係ｗ１を表し、「０１」は対応関係ｗ２を表し、「１０」は対応関係ｗ３を表し、「１１」は対応関係ｗ４を表す。
【０１８１】
可能な実装において、第１の情報は、波形と、復調基準信号により占有されるシンボルの数量とを含み得る。具体的には、波形と、復調基準信号により占有されるシンボルの数量とに対応する、復調基準信号により占有されるリソース要素の数量は、波形と、復調基準信号により占有されるシンボルの数量とに基づいて取得され得る。波形および復調基準信号により占有されるシンボルの数量と、復調基準信号により占有されるリソース要素の数量との間には、対応関係が存在する。
【０１８２】
任意選択的に、波形およびＤＭＲＳにより占有されるシンボルの数量とＤＭＲＳ  ＲＥオーバヘッド値との間の対応関係は、予め定義され得る。
【０１８３】
例えば、波形がシングルキャリア波形であり、アップリンクＤＭＲＳ（ＵＬ−ＤＭＲＳ−ｍａｘ−ｌｅｎ）により占有されるシンボルの数量が１である場合、ＤＭＲＳ  ＲＥオーバヘッド値はＷ３であり、Ｗ３は整数であることが、予め定義され得る。
【０１８４】
例えば、波形がシングルキャリア波形であり、ＵＬ−ＤＭＲＳ−ｍａｘ−ｌｅｎ＝１である場合、ＤＭＲＳ  ＲＥオーバヘッド値は６であることが、予め定義され得る。
【０１８５】
例えば、波形がシングルキャリア波形であり、ＵＬ−ＤＭＲＳ−ｍａｘ−ｌｅｎ＝２である場合、ＤＭＲＳ  ＲＥオーバヘッド値はＷ４であり、Ｗ４は整数であることが、予め定義され得る。
【０１８６】
例えば、波形がシングルキャリア波形であり、ＵＬ−ＤＭＲＳ−ｍａｘ−ｌｅｎ＝２である場合、ＤＭＲＳ  ＲＥオーバヘッド値は１２であることが、予め定義され得る。
【０１８７】
例えば、波形がマルチキャリア波形であり、ダウンリンクＤＭＲＳ（ＤＬ−ＤＭＲＳ−ｍａｘ−ｌｅｎ）により占有されるシンボルの数量が１である場合、または、波形がマルチキャリア波形であり、ＵＬ−ＤＭＲＳ−ｍａｘ−ｌｅｎ＝１である場合、ＤＭＲＳ  ＲＥオーバヘッド値はＷ５であり、Ｗ５は整数であることが、予め定義され得る。
【０１８８】
例えば、波形がマルチキャリア波形であり、ＤＬ−ＤＭＲＳ−ｍａｘ−ｌｅｎ＝１である場合、または、波形がマルチキャリア波形であり、ＵＬ−ＤＭＲＳ−ｍａｘ−ｌｅｎ＝１である場合、ＤＭＲＳ  ＲＥオーバヘッド値は４であることが、予め定義され得る。
【０１８９】
例えば、波形がマルチキャリア波形であり、ＤＬ−ＤＭＲＳ−ｍａｘ−ｌｅｎ＝２である場合、または、波形がマルチキャリア波形であるか、または、ＵＬ−ＤＭＲＳ−ｍａｘ−ｌｅｎ＝２である場合、ＤＭＲＳ  ＲＥオーバヘッド値はＷ６であり、Ｗ６は整数であることが、予め定義され得る。
【０１９０】
例えば、波形がマルチキャリア波形であり、ＤＬ−ＤＭＲＳ−ｍａｘ−ｌｅｎ＝２である場合、または、波形がマルチキャリア波形であるか、またはＵＬ−ＤＭＲＳ−ｍａｘ−ｌｅｎ＝２である場合、ＤＭＲＳ  ＲＥオーバヘッド値は８であることが、予め定義され得る。
【０１９１】
任意選択的に、Ｗ３またはＷ４の値は、４、６、８、１２、１６、２４等のいずれか１つであり得る。
【０１９２】
任意選択的に、Ｗ３および／またはＷ４は、複数の値を有し得る。Ｗ３および／またはＷ４が複数の値を有する場合、基地局１１０は、シグナリングを介して、複数の値のうちのどれがＤＭＲＳ  ＲＥオーバヘッド値であるかをＵＥ１２０に通知し得る。
【０１９３】
例えば、Ｗ３は６、１２、１８、２４等のうちの少なくとも１つであり得ることが、予め定義される。この場合、基地局１１０は、シグナリングを介して、具体的に、６、１２、１８および２４のうちのどれがＤＭＲＳ  ＲＥオーバヘッド値であるかをＵＥ１２０に通知し得る。
【０１９４】
例えば、Ｗ４は４、８、１２、１６、２０、２４等のうちの少なくとも１つであり得ることが、予め定義される。この場合、基地局１１０は、シグナリングを介して、具体的に、４、８、１２、１６、２０または２４のうちのどれがＤＭＲＳ  ＲＥオーバヘッド値であるかをＵＥ１２０に通知し得る。
【０１９５】
任意選択的に、１つの波形およびＤＭＲＳにより占有されるシンボルの１つの数量と複数のＤＭＲＳ  ＲＥオーバヘッド値との間の対応関係が、予め定義され得る。基地局は、シグナリングを介して、どの対応関係がＴＢＳの計算に用いられるべきかをＵＥに通知し得る。
【０１９６】
例えば、変換プリコーディングが有効化されていない波形およびＤＭＲＳ１により占有されるシンボルの数量と、ＤＭＲＳ  ＲＥオーバヘッド値との間の対応関係は、
対応関係ｗ１'：変換プリコーディングが有効化されず、ＤＭＲＳにより占有されるシンボルの数量が１である場合が、ＤＭＲＳ  ＲＥオーバヘッド値４に対応する、
対応関係ｗ２'：変換プリコーディングが有効化されず、ＤＭＲＳにより占有されるシンボルの数量が１である場合が、ＤＭＲＳ  ＲＥオーバヘッド値８に対応する、
対応関係ｗ３'：変換プリコーディングが有効化されず、ＤＭＲＳにより占有されるシンボルの数量が１である場合が、ＤＭＲＳ  ＲＥオーバヘッド値１２に対応する、および、
対応関係ｗ４'：変換プリコーディングが有効化されず、ＤＭＲＳにより占有されるシンボルの数量が１である場合が、ＤＭＲＳ  ＲＥオーバヘッド値１６に対応する
のうちの少なくとも１つを含み得る。
【０１９７】
基地局は、上位層シグナリングおよび／または物理層シグナリングを介して、波形とＤＭＲＳ  ＲＥオーバヘッド値との間の複数の対応関係のうちのどれがＤＭＲＳ  ＲＥオーバヘッド値の決定に用いられ得るかをＵＥに通知し得る。
【０１９８】
例えば、「００」は対応関係ｗ１'を表し、「０１」は対応関係ｗ２'を表し、「１０」は対応関係ｗ３'を表し、「１１」は対応関係ｗ４'を表す。
【０１９９】
例えば、変換プリコーディングが有効化されていない波形およびＤＭＲＳ２により占有されるシンボルの数量と、ＤＭＲＳ  ＲＥオーバヘッド値との間の対応関係は、
対応関係ｗ１''：変換プリコーディングが有効化されず、ＤＭＲＳにより占有されるシンボルの数量が２である場合が、ＤＭＲＳ  ＲＥオーバヘッド値８に対応する、
対応関係ｗ２''：変換プリコーディングが有効化されず、ＤＭＲＳにより占有されるシンボルの数量が２である場合が、ＤＭＲＳ  ＲＥオーバヘッド値１６に対応する、
対応関係ｗ３''：変換プリコーディングが有効化されず、ＤＭＲＳにより占有されるシンボルの数量が２である場合が、ＤＭＲＳ  ＲＥオーバヘッド値２４に対応する、および、
対応関係ｗ４''：変換プリコーディングが有効化されず、ＤＭＲＳにより占有されるシンボルの数量が２である場合が、ＤＭＲＳ  ＲＥオーバヘッド値３６に対応する
のうちの少なくとも１つを含み得る。
【０２００】
基地局は、上位層シグナリングおよび／または物理層シグナリングを介して、波形とＤＭＲＳ  ＲＥオーバヘッド値との間の複数の対応関係のうちのどれがＤＭＲＳ  ＲＥオーバヘッド値の決定に用いられ得るかをＵＥに通知し得る。
【０２０１】
例えば、「００」は対応関係ｗ１''を表し、「０１」は対応関係ｗ２''を表し、「１０」は対応関係ｗ３''を表し、「１１」は対応関係ｗ４''を表す。
【０２０２】
例えば、変換プリコーディングが有効化されていない波形およびＤＭＲＳ１により占有されるシンボルの数量と、ＤＭＲＳ  ＲＥオーバヘッド値との間の対応関係は、
対応関係ｗ１'''：変換プリコーディングが有効化されず、ＤＭＲＳにより占有されるシンボルの数量が１である場合が、ＤＭＲＳ  ＲＥオーバヘッド値６に対応する、
対応関係ｗ２'''：変換プリコーディングが有効化されず、ＤＭＲＳにより占有されるシンボルの数量が１である場合が、ＤＭＲＳ  ＲＥオーバヘッド値１２に対応する、
対応関係ｗ３'''：変換プリコーディングが有効化されず、ＤＭＲＳにより占有されるシンボルの数量が１である場合が、ＤＭＲＳ  ＲＥオーバヘッド値１８に対応する、および、
対応関係ｗ４'''：変換プリコーディングが有効化されず、ＤＭＲＳにより占有されるシンボルの数量が１である場合が、ＤＭＲＳ  ＲＥオーバヘッド値２４に対応する
のうちの少なくとも１つを含み得る。
【０２０３】
基地局は、上位層シグナリングおよび／または物理層シグナリングを介して、波形とＤＭＲＳ  ＲＥオーバヘッド値との間の複数の対応関係のうちのどれがＤＭＲＳ  ＲＥオーバヘッド値の決定に用いられ得るかをＵＥに通知し得る。
【０２０４】
例えば、「００」は対応関係ｗ１'''を表し、「０１」は対応関係ｗ２'''を表し、「１０」は対応関係ｗ３'''を表し、「１１」は対応関係ｗ４'''を表す。
【０２０５】
例えば、変換プリコーディングが有効化されていない波形およびＤＭＲＳ２により占有されるシンボルの数量と、ＤＭＲＳ  ＲＥオーバヘッド値との間の対応関係は、
対応関係ｗ１''''：変換プリコーディングが有効化されず、ＤＭＲＳにより占有されるシンボルの数量が２である場合が、ＤＭＲＳ  ＲＥオーバヘッド値１２に対応する、
対応関係ｗ２''''：変換プリコーディングが有効化されず、ＤＭＲＳにより占有されるシンボルの数量が２である場合が、ＤＭＲＳ  ＲＥオーバヘッド値２４に対応する、
対応関係ｗ３''''：変換プリコーディングが有効化されず、ＤＭＲＳにより占有されるシンボルの数量が２である場合が、ＤＭＲＳ  ＲＥオーバヘッド値３６に対応する、および、
対応関係ｗ４''''：変換プリコーディングが有効化されず、ＤＭＲＳにより占有されるシンボルの数量が２である場合が、ＤＭＲＳ  ＲＥオーバヘッド値４８に対応する
のうちの少なくとも１つを含み得る。
【０２０６】
基地局は、上位層シグナリングおよび／または物理層シグナリングを介して、波形とＤＭＲＳ  ＲＥオーバヘッド値との間の複数の対応関係のうちのどれがＤＭＲＳ  ＲＥオーバヘッド値の決定に用いられ得るかをＵＥに通知し得る。
【０２０７】
例えば、「００」は対応関係ｗ１''''を表し、「０１」は対応関係ｗ２''''を表し、「１０」は対応関係ｗ３''''を表し、「１１」は対応関係ｗ４''''を表す。
【０２０８】
可能な設計方式において、第１の情報は、波形と、復調基準信号の構成タイプと、復調基準信号により占有されるシンボルの数量とを含み得る。具体的には、復調基準信号ＲＥオーバヘッドは、波形と、復調基準信号の構成タイプと、復調基準信号により占有されるシンボルの数量とに基づいて取得され得る。復調基準信号ＲＥオーバヘッド値と、波形と、復調基準信号の構成タイプと、復調基準信号により占有されるシンボルの数量との間には、対応関係が存在する。
【０２０９】
任意選択的に、第１の情報は、波形と、ＤＭＲＳの構成タイプと、ＤＭＲＳにより占有されるシンボルの数量とを含み得て、ＤＭＲＳ  ＲＥオーバヘッド値と、波形と、ＤＭＲＳの構成タイプと、ＤＭＲＳにより占有されるシンボルの数量との間の対応関係は、予め定義され得る。
【０２１０】
例えば、波形がマルチキャリア波形であり、ＤＬ−ＤＭＲＳ−ｃｏｎｆｉｇ−ｔｙｐｅ＝１、かつ、ＤＬ−ＤＭＲＳ−ｍａｘ−ｌｅｎ＝１である場合、または、波形がマルチキャリア波形であり、ＵＬ−ＤＭＲＳ−ｃｏｎｆｉｇ−ｔｙｐｅ＝１、かつ、ＵＬ−ＤＭＲＳ−ｍａｘ−ｌｅｎ＝１である場合、ＤＭＲＳ  ＲＥオーバヘッド値はＷ７であり、Ｗ７は整数であることが、予め定義され得る。
【０２１１】
例えば、波形がマルチキャリア波形であり、ＤＬ−ＤＭＲＳ−ｃｏｎｆｉｇ−ｔｙｐｅ＝１、かつ、ＤＬ−ＤＭＲＳ−ｍａｘ−ｌｅｎ＝１である場合、または、波形がマルチキャリア波形であり、ＵＬ−ＤＭＲＳ−ｃｏｎｆｉｇ−ｔｙｐｅ＝１、かつ、ＵＬ−ＤＭＲＳ−ｍａｘ−ｌｅｎ＝１である場合、ＤＭＲＳ  ＲＥオーバヘッド値は６であることが、予め定義され得る。
【０２１２】
例えば、波形がマルチキャリア波形であり、ＤＬ−ＤＭＲＳ−ｃｏｎｆｉｇ−ｔｙｐｅ＝１、かつ、ＤＬ−ＤＭＲＳ−ｍａｘ−ｌｅｎ＝２である場合、または、波形がマルチキャリア波形であり、ＵＬ−ＤＭＲＳ−ｃｏｎｆｉｇ−ｔｙｐｅ＝１、かつ、ＵＬ−ＤＭＲＳ−ｍａｘ−ｌｅｎ＝２である場合、ＤＭＲＳ  ＲＥオーバヘッド値はＷ８であり、Ｗ８は整数であることが、予め定義され得る。
【０２１３】
例えば、波形がマルチキャリア波形であり、ＤＬ−ＤＭＲＳ−ｃｏｎｆｉｇ−ｔｙｐｅ＝１、かつ、ＤＬ−ＤＭＲＳ−ｍａｘ−ｌｅｎ＝２である場合、または、波形がマルチキャリア波形であり、ＵＬ−ＤＭＲＳ−ｃｏｎｆｉｇ−ｔｙｐｅ＝１、かつ、ＵＬ−ＤＭＲＳ−ｍａｘ−ｌｅｎ＝２である場合、ＤＭＲＳ  ＲＥオーバヘッド値は１２であることが、予め定義され得る。
【０２１４】
例えば、波形がマルチキャリア波形であり、ＤＬ−ＤＭＲＳ−ｃｏｎｆｉｇ−ｔｙｐｅ＝２、かつ、ＤＬ−ＤＭＲＳ−ｍａｘ−ｌｅｎ＝１である場合、または、波形がマルチキャリア波形であり、ＵＬ−ＤＭＲＳ−ｃｏｎｆｉｇ−ｔｙｐｅ＝２、かつ、ＵＬ−ＤＭＲＳ−ｍａｘ−ｌｅｎ＝１である場合、ＤＭＲＳ  ＲＥオーバヘッド値はＷ９であり、Ｗ９は整数であることが、予め定義され得る。この場合、Ｗ９の例は４である。
【０２１５】
例えば、波形がマルチキャリア波形であり、ＤＬ−ＤＭＲＳ−ｃｏｎｆｉｇ−ｔｙｐｅ＝２、かつ、ＤＬ−ＤＭＲＳ−ｍａｘ−ｌｅｎ＝２である場合、または、波形がマルチキャリア波形であり、ＵＬ−ＤＭＲＳ−ｃｏｎｆｉｇ−ｔｙｐｅ＝２、かつ、ＵＬ−ＤＭＲＳ−ｍａｘ−ｌｅｎ＝２である場合、ＤＭＲＳ  ＲＥオーバヘッド値はＷ１０であり、Ｗ１０は整数であることが、予め定義され得る。Ｗ１０の例は８である。
【０２１６】
任意選択的に、Ｗ１からＷ１０のいずれか１つの値は、４、６、８、１２、１６、１８、２４、３６、４８等であり得る。Ｗ１からＷ１０のうちの任意の２つの値は、同じであり得るか、または異なり得る。このことは、限定されない。
【０２１７】
任意選択的に、異なるＵＥのＤＭＲＳは、符号分割ベース（すなわち、直交シーケンス）であり得るか、または時間−周波数分割ベースであり得る（言い換えれば、異なるＵＥのＤＭＲＳにより占有されるＲＥの位置は異なる）。異なるＵＥのＤＭＲＳに対して時間−周波数分割が実行される場合、ＵＥのＤＭＲＳ間の相互干渉を低減するために、データ信号は、ＵＥのＤＭＲＳにより占有されるＲＥのいずれにもマッピングされない。言い換えれば、ＵＥのＤＭＲＳにより占有されるＲＥは全て、データマッピングが実行される場合にバイパスされる必要がある。この場合、予め定義されたＤＭＲＳ  ＲＥオーバヘッド値は、全てのＵＥのＤＭＲＳ  ＲＥオーバヘッド値の和であるべきである。
【０２１８】
例えば、基地局１１０は、アンテナポート１０００でＤＭＲＳをＵＥ１へ送信し、アンテナポート１００１でＤＭＲＳをＵＥ２へ送信し、アンテナポート１００２でＤＭＲＳをＵＥ３へ送信し、アンテナポート１００３でＤＭＲＳをＵＥ４へ送信する。ＵＥ１およびＵＥ２のＤＭＲＳは符号分割ベースであり、ＵＥ３およびＵＥ４のＤＭＲＳは符号分割ベースである。ＵＥ１およびＵＥ３のＤＭＲＳは時間−周波数分割ベースであり、ＵＥ２およびＵＥ４のＤＭＲＳは時間−周波数分割ベースである。ＵＥのＤＭＲＳ間の相互干渉を回避するために、アンテナポート１０００、１００１、１００２および１００３におけるＤＭＲＳにより占有される全てのＲＥは、ＵＥのデータに対してリソースマッピングが実行される場合にバイパスされる必要がある。
【０２１９】
例えば、ＤＭＲＳの構成タイプがＤＭＲＳ構成タイプ１である場合、１個のポートが６個のＲＥに対応し得ると共に、波形がマルチキャリア波形であり、ＵＬ−ＤＭＲＳ−ｃｏｎｆｉｇ−ｔｙｐｅ＝１、かつ、ＵＬ−ＤＭＲＳ−ｍａｘ−ｌｅｎ＝１である場合、または、波形がマルチキャリア波形であり、ＤＬ−ＤＭＲＳ−ｃｏｎｆｉｇ−ｔｙｐｅ＝１、かつ、ＤＬ−ＤＭＲＳ−ｍａｘ−ｌｅｎ＝１である場合、ＤＭＲＳ  ＲＥオーバヘッド値は１２であることが、予め定義され得る。
【０２２０】
例えば、ＤＭＲＳの構成タイプがＤＭＲＳ構成タイプ１である場合、１個のポートが１２個のＲＥに対応し得ると共に、波形がマルチキャリア波形であり、ＵＬ−ＤＭＲＳ−ｃｏｎｆｉｇ−ｔｙｐｅ＝１、かつ、ＵＬ−ＤＭＲＳ−ｍａｘ−ｌｅｎ＝２である場合、または、波形がマルチキャリア波形であり、ＤＬ−ＤＭＲＳ−ｃｏｎｆｉｇ−ｔｙｐｅ＝１、かつ、ＤＬ−ＤＭＲＳ−ｍａｘ−ｌｅｎ＝２である場合、ＤＭＲＳ  ＲＥオーバヘッド値は２４であることが、予め定義され得る。
【０２２１】
例えば、ＤＭＲＳの構成タイプがＤＭＲＳ構成タイプ２である場合、１個のポートが４個のＲＥに対応し得ると共に、波形がマルチキャリア波形であり、ＵＬ−ＤＭＲＳ−ｃｏｎｆｉｇ−ｔｙｐｅ＝２、かつ、ＵＬ−ＤＭＲＳ−ｍａｘ−ｌｅｎ＝１である場合、または、波形がマルチキャリア波形であり、ＤＬ−ＤＭＲＳ−ｃｏｎｆｉｇ−ｔｙｐｅ＝２、かつ、ＤＬ−ＤＭＲＳ−ｍａｘ−ｌｅｎ＝１である場合、ＤＭＲＳ  ＲＥオーバヘッド値は８であることが、予め定義され得る。
【０２２２】
例えば、ＤＭＲＳの構成タイプがＤＭＲＳ構成タイプ２である場合、１個のポートが８のＲＥに対応し得ると共に、波形がマルチキャリア波形であり、ＵＬ−ＤＭＲＳ−ｃｏｎｆｉｇ−ｔｙｐｅ＝２かつ、ＵＬ−ＤＭＲＳ−ｍａｘ−ｌｅｎ＝２ある場合、または、波形がマルチキャリア波形であり、ＤＬ−ＤＭＲＳ−ｃｏｎｆｉｇ−ｔｙｐｅ＝２かつ、ＤＬ−ＤＭＲＳ−ｍａｘ−ｌｅｎ＝２である場合、ＤＭＲＳ  ＲＥオーバヘッド値は１６であることが、予め定義され得る。
【０２２３】
任意選択的に、Ｗ１からＷ１０のいずれか１つは複数の値を有することが、予め定義され得る。Ｗ１からＷ１０のいずれか１つが複数の値を有する場合、基地局は、シグナリングを介して、特定のＤＭＲＳ  ＲＥオーバヘッド値をＵＥに通知し得ることが、予め定義される。
【０２２４】
例えば、Ｗ１からＷ８のうちの少なくとも１つが６、１２、１８、２４等であり得る場合、基地局は、シグナリングを介して、具体的に、６、１２、１８または２４のうちのどれがＤＭＲＳ  ＲＥオーバヘッド値であるかをＵＥに通知し得ることが、予め定義される。
【０２２５】
例えば、Ｗ２、Ｗ４、Ｗ５、Ｗ９またはＷ１０のいずれか１つが４、８、１２、１６、２０、２４等であり得る場合、基地局は、シグナリングを介して、具体的に、４、８、１２、１６、２０、２４のうちのどれがＤＭＲＳ  ＲＥオーバヘッド値であるかをＵＥに通知し得ることが、予め定義される。
【０２２６】
可能な設計方式において、第１の情報は、データチャネルのタイプおよび／またはダウンリンク制御情報の無線ネットワーク一時識別子（ｒａｄｉｏ  ｎｅｔｗｏｒｋ  ｔｅｍｐｏｒａｒｙ  ｉｄｅｎｔｉｆｉｅｒ、ＲＮＴＩ）スクランブル方式を含み得る。具体的には、復調基準信号ＲＥオーバヘッド値は、データチャネルのタイプおよび／またはダウンリンク制御情報のＲＮＴＩスクランブル方式に基づいて取得され得る。データチャネルのタイプおよび／またはダウンリンク制御情報のＲＮＴＩスクランブル方式と復調基準信号ＲＥオーバヘッド値との間には、対応関係が存在する。
【０２２７】
任意選択的に、データチャネルのタイプおよび／またはＤＣＩのＲＮＴＩスクランブル方式とＤＭＲＳ  ＲＥオーバヘッド値との間の対応関係は、予め定義され得る。
【０２２８】
基地局とＵＥとの間には、複数のタイプのデータチャネルが存在し得る。
【０２２９】
任意選択的に、データチャネルのタイプは、アップリンクデータ送信およびダウンリンクデータ送信のうちの少なくとも１つを含み得る。
【０２３０】
任意選択的に、データチャネルのタイプは、システム情報、ブロードキャスト情報、ユニキャスト情報およびマルチキャスト情報のうちの少なくとも１つを含む。
【０２３１】
例えば、いくつかの物理データ共有チャネル（ｐｈｙｓｉｃａｌ  ｄｏｗｎｌｉｎｋ  ｓｈａｒｉｎｇ  ｃｈａｎｎｅｌｓ、ＰＤＳＣＨ）が、ＵＥのユニキャストデータを送信するために用いられ、いくつかのＰＤＳＣＨが、システム情報、ブロードキャスト情報またはマルチキャスト情報を送信するために用いられ、いくつかのＰＤＳＣＨが、ページング（ｐａｇｉｎｇ、Ｐ）情報を送信するために用いられ、いくつかのＰＤＳＣＨが、ランダムアクセス応答（ｒａｎｄｏｍ  ａｃｃｅｓｓ  ｒｅｓｐｏｎｓｅ、ＲＡＲ）を送信するために用いられ得る。ユニキャストデータは、ＵＥ固有の（ｓｐｅｃｉｆｉｃ）データであり、マルチキャスト情報またはブロードキャスト情報は、複数のＵＥにより同時に受信され得るデータである。
【０２３２】
例えば、いくつかのアップリンクデータ共有チャネル（ｐｈｙｓｉｃａｌ  ｕｐｌｉｎｋ  ｓｈａｒｉｎｇ  ｃｈａｎｎｅｌ、ＰＵＳＣＨ）が、ＵＥのユニキャストデータを送信するために用いられ、いくつかのＰＵＳＣＨが、ランダムアクセスメッセージ３を送信するために用いられる。
【０２３３】
例えば、通信手順は、ユーザ機器が、まず、ダウンリンク同期を実行し、ダウンリンク同期信号を受信し、ＲＲＣ接続モードに入り、次に、ＲＲＣシグナリングおよび物理層シグナリングを受信し、ダウンリンクデータ送信を実行する、というものである。加えて、ユーザ機器は、ＲＲＣ接続モードに入った後に、アップリンクランダムアクセスを実行し得る。基地局は、ランダムアクセス応答を送信し、ユーザ機器は、アップリンク同期を完了し、アップリンクデータ送信を実行する。
【０２３４】
例えば、ＵＥは、ＰＤＳＣＨを受信する前に、ＤＣＩを受信する必要がある。ＤＣＩの情報ビットは、巡回冗長検査（ｃｙｃｌｉｃ  ｒｅｄｕｎｄａｎｃｙ  ｃｈｅｃｋ、ＣＲＣ）コードを含む。
【０２３５】
任意選択的に、ＣＲＣは、ＲＮＴＩに関連し得る。例えば、残余最小システム情報（ＲＭＳＩ）のＤＣＩは、ＲＭＳＩ−ＲＮＴＩに基づいて生成されるＣＲＣを用いてスクランブルされ得る。ページングのＤＣＩは、Ｐ‐ＲＮＴＩに基づいて生成されるＣＲＣを用いてスクランブルされ得る。ＲＡＲのＤＣＩは、ＲＡ−ＲＮＴＩに基づいて生成されるＣＲＣを用いてスクランブルされ得る。ユーザレベルデータチャネルのＤＣＩは、セル（ｃｅｌｌ、Ｃ）−ＲＮＴＩに基づいて生成されるＣＲＣを用いてスクランブルされ得る。
【０２３６】
例えば、ＲＭＳＩ、ページング、メッセージ３、ＲＡＲ等を送信するために用いられるデータチャネル、無線リソース制御（ｒａｄｉｏ  ｒｅｆｅｒｅｎｃｅ  ｃｏｎｔｒｏｌ、ＲＲＣ）接続モードに入る前にＤＣＩによりスケジューリングされるデータチャネル、または、ＲＭＳＩ−ＲＮＴＩ、ＳＩ−ＲＮＲＩ、Ｐ‐ＲＮＴＩまたはＲＡ−ＲＮＴＩに基づいてスクランブルされるＤＣＩによりスケジューリングされるデータチャネルについて、ＤＭＲＳ  ＲＥオーバヘッド値は４、６等であることが、予め定義され得る。
【０２３７】
任意選択的に、ＲＭＳＩ、ページング、メッセージ３、ＲＡＲ等を送信するために用いられるデータチャネル、無線リソース制御（ｒａｄｉｏ  ｒｅｆｅｒｅｎｃｅ  ｃｏｎｔｒｏｌ、ＲＲＣ）接続モードに入る前にＤＣＩによりスケジューリングされるデータチャネル、または、ＲＭＳＩ−ＲＮＴＩ、ＳＩ−ＲＮＲＩ、Ｐ‐ＲＮＴＩまたはＲＡ−ＲＮＴＩに基づいてスクランブルされるＤＣＩによりスケジューリングされるデータチャネルについて、ＤＭＲＳ  ＲＥオーバヘッド値は、ＵＥに関して予め定義され得るか、または基地局により通知され得る。
【０２３８】
任意選択的に、同じＤＭＲＳ  ＲＥオーバヘッド値または異なるＤＭＲＳ  ＲＥオーバヘッド値が、異なるデータチャネルについて予め定義され得る。
【０２３９】
例えば、アップリンクデータスケジューリングでは、ＤＭＲＳ  ＲＥオーバヘッド値は６であることが予め定義され得て、ダウンリンクデータスケジューリングでは、ＤＭＲＳ  ＲＥオーバヘッド値は４であることが予め定義され得る。
【０２４０】
任意選択的に、ＲＲＣ接続モードに入った後にスケジューリングされるデータチャネルおよび／またはＣ−ＲＮＴＩに基づいてスクランブルされるＤＣＩによりスケジューリングされるデータチャネルについて、ＵＥに関して構成されるＤＭＲＳ  ＲＥオーバヘッドが、ＵＥに対して予め定義され得るか、または基地局により通知され得る。
【０２４１】
任意選択的に、同じデータチャネルについて複数のＤＭＲＳ  ＲＥオーバヘッドが予め定義され得て、次に、基地局は、シグナリングにより、ＤＭＲＳ  ＲＥオーバヘッドをＵＥに通知する。
【０２４２】
可能な設計方式において、第１の情報は、データブロックにより占有されるシンボルの数量を含む。具体的には、データブロックにより占有されるシンボルの数量に対応する、復調基準信号により占有されるリソース要素の数量は、データブロックにより占有されるシンボルの数量に基づいて取得され得る。データブロックにより占有されるシンボルの数量と、復調基準信号により占有されるリソース要素の数量との間には、対応関係が存在する。
【０２４３】
任意選択的に、データブロックにより占有されるシンボルの数量とＤＭＲＳ  ＲＥオーバヘッドとの間の対応関係が、予め定義され得る。
【０２４４】
例えば、データブロックにより占有されるシンボルの数量が７未満である場合、ＤＭＲＳ  ＲＥオーバヘッド値は４または６であることが、予め定義され得る。これは、データブロックにより占有されるシンボルの数量が７未満である場合、追加のＤＭＲＳではなく、フロントローディングＤＭＲＳのみが、データブロック送信のために用いられる時間単位（例えば、シンボル１４個）で送信され得ることが理由である。
【０２４５】
例えば、データブロックにより占有されるシンボルの数量が７以上である場合、ＤＭＲＳ  ＲＥオーバヘッド値は８または１２であることが、予め定義され得る。これは、データブロックにより占有されるシンボルの数量が７以上である場合、フロントローディングＤＭＲＳのみではなく、追加のＤＭＲＳも、データブロック送信に用いられる時間単位（例えば、シンボル１４個）で送信され得ることが理由である。
【０２４６】
フロントローディングＤＭＲＳは、ある時間単位で送信されるＤＭＲＳのうち、フロントシンボルを占有するＤＭＲＳであり、追加のＤＭＲＳは、当該時間単位で送信されるＤＭＲＳのうち、リアシンボルを占有するＤＭＲＳである。
【０２４７】
フロントローディングＤＭＲＳは、基本ＤＭＲＳとも称され得て、データの開始位置または相対フロント位置に配置され得る。追加のＤＭＲＳは、追加のＤＭＲＳとも称され得る。基本ＤＭＲＳおよび追加のＤＭＲＳは、同じスケジューリングユニットの異なるシンボル位置で保持され得る。同じスケジューリングユニットは、サブフレーム、スロットまたはミニスロットのうちの少なくともいずれか１つを含む。このことは、本願の本実施形態において、具体的には限定されない。
【０２４８】
任意選択的に、追加のＤＭＲＳは、チャネル推定精度を改善するために用いられ得ると共に、高速移動シナリオに適用可能であることが指定される。異なるシンボルに関するチャネルステータスが変わった場合、追加のＤＭＲＳは、チャネル推定精度を改善するために導入される。
【０２４９】
図４および図５は、フロントローディングＤＭＲＳおよび追加のＤＭＲＳの概略図である。図４および図５において、水平線で塗りつぶされたシンボルは、基本ＤＭＲＳにより占有されるシンボル、すなわち、フロントローディングＤＭＲＳにより占有されるシンボルであり、点で塗りつぶされたシンボルは、追加のＤＭＲＳにより占有されるシンボルである。
【０２５０】
図４において、フロントローディングＤＭＲＳはシンボル３（すなわち、４番目のシンボル）上にあり、追加のＤＭＲＳはシンボル７（すなわち、８番目のシンボル）上にある。図５において、フロントローディングＤＭＲＳは、シンボル２（すなわち、３番目のシンボル）上にあり、追加のＤＭＲＳは、シンボル７（すなわち、８番目のシンボル）上にある。
【０２５１】
ＴＢＳの計算中により正確なＴＢＳを取得するためには、ＤＭＲＳのオーバヘッドが考慮される場合、基地局により実際に送信されるフロントローディングＤＭＲＳおよび追加のＤＭＲＳを含むＤＭＲＳのＲＥの数量が考慮される必要がある。これは、データがＤＭＲＳのＲＥのいずれにもマッピングされないことが理由である。
【０２５２】
可能な設計方式において、第１の情報は、データブロックにより占有されるシンボルの位置を含む。具体的には、データブロックにより占有されるシンボルの位置に対応する、復調基準信号により占有されるリソース要素の数量は、データブロックにより占有されるシンボルの位置に基づいて取得され得る。データブロックにより占有されるシンボルの位置と、復調基準信号により占有されるリソース要素の数量との間には、対応関係が存在する。
【０２５３】
任意選択的に、データブロックにより占有されるシンボルの位置とＤＭＲＳ  ＲＥオーバヘッドとの間の対応関係が、予め定義され得る。
【０２５４】
例えば、データブロックにより占有される最後のシンボルが、データブロック送信のために用いられるある時間単位（例えば、シンボル１４個）における９番目のシンボルの前である場合、ＤＭＲＳ  ＲＥオーバヘッド値は４または６であることが、予め定義され得る。これは、データブロックにより占有されるシンボルの数量が、この場合、７未満であることが理由である。言い換えれば、追加のＤＭＲＳではなく、フロントローディングＤＭＲＳのみが、データブロック送信で用いられる時間単位で送信され得る。
【０２５５】
データブロックにより占有される最後のシンボルが、データブロック送信のために用いられるある時間単位における９番目のシンボルの前であることは、データブロックにより占有される最後のシンボルのインデックス（ｉｎｄｅｘ）が８未満であることと理解され得る。
【０２５６】
例えば、データブロックにより占有される最後のシンボルが、データブロック送信のために用いられるある時間単位（例えば、シンボル１４個）における９番目のシンボル上、またはその後である場合、ＤＭＲＳ  ＲＥオーバヘッド値は８または１２であることが、予め定義され得る。これは、データブロックにより占有されるシンボルの数量が、この場合、７以上であることが理由である。言い換えれば、フロントローディングＤＭＲＳのみではなく、追加のＤＭＲＳも、データブロック送信で用いられる時間単位で送信され得る。
【０２５７】
データブロックにより占有される最後のシンボルが、データブロック送信のために用いられるある時間単位における９番目のシンボル上、またはその後であることは、データブロックにより占有される最後のシンボルのインデックス（ｉｎｄｅｘ）が８以上であることと理解され得る。
【０２５８】
可能な設計方式において、第１の情報は、追加のＤＭＲＳにより占有されるシンボルの位置および／または追加のＤＭＲＳの数量（または数）を含み得る。具体的には、追加のＤＭＲＳにより占有されるシンボルの位置および／または追加のＤＭＲＳの数量（または数）に対応する、復調基準信号により占有されるリソース要素の数量が、追加のＤＭＲＳにより占有されるシンボルの位置および／または追加のＤＭＲＳの数量（または数）に基づいて取得され得る。追加のＤＭＲＳにより占有されるシンボルの位置および／または追加のＤＭＲＳの数量（または数）と、復調基準信号により占有されるリソース要素の数量との間には、対応関係が存在する。
【０２５９】
任意選択的に、追加のＤＭＲＳの数量（または数）および／または追加のＤＭＲＳにより占有されるシンボルの位置と、ＤＭＲＳ  ＲＥオーバヘッド値との間の対応関係が、予め定義され得る。
【０２６０】
ＤＬ−ＤＭＲＳ−ａｄｄ−ｐｏｓまたはＵＬ−ＤＭＲＳ−ａｄｄ−ｐｏｓは、追加のＤＭＲＳの数量を示すために用いられ得るか、または、追加のＤＭＲＳの数を示すために用いられ得る、例えば、０、１、２および３のうちの少なくとも１つであり得る。
【０２６１】
任意選択的に、フロントローディングＤＭＲＳにより占有されるシンボルの数量が１である場合において、追加のＤＭＲＳの数量が０であるとき、これは、追加のＤＭＲＳにより占有されるシンボルが０個存在することを示し、追加のＤＭＲＳの数量が１であるとき、これは、追加のＤＭＲＳにより占有されるシンボルが１個存在することを示し、追加のＤＭＲＳの数量が２であるとき、これは、追加のＤＭＲＳにより占有されるシンボルが２個存在することを示し、または、追加のＤＭＲＳの数量が３であるとき、追加のＤＭＲＳにより占有されるシンボルが３個存在することを示す。
【０２６２】
任意選択的に、フロントローディングＤＭＲＳにより占有されるシンボルの数量が２である場合において、追加のＤＭＲＳの数量が０であるとき、これは、追加のＤＭＲＳにより占有されるシンボルが０個存在することを示し、追加のＤＭＲＳの数量が１であるとき、これは、追加のＤＭＲＳにより占有されるシンボルが２個存在することを示し、追加のＤＭＲＳの数量が２であるとき、これは、追加のＤＭＲＳにより占有されるシンボルが４個存在することを示し、または、追加のＤＭＲＳの数量が３であるとき、これは、追加のＤＭＲＳにより占有されるシンボルが６個存在することを示す。
【０２６３】
ＤＬ−ＤＭＲＳ−ａｄｄ−ｐｏｓまたはＵＬ−ＤＭＲＳ−ａｄｄ−ｐｏｓは、追加のＤＭＲＳにより占有されるシンボルの位置を示すためにも用いられ得る、例えば、０、１、２および３のうちの少なくとも１つであり得る。
【０２６４】
任意選択的に、追加のＤＭＲＳにより占有されるシンボルの位置は、代替的に、追加のＤＭＲＳにより占有されるシンボルの位置は、フロントローディングＤＭＲＳ位置の数量であり、例えば、０、１、２および３のうちの少なくとも１つであり得る、と理解され得る。
【０２６５】
任意選択的に、フロントローディングＤＭＲＳにより占有されるシンボルの数量が１である場合において、追加のＤＭＲＳにより占有されるシンボルの位置が０箇所であるとき、これは、追加のＤＭＲＳがフロントローディングＤＭＲＳ位置を０箇所占有する、すなわち、追加のＤＭＲＳが０個のシンボルを占有することを示し、追加のＤＭＲＳにより占有されるシンボルの位置が１箇所であるとき、これは、追加のＤＭＲＳがフロントローディングＤＭＲＳ位置を１箇所占有する、すなわち、追加のＤＭＲＳが１個のシンボルを占有することを示し、追加のＤＭＲＳにより占有されるシンボルの位置が２箇所であるとき、これは、追加のＤＭＲＳがフロントローディングＤＭＲＳ位置を２箇所占有する、すなわち、追加のＤＭＲＳが２個のシンボルを占有することを示し、または、追加のＤＭＲＳにより占有されるシンボルの位置が３箇所であるとき、これは、追加のＤＭＲＳがフロントローディングＤＭＲＳ位置を３箇所占有する、すなわち、追加のＤＭＲＳが３個のシンボルを占有することを示す。
【０２６６】
任意選択的に、フロントローディングＤＭＲＳにより占有されるシンボルの数量が２である場合において、追加のＤＭＲＳにより占有されるシンボルの位置が０箇所であるとき、これは、追加のＤＭＲＳがフロントローディングＤＭＲＳ位置を０箇所占有する、すなわち、追加のＤＭＲＳが０個のシンボルを占有することを示し、追加のＤＭＲＳにより占有されるシンボルの位置が１箇所であるとき、これは、追加のＤＭＲＳがフロントローディングＤＭＲＳ位置を１箇所占有する、すなわち、追加のＤＭＲＳが２個のシンボルを占有することを示し、追加のＤＭＲＳにより占有されるシンボルの位置が２箇所であるとき、これは、追加のＤＭＲＳがフロントローディングＤＭＲＳ位置を２箇所占有すること、すなわち、追加のＤＭＲＳが４個のシンボルを占有することを示し、または、追加のＤＭＲＳにより占有されるシンボルの位置が３箇所であるとき、これは、追加のＤＭＲＳがフロントローディングＤＭＲＳ位置を３箇所占有する、すなわち、追加のＤＭＲＳが６個のシンボルを占有することを示す。
【０２６７】
任意選択的に、追加のＤＭＲＳは、アップリンク追加ＤＭＲＳおよびダウンリンク追加ＤＭＲＳに分類され得る。アップリンク追加ＤＭＲＳにより占有されるシンボルの位置と、ダウンリンク追加ＤＭＲＳにより占有されるシンボルの位置とはそれぞれ、パラメータ「ＵＬ−ＤＭＲＳ−ａｄｄ−ｐｏｓ」および「パラメータＤＬ−ＤＭＲＳ−ａｄｄ−ｐｏｓ」により表され得る。
【０２６８】
任意選択的に、アップリンク追加ＤＭＲＳにより占有されるシンボルの位置と、ダウンリンク追加ＤＭＲＳにより占有されるシンボルの位置とは、同じパラメータを用いて示され得る。詳細は、本願において限定されない。
【０２６９】
任意選択的に、ＤＬ−ＤＭＲＳ−ａｄｄ−ｐｏｓ＝０またはＵＬ−ＤＭＲＳ−ａｄｄ−ｐｏｓ＝０である場合、ＤＭＲＳ  ＲＥオーバヘッド値はＱ１であり、Ｑ１は整数であることが、予め定義され得る。
【０２７０】
例えば、ＤＬ−ＤＭＲＳ−ａｄｄ−ｐｏｓ＝１またはＵＬ−ＤＭＲＳ−ａｄｄ−ｐｏｓ＝１である場合、ＤＭＲＳ  ＲＥオーバヘッド値はＱ２であり、Ｑ２は整数であることが、予め定義され得る。
【０２７１】
例えば、ＤＬ−ＤＭＲＳ−ａｄｄ−ｐｏｓ＝２またはＵＬ−ＤＭＲＳ−ａｄｄ−ｐｏｓ＝２である場合、ＤＭＲＳ  ＲＥオーバヘッド値はＱ３であり、Ｑ３は整数であることが、予め定義され得る。
【０２７２】
例えば、ＤＬ−ＤＭＲＳ−ａｄｄ−ｐｏｓ＝３またはＵＬ−ＤＭＲＳ−ａｄｄ−ｐｏｓ＝３である場合、ＤＭＲＳ  ＲＥオーバヘッド値はＱ４であり、Ｑ４は整数であることが、予め定義され得る。
【０２７３】
例えば、ＤＬ−ＤＭＲＳ−ａｄｄ−ｐｏｓ＝０またはＵＬ−ＤＭＲＳ−ａｄｄ−ｐｏｓ＝０である場合、ＤＭＲＳ  ＲＥオーバヘッド値は４または６であることが、予め定義され得る。
【０２７４】
例えば、ＤＬ−ＤＭＲＳ−ａｄｄ−ｐｏｓ＝１またはＵＬ−ＤＭＲＳ−ａｄｄ−ｐｏｓ＝１である場合、ＤＭＲＳ  ＲＥオーバヘッド値は８または１２であることが、予め定義され得る。
【０２７５】
例えば、ＤＬ−ＤＭＲＳ−ａｄｄ−ｐｏｓ＝２またはＵＬ−ＤＭＲＳ−ａｄｄ−ｐｏｓ＝２である場合、ＤＭＲＳ  ＲＥオーバヘッド値は１２または１８であることが、予め定義され得る。
【０２７６】
例えば、ＤＬ−ＤＭＲＳ−ａｄｄ−ｐｏｓ＝３またはＵＬ−ＤＭＲＳ−ａｄｄ−ｐｏｓ＝３である場合、ＤＭＲＳ  ＲＥオーバヘッド値は１６または２４であることが、予め定義され得る。
【０２７７】
任意選択的に、Ｑ１、Ｑ２、Ｑ３およびＱ４の値は、同じであり得るか、または異なり得る。このことは、具体的には限定されない。Ｑ１、Ｑ２、Ｑ３およびＱ４のいずれか１つの値は、４，６、８、１２、１６、１８、２４等であり得る。
【０２７８】
任意選択的に、Ｑ１、Ｑ２、Ｑ３およびＱ４のうちの少なくとも１つは、複数の値を有し得る。Ｑ１、Ｑ２、Ｑ３およびＱ４のうちの１つが複数の値を有する場合、基地局１１０は、シグナリングを介して、特定のＤＭＲＳ  ＲＥオーバヘッド値をＵＥ１２０に通知し得る。
【０２７９】
可能な設計方式において、第１の情報は、ＤＭＲＳの構成タイプと、ＤＭＲＳにより占有されるシンボルの数量と、データブロックにより占有されるシンボルの数量とを含み得る。具体的には、ＤＭＲＳの構成タイプと、ＤＭＲＳにより占有されるシンボルの数量と、データブロックにより占有されるシンボルの数量とに対応する、復調基準信号により占有されるリソース要素の数量が、ＤＭＲＳの構成タイプと、ＤＭＲＳにより占有されるシンボルの数量と、データブロックにより占有されるシンボルの数量とに基づいて取得され得る。ＤＭＲＳの構成タイプと、ＤＭＲＳにより占有されるシンボルの数量と、データブロックにより占有されるシンボルの数量と、復調基準信号により占有されるリソース要素の数量との間には、対応関係が存在する。
【０２８０】
任意選択的に、ＤＭＲＳ  ＲＥオーバヘッド値と、ＤＭＲＳの構成タイプ、ＤＭＲＳにより占有されるシンボルの数量およびデータブロックにより占有されるシンボルの数量との間の対応関係が、予め定義され得る。
【０２８１】
任意選択的に、例えば、ＤＬ−ＤＭＲＳ−ｃｏｎｆｉｇ−ｔｙｐｅ＝１、ＤＬ−ＤＭＲＳ−ｍａｘ−ｌｅｎ＝１、かつ、データブロックにより占有されるシンボルの数量が７未満である場合、または、ＵＬ−ＤＭＲＳ−ｃｏｎｆｉｇ−ｔｙｐｅ＝１、ＵＬ−ＤＭＲＳ−ｍａｘ−ｌｅｎ＝１、かつ、データブロックにより占有されるシンボルの数量が７未満である場合、ＤＭＲＳ  ＲＥオーバヘッド値はＰ１であり、Ｐ１は整数であることが、予め定義され得る。
【０２８２】
例えば、ＤＬ−ＤＭＲＳ−ｃｏｎｆｉｇ−ｔｙｐｅ＝１、ＤＬ−ＤＭＲＳ−ｍａｘ−ｌｅｎ＝２、かつ、データブロックにより占有されるシンボルの数量が７未満である場合、または、ＵＬ−ＤＭＲＳ−ｃｏｎｆｉｇ−ｔｙｐｅ＝１、ＵＬ−ＤＭＲＳ−ｍａｘ−ｌｅｎ＝２、かつ、データブロックにより占有されるシンボルの数量が７未満である場合、ＤＭＲＳ  ＲＥオーバヘッド値はＰ２であり、Ｐ２は整数であることが、予め定義され得る。
【０２８３】
例えば、ＤＬ−ＤＭＲＳ−ｃｏｎｆｉｇ−ｔｙｐｅ＝２、ＤＬ−ＤＭＲＳ−ｍａｘ−ｌｅｎ＝１、かつ、データブロックにより占有されるシンボルの数量が７未満である場合、または、ＵＬ−ＤＭＲＳ−ｃｏｎｆｉｇ−ｔｙｐｅ＝２、ＵＬ−ＤＭＲＳ−ｍａｘ−ｌｅｎ＝１、かつ、データブロックにより占有されるシンボルの数量が７未満である場合、ＤＭＲＳ  ＲＥオーバヘッド値はＰ３であり、Ｐ３は整数であることが、予め定義され得る。
【０２８４】
例えば、ＤＬ−ＤＭＲＳ−ｃｏｎｆｉｇ−ｔｙｐｅ＝２、ＤＬ−ＤＭＲＳ−ｍａｘ−ｌｅｎ＝２、かつ、データブロックにより占有されるシンボルの数量が７未満である場合、または、ＵＬ−ＤＭＲＳ−ｃｏｎｆｉｇ−ｔｙｐｅ＝２、ＵＬ−ＤＭＲＳ−ｍａｘ−ｌｅｎ＝２、かつ、データブロックにより占有されるシンボルの数量が７未満である場合、ＤＭＲＳ  ＲＥオーバヘッド値はＰ４であり、Ｐ４は整数であることが、予め定義され得る。
【０２８５】
例えば、ＤＬ−ＤＭＲＳ−ｃｏｎｆｉｇ−ｔｙｐｅ＝１、ＤＬ−ＤＭＲＳ−ｍａｘ−ｌｅｎ＝１、かつ、データブロックにより占有されるシンボルの数量が７以上である場合、または、ＵＬ−ＤＭＲＳ−ｃｏｎｆｉｇ−ｔｙｐｅ＝１、ＵＬ−ＤＭＲＳ−ｍａｘ−ｌｅｎ＝１、かつ、データブロックにより占有されるシンボルの数量が７以上である場合、ＤＭＲＳ  ＲＥオーバヘッド値はＰ５であり、Ｐ５は整数であることが、予め定義され得る。
【０２８６】
例えば、ＤＬ−ＤＭＲＳ−ｃｏｎｆｉｇ−ｔｙｐｅ＝１、ＤＬ−ＤＭＲＳ−ｍａｘ−ｌｅｎ＝２、かつ、データブロックにより占有されるシンボルの数量が７以上である場合、または、ＵＬ−ＤＭＲＳ−ｃｏｎｆｉｇ−ｔｙｐｅ＝１、ＵＬ−ＤＭＲＳ−ｍａｘ−ｌｅｎ＝２、かつ、データブロックにより占有されるシンボルの数量が７以上である場合、ＤＭＲＳ  ＲＥオーバヘッド値はＰ６であり、Ｐ６は整数であることが、予め定義され得る。
【０２８７】
例えば、ＤＬ−ＤＭＲＳ−ｃｏｎｆｉｇ−ｔｙｐｅ＝２、ＤＬ−ＤＭＲＳ−ｍａｘ−ｌｅｎ＝１、かつ、データブロックにより占有されるシンボルの数量が７以上である場合、または、ＵＬ−ＤＭＲＳ−ｃｏｎｆｉｇ−ｔｙｐｅ＝２、ＵＬ−ＤＭＲＳ−ｍａｘ−ｌｅｎ＝１、かつ、データブロックにより占有されるシンボルの数量が７以上である場合、ＤＭＲＳ  ＲＥオーバヘッド値はＰ７であり、Ｐ７は整数であることが、予め定義され得る。
【０２８８】
例えば、ＤＬ−ＤＭＲＳ−ｃｏｎｆｉｇ−ｔｙｐｅ＝２、ＤＬ−ＤＭＲＳ−ｍａｘ−ｌｅｎ＝２、かつ、データブロックにより占有されるシンボルの数量が７以上である場合、または、ＵＬ−ＤＭＲＳ−ｃｏｎｆｉｇ−ｔｙｐｅ＝２、ＵＬ−ＤＭＲＳ−ｍａｘ−ｌｅｎ＝２、かつ、データブロックにより占有されるシンボルの数量が７以上である場合、ＤＭＲＳ  ＲＥオーバヘッド値はＰ８であり、Ｐ８は整数であることが、予め定義され得る。
【０２８９】
任意選択的に、Ｐ１からＰ８のいずれか１つの値は、４、６、８、１２、１６、１８、２０、２４、２８、３２、３６等であり得る。
【０２９０】
例えば、ＤＬ−ＤＭＲＳ−ｃｏｎｆｉｇ−ｔｙｐｅ＝１、ＤＬ−ＤＭＲＳ−ｍａｘ−ｌｅｎ＝１、かつ、データブロックにより占有されるシンボルの数量が７未満である場合、または、ＵＬ−ＤＭＲＳ−ｃｏｎｆｉｇ−ｔｙｐｅ＝１、ＵＬ−ＤＭＲＳ−ｍａｘ−ｌｅｎ＝１、かつ、データブロックのシンボルの数量が７未満である場合、ＤＭＲＳ  ＲＥオーバヘッド値は６であることが、予め定義され得る。
【０２９１】
例えば、ＤＬ−ＤＭＲＳ−ｃｏｎｆｉｇ−ｔｙｐｅ＝１、ＤＬ−ＤＭＲＳ−ｍａｘ−ｌｅｎ＝２、かつ、データブロックにより占有されるシンボルの数量が７未満である場合、または、ＵＬ−ＤＭＲＳ−ｃｏｎｆｉｇ−ｔｙｐｅ＝１、ＵＬ−ＤＭＲＳ−ｍａｘ−ｌｅｎ＝２、かつ、データブロックにより占有されるシンボルの数量が７未満である場合、ＤＭＲＳ  ＲＥオーバヘッド値は１２であることが、予め定義され得る。
【０２９２】
例えば、ＤＬ−ＤＭＲＳ−ｃｏｎｆｉｇ−ｔｙｐｅ＝２、ＤＬ−ＤＭＲＳ−ｍａｘ−ｌｅｎ＝１、かつ、データブロックにより占有されるシンボルの数量が７未満である場合、または、ＵＬ−ＤＭＲＳ−ｃｏｎｆｉｇ−ｔｙｐｅ＝２、ＵＬ−ＤＭＲＳ−ｍａｘ−ｌｅｎ＝１、かつ、データブロックにより占有されるシンボルの数量が７未満である場合、ＤＭＲＳ  ＲＥオーバヘッド値は４であることが、予め定義され得る。
【０２９３】
例えば、ＤＬ−ＤＭＲＳ−ｃｏｎｆｉｇ−ｔｙｐｅ＝２、ＤＬ−ＤＭＲＳ−ｍａｘ−ｌｅｎ＝２、かつ、データブロックにより占有されるシンボルの数量が７未満である場合、または、ＵＬ−ＤＭＲＳ−ｃｏｎｆｉｇ−ｔｙｐｅ＝２、ＵＬ−ＤＭＲＳ−ｍａｘ−ｌｅｎ＝２、かつ、データブロックにより占有されるシンボルの数量が７未満である場合、ＤＭＲＳ  ＲＥオーバヘッド値は８であることが、予め定義され得る。
【０２９４】
例えば、ＤＬ−ＤＭＲＳ−ｃｏｎｆｉｇ−ｔｙｐｅ＝１、ＤＬ−ＤＭＲＳ−ｍａｘ−ｌｅｎ＝１、かつ、データブロックにより占有されるシンボルの数量が７以上である場合、または、ＵＬ−ＤＭＲＳ−ｃｏｎｆｉｇ−ｔｙｐｅ＝１、ＵＬ−ＤＭＲＳ−ｍａｘ−ｌｅｎ＝１、かつ、データブロックにより占有されるシンボルの数量が７以上である場合、ＤＭＲＳ  ＲＥオーバヘッド値は１２であることが、予め定義され得る。
【０２９５】
例えば、ＤＬ−ＤＭＲＳ−ｃｏｎｆｉｇ−ｔｙｐｅ＝１、ＤＬ−ＤＭＲＳ−ｍａｘ−ｌｅｎ＝２、かつ、データブロックにより占有されるシンボルの数量が７以上である場合、または、ＵＬ−ＤＭＲＳ−ｃｏｎｆｉｇ−ｔｙｐｅ＝１、ＵＬ−ＤＭＲＳ−ｍａｘ−ｌｅｎ＝２、かつ、データブロックにより占有されるシンボルの数量が７以上である場合、ＤＭＲＳ  ＲＥオーバヘッド値は２４であることが、予め定義され得る。
【０２９６】
例えば、ＤＬ−ＤＭＲＳ−ｃｏｎｆｉｇ−ｔｙｐｅ＝２、ＤＬ−ＤＭＲＳ−ｍａｘ−ｌｅｎ＝１、かつ、データブロックにより占有されるシンボルの数量が７以上である場合、または、ＵＬ−ＤＭＲＳ−ｃｏｎｆｉｇ−ｔｙｐｅ＝２、ＵＬ−ＤＭＲＳ−ｍａｘ−ｌｅｎ＝１、かつ、データブロックにより占有されるシンボルの数量が７以上である場合、ＤＭＲＳ  ＲＥオーバヘッド値は８であることが、予め定義され得る。
【０２９７】
例えば、ＤＬ−ＤＭＲＳ−ｃｏｎｆｉｇ−ｔｙｐｅ＝２、ＤＬ−ＤＭＲＳ−ｍａｘ−ｌｅｎ＝２、かつ、データブロックにより占有されるシンボルの数量が７以上である場合、または、ＵＬ−ＤＭＲＳ−ｃｏｎｆｉｇ−ｔｙｐｅ＝２、ＵＬ−ＤＭＲＳ−ｍａｘ−ｌｅｎ＝２、かつ、データブロックにより占有されるシンボルの数量が７以上である場合、ＤＭＲＳ  ＲＥオーバヘッド値は１６であることが、予め定義され得る。
【０２９８】
可能な設計方式において、第１の情報は、ＤＭＲＳの構成タイプと、ＤＭＲＳにより占有されるシンボルの数量と、データブロックにより占有されるシンボルの数量と、追加のＤＭＲＳにより占有されるシンボルの位置とを含み得る。具体的には、ＤＭＲＳの構成タイプ、ＤＭＲＳにより占有されるシンボルの数量、データブロックにより占有されるシンボルの数量および追加のＤＭＲＳにより占有されるシンボルの位置と、ＤＭＲＳ  ＲＥオーバヘッド値との間の対応関係が、予め定義され得る。ＤＭＲＳは、データブロックが受信される場合に用いられるＤＭＲＳである。
【０２９９】
例えば、ＤＬ−ＤＭＲＳ−ｃｏｎｆｉｇ−ｔｙｐｅ＝１、ＤＬ−ＤＭＲＳ−ｍａｘ−ｌｅｎ＝１、ＤＬ−ＤＭＲＳ−ａｄｄ−ｐｏｓ＝２、かつ、データブロックにより占有されるシンボルの数量が７以上である場合、または、ＵＬ−ＤＭＲＳ−ｃｏｎｆｉｇ−ｔｙｐｅ＝１、ＵＬ−ＤＭＲＳ−ｍａｘ−ｌｅｎ＝１、ＵＬ−ＤＭＲＳ−ａｄｄ−ｐｏｓ＝２、かつ、データブロックにより占有されるシンボルの数量が７以上である場合、ＤＭＲＳ  ＲＥオーバヘッド値は１８であることが、予め定義され得る。
【０３００】
例えば、ＤＬ−ＤＭＲＳ−ｃｏｎｆｉｇ−ｔｙｐｅ＝１、ＤＬ−ＤＭＲＳ−ｍａｘ−ｌｅｎ＝２、ＤＬ−ＤＭＲＳ−ａｄｄ−ｐｏｓ＝２、かつ、データブロックにより占有されるシンボルの数量が７以上である場合、または、ＵＬ−ＤＭＲＳ−ｃｏｎｆｉｇ−ｔｙｐｅ＝１、ＵＬ−ＤＭＲＳ−ｍａｘ−ｌｅｎ＝２、ＵＬ−ＤＭＲＳ−ａｄｄ−ｐｏｓ＝２、かつ、データブロックにより占有されるシンボルの数量が７以上である場合、ＤＭＲＳ  ＲＥオーバヘッド値は３６であることが、予め定義され得る。
【０３０１】
例えば、ＤＬ−ＤＭＲＳ−ｃｏｎｆｉｇ−ｔｙｐｅ＝２、ＤＬ−ＤＭＲＳ−ｍａｘ−ｌｅｎ＝１、ＤＬ−ＤＭＲＳ−ａｄｄ−ｐｏｓ＝２、かつ、データブロックにより占有されるシンボルの数量が７以上である場合、または、ＵＬ−ＤＭＲＳ−ｃｏｎｆｉｇ−ｔｙｐｅ＝２、ＵＬ−ＤＭＲＳ−ｍａｘ−ｌｅｎ＝１、ＵＬ−ＤＭＲＳ−ａｄｄ−ｐｏｓ＝２、かつ、データブロックにより占有されるシンボルの数量が７以上である場合、ＤＭＲＳ  ＲＥオーバヘッド値は１２であることが、予め定義され得る。
【０３０２】
例えば、ＤＬ−ＤＭＲＳ−ｃｏｎｆｉｇ−ｔｙｐｅ＝２、ＤＬ−ＤＭＲＳ−ｍａｘ−ｌｅｎ＝２、ＤＬ−ＤＭＲＳ−ａｄｄ−ｐｏｓ＝２、かつ、データブロックにより占有されるシンボルの数量が７以上である場合、または、ＵＬ−ＤＭＲＳ−ｃｏｎｆｉｇ−ｔｙｐｅ＝２、ＵＬ−ＤＭＲＳ−ｍａｘ−ｌｅｎ＝２、ＵＬ−ＤＭＲＳ−ａｄｄ−ｐｏｓ＝２、かつ、データブロックにより占有されるシンボルの数量が７以上である場合、ＤＭＲＳ  ＲＥオーバヘッド値は２４であることが、予め定義され得る。
【０３０３】
例えば、ＤＬ−ＤＭＲＳ−ｃｏｎｆｉｇ−ｔｙｐｅ＝１、ＤＬ−ＤＭＲＳ−ｍａｘ−ｌｅｎ＝１、ＤＬ−ＤＭＲＳ−ａｄｄ−ｐｏｓ＝３、かつ、データブロックにより占有されるシンボルの数量が７以上である場合、または、ＵＬ−ＤＭＲＳ−ｃｏｎｆｉｇ−ｔｙｐｅ＝１、ＵＬ−ＤＭＲＳ−ｍａｘ−ｌｅｎ＝１、ＵＬ−ＤＭＲＳ−ａｄｄ−ｐｏｓ＝３、かつ、データブロックにより占有されるシンボルの数量が７以上である場合、ＤＭＲＳ  ＲＥオーバヘッド値は２４であることが、予め定義され得る。
【０３０４】
例えば、ＤＬ−ＤＭＲＳ−ｃｏｎｆｉｇ−ｔｙｐｅ＝１、ＤＬ−ＤＭＲＳ−ｍａｘ−ｌｅｎ＝２、ＤＬ−ＤＭＲＳ−ａｄｄ−ｐｏｓ＝３、かつ、データブロックにより占有されるシンボルの数量が７以上である場合、または、ＵＬ−ＤＭＲＳ−ｃｏｎｆｉｇ−ｔｙｐｅ＝１、ＵＬ−ＤＭＲＳ−ｍａｘ−ｌｅｎ＝２、ＵＬ−ＤＭＲＳ−ａｄｄ−ｐｏｓ＝３、かつ、データブロックにより占有されるシンボルの数量が７以上である場合、ＤＭＲＳ  ＲＥオーバヘッド値は４８であることが、予め定義され得る。
【０３０５】
例えば、ＤＬ−ＤＭＲＳ−ｃｏｎｆｉｇ−ｔｙｐｅ＝２、ＤＬ−ＤＭＲＳ−ｍａｘ−ｌｅｎ＝１、ＤＬ−ＤＭＲＳ−ａｄｄ−ｐｏｓ＝３、かつ、データブロックにより占有されるシンボルの数量が７以上である場合、または、ＵＬ−ＤＭＲＳ−ｃｏｎｆｉｇ−ｔｙｐｅ＝２、ＵＬ−ＤＭＲＳ−ｍａｘ−ｌｅｎ＝１、ＵＬ−ＤＭＲＳ−ａｄｄ−ｐｏｓ＝３、かつ、データブロックにより占有されるシンボルの数量が７以上である場合、ＤＭＲＳ  ＲＥオーバヘッド値は１６であることが、予め定義され得る。
【０３０６】
例えば、ＤＬ−ＤＭＲＳ−ｃｏｎｆｉｇ−ｔｙｐｅ＝２、ＤＬ−ＤＭＲＳ−ｍａｘ−ｌｅｎ＝２、ＤＬ−ＤＭＲＳ−ａｄｄ−ｐｏｓ＝３、かつ、データブロックにより占有されるシンボルの数量が７以上である場合、または、ＵＬ−ＤＭＲＳ−ｃｏｎｆｉｇ−ｔｙｐｅ＝２、ＵＬ−ＤＭＲＳ−ｍａｘ−ｌｅｎ＝２、ＵＬ−ＤＭＲＳ−ａｄｄ−ｐｏｓ＝３、かつ、データブロックにより占有されるシンボルの数量が７以上である場合、ＤＭＲＳ  ＲＥオーバヘッド値は３２であることが、予め定義され得る。
【０３０７】
任意選択的に、Ｐ１からＰ８のうちの少なくとも１つは、複数の値を有し得る。Ｐ１からＰ８のうちの少なくとも１つが複数の値を有する場合、基地局１１０は、シグナリングを介して、複数の値のうちのどれがＤＭＲＳ  ＲＥオーバヘッド値であるかをＵＥ１２０に通知し得る。
【０３０８】
任意選択的に、第１の情報は、ダウンリンクＰＤＳＣＨマッピングタイプＡ（ＤＬ−ＤＭＲＳ−ｔｙｐｅＡ−ｐｏｓ）の場合におけるＤＭＲＳの位置をさらに含み得る。ＤＬ−ＤＭＲＳ−ｔｙｐｅＡ−ｐｏｓ＝２である場合、データブロック送信のために用いられる時間単位において、３個の追加のＤＭＲＳが存在し得る。従って、予め定義されたＤＭＲＳ  ＲＥオーバヘッド値は、ＤＬ−ＤＭＲＳ−ｔｙｐｅＡ−ｐｏｓが２と等しくない場合に固有のＤＭＲＳ  ＲＥオーバヘッド値とは異なり得る。
【０３０９】
ＤＬ−ＤＭＲＳ−ｔｙｐｅＡ−ｐｏｓは、ＰＤＳＣＨマッピングタイプＡの場合におけるＤＭＲＳの位置を示すために用いられ得る。任意選択的に、ＤＭＲＳの位置（ＤＭＲＳの１番目のシンボルの位置）は、３番目のシンボルまたは４番目のシンボルであり得る。例えば、インデックスが２または３であり得る。
【０３１０】
前述の予め定義された対応関係は、例に過ぎないことを理解されたい。実際の実装では、復調基準信号ＲＥオーバヘッド値と、以下の情報、つまり、ＤＣＩフォーマット、復調基準信号の構成タイプ、復調基準信号により占有されるシンボルの数量、波形、ＤＣＩのＲＮＴＩスクランブル方式、データブロックにより占有されるシンボルの数量およびデータブロックにより占有されるシンボルの位置のうちの少なくとも１つのタイプとの間の対応関係が、予め定義され得る。具体的な予め定義する方式については、前述の方式を参照されたい。詳細は、ここでは改めて説明されない。
【０３１１】
復調基準信号ＲＥオーバヘッド値が第１の情報について前述の方式のいずれか１つで予め定義された後に、基地局１１０およびＵＥ１２０は、第１の情報と復調基準信号ＲＥオーバヘッド値との間の、この方式で予め定義された対応関係を構成し得る。ＵＥ１２０に関して構成される対応関係は、直接構成され得るか、または、ＵＥ１２０が基地局１１０から対応関係を受信した後に、ＵＥ１２０により構成され得る。
【０３１２】
基地局１１０およびＵＥ１２０は、第１の情報を取得した後に、第１の情報と復調基準信号ＲＥオーバヘッド値との間の、前述の方式のいずれか１つで予め定義された対応関係を構成する。基地局１１０およびＵＥ１２０は、ＲＥオーバヘッド値に基づいてＴＢＳを決定すべく、第１の情報および復調基準信号ＲＥオーバヘッド値に基づいて、当該対応関係を取得し得る。
【０３１３】
図６は、本願の実施形態による復調基準信号ＲＥオーバヘッド値を決定するための方法の概略フローチャートである。図６は通信方法の段階またはオペレーションを示すが、これらの段階またはオペレーションは例に過ぎないことを理解されたい。本願の本実施形態において、他のオペレーションまたは図６におけるオペレーションの変形がさらに実行され得る。加えて、図６における段階は、図６に示されるものとは異なる順序で実行され得る。図６におけるオペレーションの全ての実行は、不要であり得る。
【０３１４】
図６に示される方法は、通信プロセスにおいて通信装置により実行される。例えば、通信装置は、基地局１１０であり得るか、またはＵＥ１２０であり得る。
【０３１５】
Ｓ６１０．以下の情報、つまり、ダウンリンク制御情報フォーマット、復調基準信号の構成タイプ、復調基準信号により占有されるシンボルの数量、波形、ダウンリンク制御情報のＲＮＴＩスクランブル方式、データチャネルのタイプ、データブロックにより占有されるシンボルの数量およびデータブロックにより占有されるシンボルの位置のうちの少なくとも１つのタイプを含む第１の情報を取得する。
【０３１６】
任意選択的に、ダウンリンク制御情報フォーマット、復調基準信号の構成タイプ、復調基準信号により占有されるシンボルの数量、波形、ダウンリンク制御情報のＲＮＴＩスクランブル方式、データチャネルのタイプ、データブロックにより占有されるシンボルの数量およびデータブロックにより占有されるシンボルの位置のうちの少なくとも１つは、通信要件に基づいて通信装置（例えば、基地局またはＵＥ）により取得され得る、および／または、受信端として機能する通信装置により、送信端として機能する通信装置からのインジケーションに従って取得され得る。
【０３１７】
任意選択的に、基地局は、シグナリングを介して、第１の情報を端末に通知し得る。端末は、基地局のシグナリングに基づいて、第１の情報を決定する。シグナリングは、上位層シグナリングであり得るか、または物理層シグナリングであり得る。詳細は、本願において限定されない。
【０３１８】
任意選択的に、端末または基地局は、端末または基地局の要件または予め記憶された情報に基づいて、第１の情報を取得し得る。詳細は、本願において限定されない。
【０３１９】
任意選択的に、本願における「取得（ｏｂｔａｉｎｉｎｇ）」は、決定、実現（ｏｂｔａｉｎｉｎｇ）、獲得、確認、取得（ａｃｑｕｉｒｉｎｇ）等と称され得る。
【０３２０】
例えば、基地局１１０は、上位層シグナリングを介して、復調基準信号の構成タイプをＵＥ１２０に通知し得る。
【０３２１】
例えば、ＵＥ１２０は、様々なＲＮＴＩを用いて、復調基準信号に対してブラインド検出を実行し得る。成功裏な復調に対応するＲＮＴＩスクランブル方式は、実現される必要があるＲＮＴＩスクランブル方式である。
【０３２２】
例えば、基地局および／または端末は、データ送信のためのデータチャネルの特性および／またはデータ受信のためのデータチャネルの特性に基づいて、第１の情報を取得し得る。
【０３２３】
Ｓ６２０．第１の情報に基づいて、第１の情報に対応する、復調基準信号により占有されるＲＥの数量を取得する。第１の情報と、復調基準信号により占有されるリソース要素の数量との間には、対応関係が存在する。
【０３２４】
任意選択的に、第１の情報は、復調基準信号により占有されるリソース要素の数量と一対一の対応関係にある。
【０３２５】
任意選択的に、第１の情報に対応する、復調基準信号により占有されるリソース要素の数量は、第１の情報に対応するデータブロックが受信または送信される場合に実行されるチャネル推定および／または復調のために用いられる基準信号により占有されるリソース要素の数量を含み得る。
【０３２６】
任意選択的に、本願における「取得（ｏｂｔａｉｎｉｎｇ）」は、決定、実現（ｏｂｔａｉｎｉｎｇ）、獲得、確認、取得（ａｃｑｕｉｒｉｎｇ）等と称され得る。
【０３２７】
本明細書における復調基準信号により占有されるＲＥの数量は、ＤＣＩによりスケジューリングされるリソースにおける、復調基準信号を送信するために用いられることが可能なＲＥの数量であり得ることを理解されたい。言い換えれば、本願の本実施形態において、復調基準信号により占有されるＲＥの数量は、ＤＣＩを用いてスケジューリングされるリソースにおける、復調基準信号を送信するために実際に用いられるＲＥの数量以上であり得る。
【０３２８】
例えば、第１の情報がＤＣＩフォーマットまたはＤＣＩのＲＮＴＩスクランブル方式を含む場合、第１の情報に対応する、復調基準信号により占有されるリソース要素の数量は、ＤＣＩによりスケジューリングされるデータブロックが受信される場合に実行されるチャネル推定および／または復調のために用いられる復調基準信号により占有されるリソース要素の数量を含み得る、または、第１の情報がデータブロックにより占有されるシンボルの数量またはデータブロックにより占有されるシンボルの位置を含む場合、第１の情報に対応する、復調基準信号により占有されるリソース要素の数量は、データブロックが受信されるときに実行されるチャネル推定および／または復調のために用いられる復調基準信号により占有されるリソース要素の数量を含み得る。
【０３２９】
例えば、第１の情報がダウンリンク制御情報フォーマットを含み、基地局１１０またはＵＥ１２０がダウンリンク制御情報フォーマットとＤＭＲＳ  ＲＥオーバヘッドとの間の対応関係を前述の設計方式で構成する場合、基地局１１０またはＵＥ１２０が、第１の情報に基づいて、ＤＭＲＳにより占有されるＲＥの数量を取得する段階は、ダウンリンク制御情報フォーマットがＤＣＩフォーマット１＿０である場合、ＤＭＲＳにより占有されるＲＥの数量が４であることを実現する段階、または、ダウンリンク制御情報フォーマットがＤＣＩフォーマット０＿０である場合、ＤＭＲＳにより占有されるＲＥの数量が６であることを実現する段階を含み得る。
【０３３０】
例えば、第１の情報がＤＭＲＳの構成タイプを含み、基地局１１０またはＵＥ１２０が、ＤＭＲＳの構成タイプとＤＭＲＳ  ＲＥオーバヘッド値との間の対応関係を前述の設計方式で構成する場合、第１の情報に基づいて、ＤＭＲＳにより占有されるＲＥの数量を取得する段階は、ＤＭＲＳの構成タイプがＤＭＲＳ構成タイプ１である場合、ＤＭＲＳにより占有されるＲＥの数量が６であることを実現する段階、または、ＤＭＲＳの構成タイプがＤＭＲＳ構成タイプ２である場合、ＤＭＲＳにより占有されるＲＥの数量が４であることを実現する段階を含み得る。
【０３３１】
例えば、第１の情報がＤＭＲＳの構成タイプとＤＭＲＳにより占有されるシンボルの数量を含み、基地局１１０またはＵＥ１２０が、ＤＭＲＳの構成タイプおよびＤＭＲＳにより占有されるシンボルの数量とＤＭＲＳ  ＲＥオーバヘッドとの間の対応関係を前述の設計方式で構成する場合、第１の情報に基づいて、ＤＭＲＳにより占有されるＲＥの数量を取得する段階は、ＤＭＲＳの構成タイプがＤＭＲＳ構成タイプ１であり、ＤＭＲＳにより占有されるシンボルの数量が１である場合、ＤＭＲＳにより占有されるＲＥの数量が６であることを実現する段階、または、ＤＭＲＳの構成タイプがＤＭＲＳ構成タイプ１であり、ＤＭＲＳにより占有されるシンボルの数量が２である場合、ＤＭＲＳにより占有されるＲＥの数量が１２であることを実現する段階、または、ＤＭＲＳの構成タイプがＤＭＲＳ構成タイプ２であり、ＤＭＲＳにより占有されるシンボルの数量が１である場合、ＤＭＲＳにより占有されるＲＥの数量が４であることを実現する段階、または、ＤＭＲＳの構成タイプがＤＭＲＳ構成タイプ２であり、ＤＭＲＳにより占有されるシンボルの数量が２である場合、ＤＭＲＳにより占有されるＲＥの数量が８であることを実現する段階を含む。
【０３３２】
基地局１１０およびＵＥ１２０が、第１の情報とＤＭＲＳ  ＲＥオーバヘッド値との間の対応関係を前述の方式のうちのいずれか１つで構成する場合、ＤＭＲＳ  ＲＥオーバヘッド値を取得するために基地局１１０およびＵＥ１２０により用いられる方法は、前述の例におけるものと同様であることを理解されたい。詳細は、ここでは改めて説明されない。
【０３３３】
本願において提供される方法によれば、ＵＥ１２０は、ＣＤＭ  ｇｒｏｕｐを示すために基地局１１０により送信される情報を受信することなく、ＤＭＲＳ  ＲＥオーバヘッド値を取得し得て、さらに、ＲＥオーバヘッド値に基づいて、ＴＢＳを決定し得る。
【０３３４】
例えば、基地局１１０からフォールバックＤＣＩを受信した場合、ＵＥ１２０はまた、ＤＭＲＳ  ＲＥオーバヘッド値を取得してＴＢＳを決定することにより、送信性能を改善し得る。
【０３３５】
本願の別の実施形態において、基地局１１０は、シグナリングを用いて、ＤＭＲＳ  ＲＥオーバヘッド値をＵＥ１２０に通知し得る。シグナリングは、上位層シグナリング、物理層シグナリング等であり得る。
【０３３６】
例えば、基地局１１０は、シグナリングをＵＥ１２０へ送信し、シグナリングは、ＤＭＲＳ  ＲＥオーバヘッド値が４、６、８、１２、２４等のうちの１つであることを示すために用いられる。
【０３３７】
本願の別の実施形態において、基地局１１０は、上位層シグナリングを介して、ＵＥ１２０について複数のＤＭＲＳ  ＲＥオーバヘッド値を構成し得て、次に、シグナリングを介して、複数のＤＭＲＳ  ＲＥオーバヘッド値のうちの特定の値をＵＥ１２０に通知することにより、ＵＥ１２０がＴＢＳを決定し得るようにする。
【０３３８】
図７は、本願の実施形態による通信装置の概略構造図である。図７に示される通信装置７００は、例に過ぎないことを理解されたい。本願の本実施形態における通信装置は、他のモジュールまたはユニットをさらに含み得るか、もしくは、図７におけるモジュールのものと同様の機能を有するモジュールを含み得る、または、必ずしも図７における全てのモジュールを含む必要はない。
【０３３９】
通信装置７００は、第１の処理モジュール７１０および第２の処理モジュール７２０を含み得る。通信装置７００は、図６に示される方法を実行するように構成され得る。
【０３４０】
例えば、第１の処理モジュール７１０は、以下の情報、つまり、ダウンリンク制御情報フォーマット、復調基準信号の構成タイプ、復調基準信号により占有されるシンボルの数量、波形、ダウンリンク制御情報の無線ネットワーク一時識別子スクランブル方式、データチャネルのタイプ、データブロックにより占有されるシンボルの数量およびデータブロックにより占有されるシンボルの位置のうちの少なくとも１つのタイプを含む第１の情報を取得するように構成される。
【０３４１】
第２の処理モジュール７２０は、第１の情報に基づいて、第１の情報に対応する、復調基準信号により占有されるリソース要素の数量を取得するように構成される。第１の情報と、復調基準信号により占有されるリソース要素の数量との間には、対応関係が存在する。
【０３４２】
任意選択的に、第１の情報は、復調基準信号により占有されるリソース要素の数量と一対一の対応関係にある。
【０３４３】
任意選択的に、第１の情報がダウンリンク制御情報フォーマットを含む場合、第２の処理モジュール７２０は、具体的には、
ダウンリンク制御情報フォーマットがダウンリンク制御情報フォーマット１＿０であるときは、復調基準信号により占有されるリソース要素の数量が４または６であることを実現するように構成され、および／または、
ダウンリンク制御情報フォーマットがダウンリンク制御情報フォーマット０＿０であるときは、復調基準信号により占有されるリソース要素の数量が６または４であることを実現するように構成される。
【０３４４】
任意選択的に、第１の情報が復調基準信号の構成タイプを含む場合、第２の処理モジュール７２０は、具体的には、
復調基準信号の構成タイプが構成タイプ１であるときは、復調基準信号により占有されるリソース要素の数量が６であることを実現するように構成され、および／または
復調基準信号の構成タイプが構成タイプ２であるときは、復調基準信号により占有されるリソース要素の数量が４であることを実現するように構成される。
【０３４５】
任意選択的に、第１の情報が、復調基準信号の構成タイプと、復調基準信号により占有されるシンボルの数量とを含む場合、第２の処理モジュール７２０は、具体的には、
復調基準信号の構成タイプが構成タイプ１であり、復調基準信号により占有されるシンボルの数量が１であるときは、復調基準信号により占有されるリソース要素の数量が６であることを実現するように構成され、および／または、
復調基準信号の構成タイプが構成タイプ１であり、復調基準信号により占有されるシンボルの数量が２であるときは、復調基準信号により占有されるリソース要素の数量が１２であることを実現するように構成され、および／または、
復調基準信号の構成タイプが構成タイプ２であり、復調基準信号により占有されるシンボルの数量が１であるときは、復調基準信号により占有されるリソース要素の数量が４であることを実現するように構成され、および／または、
復調基準信号の構成タイプが構成タイプ２であり、復調基準信号により占有されるシンボルの数量が２であるときは、復調基準信号により占有されるリソース要素の数量が８であることを実現するように構成される。
【０３４６】
任意選択的に、第２の処理モジュール７２０は、具体的には、第１の情報と、復調基準信号により占有されるリソース要素の数量との間の対応関係に基づいて、復調基準信号により占有されるリソース要素の数量を取得するように構成される。
【０３４７】
図８は、本願の実施形態による通信デバイスの概略構造図である。図８に示される通信デバイス８００は、例に過ぎないことを理解されたい。本願の本実施形態における通信デバイスは、他のモジュールまたはユニットをさらに含み得るか、もしくは、図８におけるモジュールのものと同様の機能を有するモジュールを含み得る、または、必ずしも図８における全てのモジュールを含む必要はない。
【０３４８】
通信デバイス８００は、少なくとも１つのプロセッサ８１０および通信インタフェース８２０を含む。通信デバイス８００は、図６に示される方法を実行するように構成される。
【０３４９】
例えば、通信インタフェースは、別の通信デバイスと情報を交換するように構成され、少なくとも１つのプロセッサ８１０は、１または複数の命令を実行することにより、通信デバイス８００が、図６に示される方法を実行するようにする。
【０３５０】
任意選択的に、通信デバイス８００は、アクセスネットワークデバイスまたは端末デバイスであり得る。通信デバイス８００が端末デバイスである場合、当該対応関係は、端末デバイスにより通信プロトコルに従って構成され得るか、または、端末デバイスによりアクセスネットワークデバイスから受信され得る。
【０３５１】
図９は、本願の実施形態によるシステムチップの概略構造図である。図９に示されるシステムチップ９００は、例に過ぎないことを理解されたい。本願の本実施形態におけるシステムチップは、他のモジュールまたはユニットをさらに含み得るか、もしくは、図９におけるモジュールのものと同様の機能を有するモジュールを含み得る、または、必ずしも図９における全てのモジュールを含む必要はない。
【０３５２】
システムチップ９００は、少なくとも１つのプロセッサ９１０および入出力インタフェース９２０を含む。システムチップ９００は、図６に示される方法を実行するように構成され得る。
【０３５３】
例えば、入出力インタフェースは、別の通信デバイスと情報を交換するように構成され、少なくとも１つのプロセッサ９１０は、１または複数の命令を実行することにより、システムチップ９００が、図６に示される方法を実行するようにする。
【０３５４】
図１０は、本願の実施形態による通信システムの概略構造図である。図１０に示される通信システム１０００は、例に過ぎないことを理解されたい。本願の本実施形態における通信システムは、他のモジュールまたはユニットをさらに含み得るか、もしくは、図１０におけるモジュールのものと同様の機能を有するモジュールを含み得る、または、必ずしも図１０における全てのモジュールを含む必要はない。
【０３５５】
通信システム１０００は、通信デバイス１０１０を含む。通信デバイス１０１０は、図８に示される通信デバイス８００であり得る。
【０３５６】
当業者であれば、本明細書において開示される実施形態を参照して説明される例におけるユニットおよびアルゴリズム段階は、電子ハードウェアまたはコンピュータソフトウェアと電子ハードウェアとの組み合わせにより実装され得ることを認識し得る。機能がハードウェアにより実行されるか、またはソフトウェアにより実行されるかは、技術的解決手段の具体的な応用および設計上の制約に依存する。当業者であれば、異なる方法を用いて、説明された機能を具体的な応用の全てについて実装し得るが、当該実装が本願の範囲を越えるとみなされるべきではない。
【０３５７】
簡便かつ簡潔な説明を目的として、前述のシステム、装置およびユニットの具体的な動作プロセスは、前述の方法の実施形態における対応するプロセスを指すことが、当業者には明確に理解され得る。詳細は、ここでは改めて説明されない。
【０３５８】
本願はさらに、以下の実施形態を提供する。以下の実施形態には、本願における前述の実施形態に番号が付される方式とは異なる態様で番号が付されていることに留意されたい。
【０３５９】
実施形態１：通信プロセスにおけるリソース要素の数量を取得するための方法が提供される。方法は、
第１の情報を取得する段階であって、第１の情報は、以下の情報、つまり、ダウンリンク制御情報フォーマット、復調基準信号の構成タイプ、復調基準信号により占有されるシンボルの数量、波形、ダウンリンク制御情報の無線ネットワーク一時識別子スクランブル方式、データチャネルのタイプ、データブロックにより占有されるシンボルの数量およびデータブロックにより占有されるシンボルの位置のうちの少なくとも１つのタイプを含む、段階と、
第１の情報に基づいて、第１の情報に対応する、復調基準信号により占有されるリソース要素の数量を取得する段階であって、第１の情報と、復調基準信号により占有されるリソース要素の数量との間には、対応関係が存在する、段階と
を含む。
【０３６０】
実施形態２：実施形態１における方法によれば、第１の情報は、復調基準信号により占有されるリソース要素の数量と一対一の対応関係にある。
【０３６１】
実施形態３：実施形態１または２における方法によれば、第１の情報がダウンリンク制御情報フォーマットを含む場合、第１の情報に基づいて、復調基準信号により占有されるリソース要素の数量を取得する段階は、
ダウンリンク制御情報フォーマットがダウンリンク制御情報フォーマット１＿０であるときは、復調基準信号により占有されるリソース要素の数量が４または６であることを実現する段階、および／または、ダウンリンク制御情報フォーマットがダウンリンク制御情報フォーマット０＿０であるときは、復調基準信号により占有されるリソース要素の数量が６または４であることを実現する段階
を含む。
【０３６２】
実施形態４：実施形態１または２における方法によれば、第１の情報が復調基準信号の構成タイプを含む場合、第１の情報に基づいて、復調基準信号により占有されるリソース要素の数量を取得する段階は、
復調基準信号の構成タイプが構成タイプ１であるときは、復調基準信号により占有されるリソース要素の数量が６であることを実現する段階、および／または、復調基準信号の構成タイプが構成タイプ２であるときは、復調基準信号により占有されるリソース要素の数量が４であることを実現する段階
を含む。
【０３６３】
実施形態５：実施形態１または２における方法によれば、第１の情報が、復調基準信号の構成タイプと、復調基準信号により占有されるシンボルの数量とを含む場合、
第１の情報に基づいて、復調基準信号により占有されるリソース要素の数量を取得する段階は、
復調基準信号の構成タイプが構成タイプ１であり、復調基準信号により占有されるシンボルの数量が１であるときは、復調基準信号により占有されるリソース要素の数量が６であることを実現する段階、および／または、
復調基準信号の構成タイプが構成タイプ１であり、復調基準信号により占有されるシンボルの数量が２であるときは、復調基準信号により占有されるリソース要素の数量が１２であることを実現する段階、および／または、
復調基準信号の構成タイプが構成タイプ２であり、復調基準信号により占有されるシンボルの数量が１であるときは、復調基準信号により占有されるリソース要素の数量が４であることを実現する段階、および／または、
復調基準信号の構成タイプが構成タイプ２であり、復調基準信号により占有されるシンボルの数量が２であるときは、復調基準信号により占有されるリソース要素の数量が８であることを実現する段階
を含む。
【０３６４】
実施形態６：実施形態１から実施形態５のいずれか１つにおける方法によれば、第１の情報に基づいて、復調基準信号により占有されるリソース要素の数量を取得する段階は、第１の情報と、復調基準信号により占有されるリソース要素の数量との間の対応関係に基づいて、復調基準信号により占有されるリソース要素の数量を取得する段階を含む。
【０３６５】
実施形態７：実施形態６における方法によれば、方法は、端末デバイスにより実行され、対応関係が、端末デバイスにより通信プロトコルに従って構成されるか、または、端末デバイスによりアクセスネットワークデバイスから受信される。
【０３６６】
実施形態８：通信装置が提供される。通信装置は、
第１の情報を取得することであって、第１の情報は、以下の情報、つまり、ダウンリンク制御情報フォーマット、復調基準信号の構成タイプ、復調基準信号により占有されるシンボルの数量、波形、ダウンリンク制御情報の無線ネットワーク一時識別子スクランブル方式、データチャネルのタイプ、データブロックにより占有されるシンボルの数量およびデータブロックにより占有されるシンボルの位置のうちの少なくとも１つのタイプを含む、取得することを行うように構成された第１の処理モジュールと、
第１の情報に基づいて、第１の情報に対応する、復調基準信号により占有されるリソース要素の数量を取得することであって、第１の情報と、復調基準信号により占有されるリソース要素の数量との間には、対応関係が存在する、取得することを行うように構成された第２の処理モジュールと
を含む。
【０３６７】
実施形態９：実施形態８における通信装置によれば、第１の情報は、復調基準信号により占有されるリソース要素の数量と一対一の対応関係にある。
【０３６８】
実施形態１０：実施形態８または９における通信装置によれば、第１の情報がダウンリンク制御情報フォーマットを含む場合、第２の処理モジュールは、具体的には、
ダウンリンク制御情報フォーマットがダウンリンク制御情報フォーマット１＿０であるときは、復調基準信号により占有されるリソース要素の数量が４または６であることを実現するように構成され、および／または、
ダウンリンク制御情報フォーマットがダウンリンク制御情報フォーマット０＿０であるときは、復調基準信号により占有されるリソース要素の数量が６または４であることを実現するように構成される。
【０３６９】
実施形態１１：実施形態８または９における通信装置によれば、第１の情報が復調基準信号の構成タイプを含む場合、第２の処理モジュールは、具体的には、
復調基準信号の構成タイプが構成タイプ１であるときは、復調基準信号により占有されるリソース要素の数量が６であることを実現するように構成され、および／または
復調基準信号の構成タイプが構成タイプ２であるときは、復調基準信号により占有されるリソース要素の数量が４であることを実現するように構成される。
【０３７０】
実施形態１２：実施形態８または９における通信装置によれば、第１の情報が、復調基準信号の構成タイプと、復調基準信号により占有されるシンボルの数量とを含む場合、第２の処理モジュールは、具体的には、
復調基準信号の構成タイプが構成タイプ１であり、復調基準信号により占有されるシンボルの数量が１であるときは、復調基準信号により占有されるリソース要素の数量が６であることを実現するように構成され、および／または、
復調基準信号の構成タイプが構成タイプ１であり、復調基準信号により占有されるシンボルの数量が２であるときは、復調基準信号により占有されるリソース要素の数量が１２であることを実現するように構成され、および／または、
復調基準信号の構成タイプが構成タイプ２であり、復調基準信号により占有されるシンボルの数量が１であるときは、復調基準信号により占有されるリソース要素の数量が４であることを実現するように構成され、および／または、
復調基準信号の構成タイプが構成タイプ２であり、復調基準信号により占有されるシンボルの数量が２であるときは、復調基準信号により占有されるリソース要素の数量が８であることを実現するように構成される。
【０３７１】
実施形態１３：実施形態８から１２のいずれか１つにおける通信装置によれば、第２の処理モジュールは、具体的には、第１の情報と、第１の情報および復調基準信号により占有されるリソース要素の数量の間の対応関係とに基づいて、復調基準信号により占有されるリソース要素の数量を取得するように構成される。
【０３７２】
実施形態１４：実施形態１３における通信装置によれば、通信装置は、端末デバイスであり、対応関係が、端末デバイスにより通信プロトコルに従って構成されるか、または、端末デバイスによりアクセスネットワークデバイスから受信される。
【０３７３】
実施形態１５通信デバイスが提供される。通信デバイスは、少なくとも１つのプロセッサおよび通信インタフェースを含む。通信インタフェースは、別の通信デバイスと情報を交換するために、通信デバイスにより用いられる。１または複数の命令が少なくとも１つのプロセッサにより実行された場合、通信デバイスは、実施形態１から７のいずれか１つにおける方法を実行する。
【０３７４】
実施形態１６：コンピュータプログラム記憶媒体が提供される。コンピュータプログラム記憶媒体は、１または複数の命令を有する。プログラム命令が直接または間接的に実行された場合、実施形態１から７のいずれか１つにおける方法における端末デバイスおよびアクセスネットワークデバイスのいずれかの機能が実行される。
【０３７５】
実施形態１７：チップシステムが提供される。チップシステムは、少なくとも１つのプロセッサを含む。１または複数の命令が少なくとも１つのプロセッサにより実行された場合、実施形態１から７のいずれか１つにおける方法における端末デバイスおよびアクセスネットワークデバイスのいずれかの機能が実行される。
【０３７６】
実施形態１８：実施形態１５における通信デバイスを含む通信システムが提供される。
【０３７７】
本願において提供されるいくつかの実施形態では、開示されるシステム、装置および方法は、他の方式で実装され得ることを理解されたい。例えば、説明された装置の実施形態は、例に過ぎない。例えば、ユニットの分割は、論理機能の分割に過ぎず、実際の実装中には別の分割方式が存在し得る。例えば、複数のユニットまたはコンポーネントが別のシステムに組み合わされるか、統合されてよく、いくつかの機能が無視されても実行されなくてもよい。加えて、表示されるかまたは記載される相互結合もしくは直接結合または通信接続は、いくつかのインタフェースを介して実装され得る。装置間またはユニット間の間接結合または通信接続は、電気的形態、機械的形態または他の形態で実装されてよい。
【０３７８】
別個の部分として説明されたユニットは、物理的に別個であってもそうでなくてもよい。ユニットとして表示される部分は、物理ユニットであってもそうでなくてもよく、１箇所に位置していても、複数のネットワークユニットに分散されていてもよい。実施形態の解決手段の目的を達成するために、当該ユニットのいくつかまたは全てが、実際の要件に基づいて選択されてよい。
【０３７９】
加えて、本願の実施形態における機能ユニットが１つの処理ユニットに統合されても、当該機能ユニットの各々が物理的に単独で存在しても、２つまたはそれより多くのユニットが１つのユニットに統合されてもよい。
【０３８０】
当該機能がソフトウェア機能ユニットの形態で実装され、独立の製品として販売または使用される場合、当該機能は、コンピュータ可読記憶媒体に記憶され得る。そのような理解に基づいて、本願の技術的解決手段は本質的に、または従来技術に寄与する部分が、または技術的解決手段のいくつかが、ソフトウェア製品の形態で実装されてよい。コンピュータソフトウェア製品は、記憶媒体に記憶され、本願の実施形態において説明される方法の段階の全てまたはいくつかを実行するようコンピュータデバイス（パーソナルコンピュータ、サーバ、ネットワークデバイス等であり得る）に命令するためのいくつかの命令を含む。記憶媒体は、ＵＳＢフラッシュドライブ、リムーバブルハードディスク、リードオンリメモリ（ｒｅａｄ−ｏｎｌｙ  ｍｅｍｏｒｙ、ＲＯＭ）、ランダムアクセスメモリ（ｒａｎｄｏｍ  ａｃｃｅｓｓ  ｍｅｍｏｒｙ、ＲＡＭ）、磁気ディスクまたはコンパクトディスクなど、プログラムコードを記憶し得るあらゆる媒体を含む。
【０３８１】
前述の説明は、本願の具体的な実装に過ぎず、本願の保護範囲を限定することは意図していない。本願において開示された技術範囲内で当業者により容易に想到するあらゆる変形または置き換えは、本願の保護範囲に含まれるものとする。従って、本願の保護範囲は、特許請求の範囲の保護範囲の対象になるものとする。
［項目１］
通信方法であって、
ダウンリンク制御情報フォーマットを決定する段階と、
上記ダウンリンク制御情報フォーマットに基づいて、復調基準信号（ＤＭＲＳ）により占有されるリソース要素の数量を取得する段階と、
上記ＤＭＲＳにより占有される上記リソース要素の数量に基づいて、トランスポートブロックのサイズ（ＴＢＳ）を決定する段階と
を備える方法。
［項目２］
上記ダウンリンク制御情報フォーマットがＤＣＩフォーマット０＿０またはＤＣＩフォーマット１＿０であり、上記ＤＭＲＳにより占有される上記リソース要素の数量が６、１２または２４である場合における、
項目１に記載の方法。
［項目３］
上記ＤＭＲＳの構成タイプと、上記ＤＭＲＳにより占有されるシンボルの数量とを取得する段階
をさらに備え、
上記ダウンリンク制御情報フォーマットがＤＣＩフォーマット０＿０またはＤＣＩフォーマット１＿０であり、上記ＤＭＲＳの上記構成タイプがＤＭＲＳ構成タイプ１であり、上記ＤＭＲＳにより占有される上記シンボルの数量が１である場合、上記ＤＭＲＳにより占有される上記リソース要素の数量は、６、１２または２４である、
項目１に記載の方法。
［項目４］
上記ＤＭＲＳの構成タイプと、上記ＤＭＲＳにより占有されるシンボルの数量と、上記データブロックにより占有されるシンボルの数量とを取得する段階
をさらに備え、
上記ダウンリンク制御情報フォーマットがＤＣＩフォーマット０＿０またはＤＣＩフォーマット１＿０であり、上記ＤＭＲＳの上記構成タイプがＤＭＲＳ構成タイプ１であり、上記ＤＭＲＳにより占有される上記シンボルの数量が１であり、上記データブロックにより占有される上記シンボルの数量が７以上である場合、上記ＤＭＲＳにより占有される上記リソース要素の数量は、１２、２４または３６であり、または、
上記ダウンリンク制御情報フォーマットがＤＣＩフォーマット０＿０またはＤＣＩフォーマット１＿０であり、上記ＤＭＲＳの上記構成タイプがＤＭＲＳ構成タイプ１であり、上記ＤＭＲＳにより占有される上記シンボルの数量が１であり、上記データブロックにより占有される上記シンボルの数量が７未満である場合、上記ＤＭＲＳにより占有される上記リソース要素の数量は、６、１２または２４である、
項目１に記載の方法。
［項目５］
上記ＤＭＲＳの構成タイプと、上記ＤＭＲＳにより占有されるシンボルの数量と、上記データブロックにより占有されるシンボルの数量と、上記データブロックにより占有されるシンボルの位置とを取得する段階
をさらに備え、
上記ダウンリンク制御情報フォーマットがＤＣＩフォーマット０＿０またはＤＣＩフォーマット１＿０であり、上記ＤＭＲＳの上記構成タイプがＤＭＲＳ構成タイプ１であり、上記ＤＭＲＳにより占有される上記シンボルの数量が１であり、上記データブロックにより占有される上記シンボルの数量が７以上である場合、上記ＤＭＲＳにより占有される上記リソース要素の数量は、１２、２４または３６であり、または、
上記ダウンリンク制御情報フォーマットがＤＣＩフォーマット０＿０またはＤＣＩフォーマット１＿０であり、上記ＤＭＲＳの上記構成タイプがＤＭＲＳ構成タイプ１であり、上記ＤＭＲＳにより占有される上記シンボルの数量が１であり、上記データブロックにより占有される上記シンボルの数量が７未満である場合、上記ＤＭＲＳにより占有される上記リソース要素の数量は、６、１２または２４である、
項目１に記載の方法。
［項目６］
上記ＤＭＲＳの構成タイプと、上記ＤＭＲＳにより占有されるシンボルの数量と、上記データブロックにより占有されるシンボルの数量と、追加のＤＭＲＳの数量とを取得する段階と、
上記ダウンリンク制御情報フォーマットと、上記ＤＭＲＳの上記構成タイプと、上記ＤＭＲＳにより占有される上記シンボルの数量と、上記データブロックにより占有される上記シンボルの数量と、上記追加のＤＭＲＳの数量とに基づいて、上記ＤＭＲＳにより占有される上記リソース要素の数量を取得する段階と
をさらに備え、
上記ダウンリンク制御情報フォーマットは、ＤＣＩフォーマット０＿０またはＤＣＩフォーマット１＿０であり、上記ＤＭＲＳの上記構成タイプは、ＤＭＲＳ構成タイプ１であり、上記ＤＭＲＳにより占有される上記シンボルの数量は、１であり、上記追加のＤＭＲＳの数量は、０、１または２である、
項目１に記載の方法。
［項目７］
上記ＤＭＲＳの構成タイプと、上記ＤＭＲＳにより占有されるシンボルの数量と、上記データブロックにより占有されるシンボルの数量と、上記データブロックにより占有されるシンボルの位置と、追加のＤＭＲＳの数量とを取得する段階と、
上記ダウンリンク制御情報フォーマットと、上記ＤＭＲＳの上記構成タイプと、上記ＤＭＲＳにより占有される上記シンボルの数量と、上記データブロックにより占有される上記シンボルの数量と、上記データブロックにより占有される上記シンボルの上記位置と、上記追加のＤＭＲＳの数量とに基づいて、上記ＤＭＲＳにより占有される上記リソース要素の数量を取得する段階と
をさらに備え、
上記ダウンリンク制御情報フォーマットは、ＤＣＩフォーマット０＿０またはＤＣＩフォーマット１＿０であり、上記ＤＭＲＳの上記構成タイプは、ＤＭＲＳ構成タイプ１であり、上記ＤＭＲＳにより占有される上記シンボルの数量は、１であり、上記追加のＤＭＲＳの数量は、０、１または２である、
項目１に記載の方法。
［項目８］
上記ＤＭＲＳにより占有される上記リソース要素の数量は、上記ダウンリンク制御情報フォーマットとの対応関係を有する、
項目１に記載の方法。
［項目９］
上記ダウンリンク制御情報フォーマットに基づいて、ＤＭＲＳにより占有される上記リソース要素の数量を取得する上記段階は、
上記ダウンリンク制御情報フォーマットと、上記ＤＭＲＳにより占有される上記リソース要素の数量との間の上記対応関係に基づいて、上記ＤＭＲＳにより占有される上記リソース要素の数量を取得する段階
を有する、
項目１または８に記載の方法。
［項目１０］
無線移動通信システムにおける端末デバイスにより実行されるか、または上記端末デバイスにおけるチップにより実行される、
項目１から９のいずれか一項に記載の方法。
［項目１１］
通信方法であって、
ダウンリンク制御情報フォーマットを取得する段階であって、上記ダウンリンク制御情報フォーマットと、復調基準信号（ＤＭＲＳ）により占有されるリソース要素の数量との間には、対応関係が存在する、段階と、
上記ダウンリンク制御情報フォーマットに基づいて、上記ＤＭＲＳにより占有される上記リソース要素の数量を取得する段階と、
上記ＤＭＲＳにより占有される上記リソース要素の数量に基づいて、トランスポートブロック（ＴＢＳ）のサイズを決定する段階と
を備える方法。
［項目１２］
上記ダウンリンク制御情報フォーマットがＤＣＩフォーマット０＿０またはＤＣＩフォーマット１＿０である場合、上記ＤＭＲＳにより占有される上記リソース要素の数量は、６、１２または２４である、
項目１１に記載の方法。
［項目１３］
上記ＤＭＲＳの構成タイプと、上記ＤＭＲＳにより占有されるシンボルの数量とを取得する段階
をさらに備え、
上記ダウンリンク制御情報フォーマットがＤＣＩフォーマット０＿０またはＤＣＩフォーマット１＿０であり、上記ＤＭＲＳの上記構成タイプがＤＭＲＳ構成タイプ１であり、上記ＤＭＲＳにより占有される上記シンボルの数量が１である場合、上記ＤＭＲＳにより占有される上記リソース要素の数量は、６、１２または２４である、
項目１１に記載の方法。
［項目１４］
上記ＤＭＲＳの構成タイプと、上記ＤＭＲＳにより占有されるシンボルの数量と、上記データブロックにより占有されるシンボルの数量とを取得する段階
をさらに備え、
上記ダウンリンク制御情報フォーマットがＤＣＩフォーマット０＿０またはＤＣＩフォーマット１＿０であり、上記ＤＭＲＳの上記構成タイプがＤＭＲＳ構成タイプ１であり、上記ＤＭＲＳにより占有される上記シンボルの数量が１であり、上記データブロックにより占有される上記シンボルの数量が７以上である場合、上記ＤＭＲＳにより占有される上記リソース要素の数量は、１２、２４または３６であり、または、
上記ダウンリンク制御情報フォーマットがＤＣＩフォーマット０＿０またはＤＣＩフォーマット１＿０であり、上記ＤＭＲＳの上記構成タイプがＤＭＲＳ構成タイプ１であり、上記ＤＭＲＳにより占有される上記シンボルの数量が１であり、上記データブロックにより占有される上記シンボルの数量が７未満である場合、上記ＤＭＲＳにより占有される上記リソース要素の数量は、６、１２または２４である、
項目１１に記載の方法。
［項目１５］
上記ＤＭＲＳの構成タイプと、上記ＤＭＲＳにより占有されるシンボルの数量と、上記データブロックにより占有されるシンボルの数量と、上記データブロックにより占有されるシンボルの位置とを取得する段階
をさらに備え、
上記ダウンリンク制御情報フォーマットがＤＣＩフォーマット０＿０またはＤＣＩフォーマット１＿０であり、上記ＤＭＲＳの上記構成タイプがＤＭＲＳ構成タイプ１であり、上記ＤＭＲＳにより占有される上記シンボルの数量が１であり、上記データブロックにより占有される上記シンボルの数量が７以上である場合、上記ＤＭＲＳにより占有される上記リソース要素の数量は、１２、２４または３６であり、または、
上記ダウンリンク制御情報フォーマットがＤＣＩフォーマット０＿０またはＤＣＩフォーマット１＿０であり、上記ＤＭＲＳの上記構成タイプがＤＭＲＳ構成タイプ１であり、上記ＤＭＲＳにより占有される上記シンボルの数量が１であり、上記データブロックにより占有される上記シンボルの数量が７未満である場合、上記ＤＭＲＳにより占有される上記リソース要素の数量は、６、１２または２４である、
項目１１に記載の方法。
［項目１６］
上記ＤＭＲＳの構成タイプと、上記ＤＭＲＳにより占有されるシンボルの数量と、上記データブロックにより占有されるシンボルの数量と、追加のＤＭＲＳの数量とを取得する段階と、
上記ダウンリンク制御情報フォーマットと、上記ＤＭＲＳの上記構成タイプと、上記ＤＭＲＳにより占有される上記シンボルの数量と、上記データブロックにより占有される上記シンボルの数量と、上記追加のＤＭＲＳの数量とに基づいて、上記ＤＭＲＳにより占有される上記リソース要素の数量を取得する段階と
をさらに備え、
上記ダウンリンク制御情報フォーマットがＤＣＩフォーマット０＿０またはＤＣＩフォーマット１＿０であり、上記ＤＭＲＳの上記構成タイプがＤＭＲＳ構成タイプ１であり、上記ＤＭＲＳにより占有される上記シンボルの数量が１であり、上記追加のＤＭＲＳの数量が０、１または２である場合における、
項目１１に記載の方法。
［項目１７］
上記ＤＭＲＳの構成タイプと、上記ＤＭＲＳにより占有されるシンボルの数量と、上記データブロックにより占有されるシンボルの数量と、上記データブロックにより占有されるシンボルの位置と、追加のＤＭＲＳの数量とを取得する段階と、
上記ダウンリンク制御情報フォーマットと、上記ＤＭＲＳの上記構成タイプと、上記ＤＭＲＳにより占有される上記シンボルの数量と、上記データブロックにより占有される上記シンボルの数量と、上記データブロックにより占有される上記シンボルの上記位置と、上記追加のＤＭＲＳの数量とに基づいて、上記ＤＭＲＳにより占有される上記リソース要素の数量を取得する段階と
をさらに備え、
上記ダウンリンク制御情報フォーマットがＤＣＩフォーマット０＿０またはＤＣＩフォーマット１＿０であり、上記ＤＭＲＳの上記構成タイプがＤＭＲＳ構成タイプ１であり、上記ＤＭＲＳにより占有される上記シンボルの数量が１であり、上記追加のＤＭＲＳの数量が０、１または２である場合における、
項目１１に記載の方法。
［項目１８］
上記ダウンリンク制御情報フォーマットに基づいて、上記ＤＭＲＳにより占有される上記リソース要素の数量を取得する上記段階は、
上記ダウンリンク制御情報フォーマットと、上記ＤＭＲＳにより占有される上記リソース要素の数量との間の上記対応関係に基づいて、上記ＤＭＲＳにより占有される上記リソース要素の数量を取得する段階
を有する、
項目１１から１７のいずれか一項に記載の方法。
［項目１９］
無線移動通信システムにおける基地局により実行されるか、または上記基地局におけるチップにより実行される、
項目１１から１８のいずれか一項に記載の方法。
［項目２０］
ダウンリンク制御情報フォーマットを決定するように構成された第１のモジュールと、
上記ダウンリンク制御情報フォーマットに基づいて、復調基準信号（ＤＭＲＳ）により占有されるリソース要素の数量を取得するように構成された第２のモジュールと、
上記ＤＭＲＳにより占有される上記リソース要素の数量に基づいて、トランスポートブロックのサイズ（ＴＢＳ）を決定するように構成された第３のモジュールと
を備える通信装置。
［項目２１］
上記ダウンリンク制御情報フォーマットがＤＣＩフォーマット０＿０またはＤＣＩフォーマット１＿０であり、上記ＤＭＲＳにより占有される上記リソース要素の数量が６、１２または２４である場合における、
項目２０に記載の通信装置。
［項目２２］
上記ＤＭＲＳの構成タイプと、上記ＤＭＲＳにより占有されるシンボルの数量とを取得するように構成された第４のモジュール
をさらに備え、
上記ダウンリンク制御情報フォーマットがＤＣＩフォーマット０＿０またはＤＣＩフォーマット１＿０であり、上記ＤＭＲＳの上記構成タイプがＤＭＲＳ構成タイプ１であり、上記ＤＭＲＳにより占有される上記シンボルの数量が１である場合、上記ＤＭＲＳにより占有される上記リソース要素の数量は、６、１２または２４である、
項目２０に記載の通信装置。
［項目２３］
上記ＤＭＲＳの構成タイプと、上記ＤＭＲＳにより占有されるシンボルの数量と、上記データブロックにより占有されるシンボルの数量とを取得するように構成された第５のモジュール
をさらに備え、
上記ダウンリンク制御情報フォーマットがＤＣＩフォーマット０＿０またはＤＣＩフォーマット１＿０であり、上記ＤＭＲＳの上記構成タイプがＤＭＲＳ構成タイプ１であり、上記ＤＭＲＳにより占有される上記シンボルの数量が１であり、上記データブロックにより占有される上記シンボルの数量が７以上である場合、上記ＤＭＲＳにより占有される上記リソース要素の数量は、１２、２４または３６であり、または、
上記ダウンリンク制御情報フォーマットがＤＣＩフォーマット０＿０またはＤＣＩフォーマット１＿０であり、上記ＤＭＲＳの上記構成タイプがＤＭＲＳ構成タイプ１であり、上記ＤＭＲＳにより占有される上記シンボルの数量が１として取得され、上記データブロックにより占有される上記シンボルの数量が７未満である場合、上記ＤＭＲＳにより占有される上記リソース要素の数量は、６、１２または２４である、
項目２０に記載の通信装置。
［項目２４］
上記ＤＭＲＳの構成タイプと、上記ＤＭＲＳにより占有されるシンボルの数量と、上記データブロックにより占有されるシンボルの数量と、上記データブロックにより占有されるシンボルの位置とを取得するように構成された第６のモジュール
をさらに備え、
上記ダウンリンク制御情報フォーマットがＤＣＩフォーマット０＿０またはＤＣＩフォーマット１＿０であり、上記ＤＭＲＳの上記構成タイプがＤＭＲＳ構成タイプ１であり、上記ＤＭＲＳにより占有される上記シンボルの数量が１であり、上記データブロックにより占有される上記シンボルの数量が７以上である場合、上記ＤＭＲＳにより占有される上記リソース要素の数量は、１２、２４または３６であり、または、
上記ダウンリンク制御情報フォーマットがＤＣＩフォーマット０＿０またはＤＣＩフォーマット１＿０であり、上記ＤＭＲＳの上記構成タイプがＤＭＲＳ構成タイプ１であり、上記ＤＭＲＳにより占有される上記シンボルの数量が１であり、上記データブロックにより占有される上記シンボルの数量が７未満である場合、上記ＤＭＲＳにより占有される上記リソース要素の数量は、６、１２または２４である、
項目２０に記載の通信装置。
［項目２５］
上記ＤＭＲＳの構成タイプと、上記ＤＭＲＳにより占有されるシンボルの数量と、上記データブロックにより占有されるシンボルの数量と、追加のＤＭＲＳの数量とを取得するように構成された第７のモジュールと、
上記ダウンリンク制御情報フォーマットと、上記ＤＭＲＳの上記構成タイプと、上記ＤＭＲＳにより占有される上記シンボルの数量と、上記データブロックにより占有される上記シンボルの数量と、上記追加のＤＭＲＳの数量とに基づいて、上記ＤＭＲＳにより占有される上記リソース要素の数量を取得するように構成された第８のモジュールと
をさらに備え、
上記ダウンリンク制御情報フォーマットは、ＤＣＩフォーマット０＿０またはＤＣＩフォーマット１＿０であり、上記ＤＭＲＳの上記構成タイプは、ＤＭＲＳ構成タイプ１であり、上記ＤＭＲＳにより占有される上記シンボルの数量は、１であり、上記追加のＤＭＲＳの数量は、０、１または２である、
項目２０に記載の通信装置。
［項目２６］
上記ＤＭＲＳの構成タイプと、上記ＤＭＲＳにより占有されるシンボルの数量と、上記データブロックにより占有されるシンボルの数量と、上記データブロックにより占有されるシンボルの位置と、追加のＤＭＲＳの数量とを取得するように構成された第９のモジュールと、
上記ダウンリンク制御情報フォーマットと、上記ＤＭＲＳの上記構成タイプと、上記ＤＭＲＳにより占有される上記シンボルの数量と、上記データブロックにより占有される上記シンボルの数量と、上記データブロックにより占有される上記シンボルの上記位置と、上記追加のＤＭＲＳの数量とに基づいて、上記ＤＭＲＳにより占有される上記リソース要素の数量を取得するように構成された第１０のモジュールと
をさらに備え、
上記ダウンリンク制御情報フォーマットは、ＤＣＩフォーマット０＿０またはＤＣＩフォーマット１＿０であり、上記ＤＭＲＳの上記構成タイプは、ＤＭＲＳ構成タイプ１であり、上記ＤＭＲＳにより占有される上記シンボルの数量は、１であり、上記追加のＤＭＲＳの数量は、０、１または２である、
項目１に記載の通信装置。
［項目２７］
上記ＤＭＲＳにより占有される上記リソース要素の数量は、上記ダウンリンク制御情報フォーマットとの対応関係を有する、
項目２０に記載の通信装置。
［項目２８］
上記ダウンリンク制御情報フォーマットと、上記ＤＭＲＳにより占有される上記リソース要素の数量との間の上記対応関係に基づいて、上記ＤＭＲＳにより占有される上記リソース要素の数量を取得するように構成された第１１のモジュール
をさらに備える、項目２０または２７に記載の通信装置。
［項目２９］
無線移動通信システムにおける端末デバイスであるか、または上記端末デバイスにおけるチップである、
項目２０から２８のいずれか一項に記載の通信装置。
［項目３０］
ダウンリンク制御情報フォーマットを取得するように構成された第１のモジュールであって、上記ダウンリンク制御情報フォーマットと、復調基準信号（ＤＭＲＳ）により占有されるリソース要素の数量との間には、対応関係が存在する、第１のモジュールと、
上記ダウンリンク制御情報フォーマットに基づいて、上記ＤＭＲＳにより占有される上記リソース要素の数量を取得するように構成された第２のモジュールと、
上記ＤＭＲＳにより占有される上記リソース要素の数量に基づいて、トランスポートブロックのサイズ（ＴＢＳ）を決定するように構成された第３のモジュールと
を備える通信装置。
［項目３１］
上記ダウンリンク制御情報フォーマットがＤＣＩフォーマット０＿０またはＤＣＩフォーマット１＿０であり、上記ＤＭＲＳにより占有される上記リソース要素の数量が６、１２または２４である場合における、
項目３０に記載の通信装置。
［項目３２］
上記ＤＭＲＳの構成タイプと、上記ＤＭＲＳにより占有されるシンボルの数量とを取得するように構成された第４のモジュール
をさらに備え、
上記ダウンリンク制御情報フォーマットがＤＣＩフォーマット０＿０またはＤＣＩフォーマット１＿０であり、上記ＤＭＲＳの上記構成タイプがＤＭＲＳ構成タイプ１であり、上記ＤＭＲＳにより占有される上記シンボルの数量が１であり、上記ＤＭＲＳにより占有される上記リソース要素の数量が６、１２または２４である場合における、
項目３０に記載の通信装置。
［項目３３］
上記ＤＭＲＳの構成タイプと、上記ＤＭＲＳにより占有されるシンボルの数量と、上記データブロックにより占有されるシンボルの数量とを取得するように構成された第５のモジュール
をさらに備え、
上記ダウンリンク制御情報フォーマットがＤＣＩフォーマット０＿０またはＤＣＩフォーマット１＿０であり、上記ＤＭＲＳの上記構成タイプがＤＭＲＳ構成タイプ１であり、上記ＤＭＲＳにより占有される上記シンボルの数量が１であり、上記データブロックにより占有される上記シンボルの数量が７以上である場合、上記ＤＭＲＳにより占有される上記リソース要素の数量は、１２、２４または３６であり、または、
上記ダウンリンク制御情報フォーマットがＤＣＩフォーマット０＿０またはＤＣＩフォーマット１＿０であり、上記ＤＭＲＳの上記構成タイプがＤＭＲＳ構成タイプ１であり、上記ＤＭＲＳにより占有される上記シンボルの数量が１であり、上記データブロックにより占有される上記シンボルの数量が７未満である場合、上記ＤＭＲＳにより占有される上記リソース要素の数量は、６、１２または２４である、
項目３０に記載の通信装置。
［項目３４］
上記ＤＭＲＳの構成タイプと、上記ＤＭＲＳにより占有されるシンボルの数量と、上記データブロックにより占有されるシンボルの数量と、上記データブロックにより占有されるシンボルの位置とを取得するように構成された第６のモジュール
をさらに備え、
上記ダウンリンク制御情報フォーマットがＤＣＩフォーマット０＿０またはＤＣＩフォーマット１＿０であり、上記ＤＭＲＳの上記構成タイプがＤＭＲＳ構成タイプ１であり、上記ＤＭＲＳにより占有される上記シンボルの数量が１であり、上記データブロックにより占有される上記シンボルの数量が７以上である場合、上記ＤＭＲＳにより占有される上記リソース要素の数量は、１２、２４または３６であり、または、
上記ダウンリンク制御情報フォーマットがＤＣＩフォーマット０＿０またはＤＣＩフォーマット１＿０であり、上記ＤＭＲＳの上記構成タイプがＤＭＲＳ構成タイプ１であり、上記ＤＭＲＳにより占有される上記シンボルの数量が１であり、上記データブロックにより占有される上記シンボルの数量が７未満である場合、上記ＤＭＲＳにより占有される上記リソース要素の数量は、６、１２または２４である、
項目３０に記載の通信装置。
［項目３５］
上記ＤＭＲＳの構成タイプと、上記ＤＭＲＳにより占有されるシンボルの数量と、上記データブロックにより占有されるシンボルの数量と、追加のＤＭＲＳの数量とを取得するように構成された第７のモジュールと、
上記ダウンリンク制御情報フォーマットと、上記ＤＭＲＳの上記構成タイプと、上記ＤＭＲＳにより占有される上記シンボルの数量と、上記データブロックにより占有される上記シンボルの数量と、上記追加のＤＭＲＳの数量とに基づいて、上記ＤＭＲＳにより占有される上記リソース要素の数量を取得するように構成された第８のモジュールと
をさらに備え、
上記ダウンリンク制御情報フォーマットがＤＣＩフォーマット０＿０またはＤＣＩフォーマット１＿０であり、上記ＤＭＲＳの上記構成タイプがＤＭＲＳ構成タイプ１であり、上記ＤＭＲＳにより占有される上記シンボルの数量が１であり、上記追加のＤＭＲＳの数量が０、１または２である場合における、
項目３０に記載の通信装置。
［項目３６］
上記ＤＭＲＳの構成タイプと、上記ＤＭＲＳにより占有されるシンボルの数量と、上記データブロックにより占有されるシンボルの数量と、上記データブロックにより占有されるシンボルの位置と、追加のＤＭＲＳの数量とを取得するように構成された第９のモジュールと、
上記ダウンリンク制御情報フォーマットと、上記ＤＭＲＳの上記構成タイプと、上記ＤＭＲＳにより占有される上記シンボルの数量と、上記データブロックにより占有される上記シンボルの数量と、上記データブロックにより占有される上記シンボルの上記位置と、上記追加のＤＭＲＳの数量とに基づいて、上記ＤＭＲＳにより占有される上記リソース要素の数量を取得するように構成された第１０のモジュールと
をさらに備え、
上記ダウンリンク制御情報フォーマットがＤＣＩフォーマット０＿０またはＤＣＩフォーマット１＿０であり、上記ＤＭＲＳの上記構成タイプがＤＭＲＳ構成タイプ１であり、上記ＤＭＲＳにより占有される上記シンボルの数量が１である場合、上記追加のＤＭＲＳの数量は、０、１または２である場合における、
項目３０に記載の通信装置。
［項目３７］
上記ダウンリンク制御情報フォーマットと、上記ＤＭＲＳにより占有される上記リソース要素の数量との間の上記対応関係に基づいて、上記ＤＭＲＳにより占有される上記リソース要素の数量を取得するように構成された第１１のモジュール
をさらに備える、項目３０から３６のいずれか一項に記載の通信装置。
［項目３８］
無線移動通信システムにおける基地局であるか、または上記基地局におけるチップである、
項目３０から３７のいずれか一項に記載の通信装置。
［項目３９］
項目１から１９のいずれか一項に記載の方法を実行するように構成された通信装置。
［項目４０］
通信装置であって、
少なくとも１つのプロセッサと、通信インタフェースとを備え、上記通信インタフェースは、上記通信装置により、別の通信デバイスと情報を交換するために用いられ、１または複数の命令が上記少なくとも１つのプロセッサにより実行された場合、項目１から１９のいずれか一項に記載の方法が実行される、
通信装置。
［項目４１］
プログラムを含み、
上記プログラムが直接または間接的に実行された場合、項目１から１９のいずれか一項に記載の方法のオペレーションが実行される、
コンピュータプログラム記憶媒体。
［項目４２］
１または複数の命令を含み、
上記１または複数の命令が直接または間接的に実行された場合、項目１から１９のいずれか一項に記載の方法のオペレーションが実行される、
コンピュータプログラム。
［項目４３］
少なくとも１つのプロセッサを備え、１または複数の命令が上記少なくとも１つのプロセッサにより実行された場合、項目１から１９のいずれか一項に記載の方法のオペレーションが実行される、
チップシステム。
［項目４４］
項目２０から４０のいずれか一項に記載の通信装置、
項目４１に記載のコンピュータプログラム記憶媒体、
項目４２に記載のコンピュータプログラム、または、
項目４３に記載のチップシステム
のうちの１または複数を備える無線移動通信システム。
【図１】
0006958958.tif 000002
【図２】
0006958958.tif 000003
【図３】
0006958958.tif 000004
【図４】
0006958958.tif 000005
【図５】
0006958958.tif 000006
【図６】
0006958958.tif 000007
【図７】
0006958958.tif 000008
【図８】
0006958958.tif 000009
【図９】
0006958958.tif 000010
【図１０】
0006958958.tif 000011